(57)【要約】【課題】本発明は、メディアに印刷した記録コンテンツ情報により当該メディアに記録されたコンテンツを的確に確認させる。【解決手段】本発明は、印刷装置１において、メディア６５に記録されるコンテンツの属性情報を格納して記録履歴を管理するための記録履歴管理テーブルＰＣＴ１に基づき、メディア６５に記録されたコンテンツを示す記録コンテンツ情報を生成し、メディア６５にコンテンツが記録されると、当該メディア６５に記録コンテンツ情報を印刷することにより、同一のメディア６５が何度か記録処理に用いられて、コンテンツが記録され、またコンテンツが消去されても、メディア６５に記録されたコンテンツと、メディアに印刷した記録コンテンツ情報の内容とを一致させ、メディア６５に印刷した記録コンテンツ情報により当該メディア６５に記録されたコンテンツを的確に確認させることができる。【選択図】図２８
2010262693.tif 000002
【特許請求の範囲】
【請求項１】
メディアに記録されるコンテンツの属性情報を格納し、上記メディアに対する上記コンテンツの記録履歴を管理するための記録履歴管理テーブルを生成する記録履歴管理テーブル生成部と、
上記記録履歴管理テーブルに基づき、上記メディアに記録された上記コンテンツを示す記録コンテンツ情報を生成する記録コンテンツ情報生成部と、
上記メディアに上記コンテンツが記録されると、当該メディアに上記記録コンテンツ情報を印刷する印刷部と
を具える印刷装置。
【請求項２】
上記記録履歴管理テーブルに基づき、上記メディアに記録された上記コンテンツを分類する分類部
を具え、
上記記録コンテンツ情報生成部は、
上記記録履歴管理テーブルと、上記分類部による上記コンテンツの分類結果とに基づき、上記メディアに記録された上記コンテンツを分類して示す上記記録コンテンツ情報を生成する
請求項１に記載の印刷装置。
【請求項３】
上記記録コンテンツ情報生成部は、
上記記録履歴管理テーブルに基づき、上記メディアに追加で記録された追加コンテンツを示す上記記録コンテンツ情報を生成し、
上記印刷部は、
上記メディアに上記追加コンテンツが追加で記録されると、当該メディアに上記追加コンテンツを示す上記記録コンテンツ情報を追加で印刷する
請求項２に記載の印刷装置。
【請求項４】
上記記録コンテンツ情報に基づき、上記メディアに対する上記記録コンテンツ情報の印刷領域を管理するための印刷領域管理テーブルを生成する印刷領域管理テーブル生成部
を具え、
上記記録コンテンツ情報生成部は、
上記印刷領域管理テーブルに基づき、上記メディアにすでに印刷された上記記録コンテンツ情報の中で、当該メディアから消去された消去コンテンツを示す特定箇所を消去するための新たな上記記録コンテンツ情報を生成し、
上記印刷部は、
上記メディアから上記消去コンテンツが消去されると、当該メディアの上記特定箇所に新たな上記記録コンテンツ情報を印刷する
請求項３に記載の印刷装置。
【請求項５】
上記記録履歴管理テーブルに基づき、上記メディアに関するメディア情報を生成するメディア情報生成部
を具え、
上記印刷部は、
上記メディアに上記コンテンツが記録されると、当該メディアに上記記録コンテンツ情報を印刷すると共に、上記メディア情報を印刷する
請求項４に記載の印刷装置。
【請求項６】
上記メディア情報生成部は、
上記記録履歴管理テーブル基づき、上記メディアの使用状況を示す上記メディア情報を生成する
請求項５に記載の印刷装置。
【請求項７】
上記メディア情報生成部は、
上記記録履歴管理テーブル基づき、上記メディアの使用状況として、コンテンツ記録領域の記録使用割合を示す上記メディア情報を生成する
請求項６に記載の印刷装置。
【請求項８】
上記メディア情報生成部は、
上記メディアに、最終的に再生専用メディアと互換性をもたせるための最終互換処理が施されると、当該最終互換処理が施されたことを示す上記ディスク情報を生成する
請求項７に記載の印刷装置。
【請求項９】
上記記録コンテンツ情報生成部は、
上記記録履歴管理テーブルに基づき、上記メディアに記録された上記コンテンツを、少なくとも一部は２次元コードで表現して示す上記記録コンテンツ情報を生成し、
上記印刷部は、
上記メディアに上記コンテンツが記録されると、当該メディアに上記２次元コードを有する上記記録コンテンツ情報を印刷する
請求項２に記載の印刷装置。
【請求項１０】
上記記録コンテンツ情報生成部は、
上記メディアに上記コンテンツを記録する記録処理毎に、上記記録履歴管理テーブルに基づき、上記メディアに記録された上記コンテンツを、少なくとも一部は上記２次元コードで表現して示し、かつ前回、上記メディアに印刷された上記２次元コードを消去するための上記記録コンテンツ情報を生成し、
上記印刷部は、
上記メディアに上記コンテンツが記録されると、当該メディアに上記記録コンテンツ情報を印刷する
請求項９に記載の印刷装置。
【請求項１１】
メディアに記録されるコンテンツの属性情報を格納し、上記メディアに対する上記コンテンツの記録履歴を管理するための記録履歴管理テーブルを生成する管理テーブル生成ステップと、
上記記録履歴管理テーブルに基づき、上記メディアに記録された上記コンテンツを示す記録コンテンツ情報を生成する記録コンテンツ情報生成ステップと、
上記メディアに上記コンテンツが記録されると、当該メディアに上記記録コンテンツ情報を印刷する印刷ステップと
を具える印刷方法。
【請求項１２】
コンピュータに、
メディアに記録されるコンテンツの属性情報を格納し、上記メディアに対する上記コンテンツの記録履歴を管理するための記録履歴管理テーブルを生成する管理テーブル生成ステップと、
上記記録履歴管理テーブルに基づき、上記メディアに記録された上記コンテンツを示す記録コンテンツ情報を生成する記録コンテンツ情報生成ステップと、
上記メディアに上記コンテンツが記録されると、当該メディアに上記記録コンテンツ情報を印刷する印刷ステップと
を実行させるための印刷プログラム。
【発明の詳細な説明】
【技術分野】
【０００１】
本発明は印刷装置、印刷方法及び印刷プログラムに関し、例えば、テレビジョン放送の番組を録画し得る番組録画装置に適用して好適なものである。
【背景技術】
【０００２】
従来のデジタル放送受信システムは、ＨＤＤ（Hard  Disc  Drive）レコーダ及び印刷データ生成装置を有している。ＨＤＤレコーダは、ユーザ指示に応じて所望の番組の番組データをＨＤＤに記録した後、ＣＤ（Compact  Disc）又はＤＶＤ（Digital  Versatile  Disc）のようなディスクにダビングし、あるいはＨＤＤを介さずにディスクに直接記録する。
【０００３】
またＨＤＤレコーダは、ディスクに対する所望の番組（番組データ）の記録が終了すると、その番組の番組情報を印刷データ生成装置に送る。印刷データ生成装置は、番組情報に基づき、ディスクに記録された番組を示す記録番組情報を印刷するための印刷データを生成する。そして印刷データ生成装置は、番組の記録されたディスクが挿入されると、印刷データに基づきディスクの一面に記録番組情報として番組のタイトルや出演者等を印刷する。
【０００４】
このようにしてデジタル放送受信システムは、番組を記録したディスクについて、その一面の記録番組情報により、どのような番組を記録したものであるのかを確認し得るようにしていた（例えば、特許文献１参照）。
【先行技術文献】
【特許文献】
【０００５】
【特許文献１】特開２００８−１３１４１１公報（第６頁、第７頁、図６）
【発明の概要】
【発明が解決しようとする課題】
【０００６】
ところが、このようなディスクとしては、データ未記録領域に一度だけ番組データを記録することができ、１回の記録処理で残ったデータ未記録領域には後でも番組データを記録することができる、番組データを追記可能なものがある。
【０００７】
因みに、このように番組データを追記可能なディスク（以下、これを追記型ディスクとも呼ぶ）は、例えば、ＣＤ−Ｒ（Compact  Disc-Recordable）やＤＶＤ−Ｒ（Digital  Versatile  Disc-Recordable）と呼ばれるものである。
【０００８】
また、このようなディスクとしては、番組データを記録したデータ記録済領域に、その番組データを消去して新たな番組データを記録することができる、番組データを書換可能なものもある。
【０００９】
因みに、このように番組データを書換可能なディスク（以下、これを書換型ディスクとも呼ぶ）は、例えば、ＣＤ−ＲＷ（Compact  Disc-ReWritable）やＤＶＤ−ＲＷ（Digital  Versatile  Disc-ReWritable）と呼ばれるものである。
【００１０】
そして従来のデジタル放送受信システムでは、上述のように番組の記録が終了したディスクの一面に番組を示す記録番組情報を印刷している。このためデジタル放送受信システムでは、追記型ディスクを用いて番組データを記録し、また追加でも記録する分には、記録番組情報により、その追記型ディスクがどのような番組を記録したものであるのかを確認させることができる。
【００１１】
しかしながら、デジタル放送受信システムでは、ディスクに対する番組の記録の終了に応じて、その番組を示す記録番組情報を印刷する機能しか有していない。このためデジタル放送受信システムでは、書換型ディスクに記録した番組（番組データ）を消去した場合、書換型ディスクの一面に、すでに消去した番組を示す記録番組情報が残ることになる。
【００１２】
すなわち、デジタル放送受信システムは、番組の記録に書換型ディスクを用いると、記録した番組と記録番組情報の内容とが一致せず、その記録番組情報では、書換型ディスクに記録した番組を的確には確認させ難い場合があるという問題があった。
【００１３】
本発明は以上の点を考慮してなされたもので、メディアに印刷した記録コンテンツ情報により当該メディアに記録されたコンテンツを的確に確認させ得る印刷装置、印刷方法及び印刷プログラムを提案しようとするものである。
【課題を解決するための手段】
【００１４】
かかる課題を解決するため本発明においては、印刷装置において、メディアに記録されるコンテンツの属性情報を格納し、メディアに対するコンテンツの記録履歴を管理するための記録履歴管理テーブルを生成し、当該生成した記録履歴管理テーブルに基づき、メディアに記録されたコンテンツを示す記録コンテンツ情報を生成し、メディアにコンテンツが記録されると、当該メディアに記録コンテンツ情報を印刷するようにした。
【００１５】
従って本発明では、印刷装置において、同一のメディアが何度か記録処理に用いられて、コンテンツが記録され、またすでに記録されていたコンテンツが消去されても、そのメディアに記録されたコンテンツと、当該メディアに印刷した記録コンテンツ情報の内容とを一致させることができる。
【発明の効果】
【００１６】
本発明によれば、印刷装置において、メディアに記録されるコンテンツの属性情報を格納し、メディアに対するコンテンツの記録履歴を管理するための記録履歴管理テーブルを生成し、当該生成した記録履歴管理テーブルに基づき、メディアに記録されたコンテンツを示す記録コンテンツ情報を生成し、メディアにコンテンツが記録されると、当該メディアに記録コンテンツ情報を印刷するようにしたことにより、印刷装置において、同一のメディアが何度か記録処理に用いられて、コンテンツが記録され、またすでに記録されていたコンテンツが消去されても、そのメディアに記録されたコンテンツと、当該メディアに印刷した記録コンテンツ情報の内容とを一致させることができ、かくしてメディアに印刷した記録コンテンツ情報により当該メディアに記録されたコンテンツを的確に確認させ得る印刷装置、印刷方法及び印刷プログラムを実現することができる。
【図面の簡単な説明】
【００１７】
【図１】本発明による番組録画装置の外観構成を示す略線的正面図である。
【図２】第１の実施の形態による番組録画装置のハードウェア回路ブロックによる回路構成を示すブロック図である。
【図３】主制御部が実行する処理の説明に供する機能回路ブロックによる回路構成を示すブロック図である。
【図４】番組属性情報の構成を示す略線図である。
【図５】記録履歴管理テーブルの構成を示す略線図である。
【図６】同一な番組タイトルの検出の説明に供する略線図である。
【図７】印刷テンプレートの構成を示す略線図である。
【図８】印刷データ（１）の説明に供する略線図である。
【図９】印刷データ（２）の説明に供する略線図である。
【図１０】印刷領域管理テーブルの構成を示す略線図である。
【図１１】印刷プレビュ画面の構成（１）を示す略線図である。
【図１２】印刷プレビュ画面の構成（２）を示す略線図である。
【図１３】記録用ディスクのディスク一面に印刷した記録番組情報及びディスク情報（１）の説明に供する略線図である。
【図１４】記録用ディスクのディスク一面に印刷した記録番組情報及びディスク情報（２）の説明に供する略線図である。
【図１５】最終互換処理を施した記録用ディスクのディスク一面に印刷した記録番組情報及びディスク情報（１）の説明に供する略線図である。
【図１６】最終互換処理を施した記録用ディスクのディスク一面に印刷した記録番組情報及びディスク情報（２）の説明に供する略線図である。
【図１７】追加番組の選択に応じた記録履歴管理テーブルの更新の説明に供する略線図である。
【図１８】追加番組の選択に応じて生成された印刷データ（１）の説明に供する略線図である。
【図１９】追加番組の選択に応じて生成された印刷データ（２）の説明に供する略線図である。
【図２０】追加番組の選択に応じた印刷領域管理テーブルの更新の説明に供する略線図である。
【図２１】追加番組の選択に応じて生成された印刷プレビュ画面の構成（１）を示す略線図である。
【図２２】追加番組の選択に応じて生成された印刷プレビュ画面の構成（２）を示す略線図である。
【図２３】記録番組情報及びディスク情報を追加印刷した記録用ディスクのディスク一面（１）の説明に供給する略線図である。
【図２４】記録番組情報及びディスク情報を追加印刷した記録用ディスクのディスク一面（２）の説明に供給する略線図である。
【図２５】消去番組の選択に応じた記録履歴管理テーブルの更新の説明に供する略線図である。
【図２６】追加番組及び消去番組の選択に応じて生成された印刷データの説明に供する略線図である。
【図２７】追加番組及び消去番組の選択に応じて生成された印刷プレビュ画面の構成を示す略線図である。
【図２８】記録番組情報及びディスク情報を追加印刷した記録用ディスクのディスク一面（３）の説明に供給する略線図である。
【図２９】第１の記録印刷処理手順（１）を示すフローチャートである。
【図３０】第１の記録印刷処理手順（２）を示すフローチャートである。
【図３１】第１の記録印刷処理手順（３）を示すフローチャートである。
【図３２】第２の実施の形態による番組録画装置のハードウェア回路ブロックによる回路構成を示すブロック図である。
【図３３】主制御部が実行する処理の説明に供する機能回路ブロックによる回路構成を示すブロック図である。
【図３４】印刷テンプレートの構成を示す略線図である。
【図３５】２次元コードを有する記録番組情報を印刷するための印刷データの説明に供する略線図である。
【図３６】印刷領域管理テーブルの構成を示す略線図である。
【図３７】２次元コードを印刷する場合の印刷プレビュ画面の構成を示す略線図である。
【図３８】記録用ディスクのディスク一面に印刷した２次元コードを有する記録番組情報の説明に供する略線図である。
【図３９】２次元コードを有する記録番組情報を追加印刷するための印刷データの説明に供する略線図である。
【図４０】印刷領域管理テーブルの更新の説明に供する略線図である。
【図４１】２次元コードを追加印刷する場合の印刷プレビュ画面の構成を示す略線図である。
【図４２】２次元コードを有する記録番組情報を追加印刷した記録用ディスクのディスク一面の説明に供する略線図である。
【図４３】コード読取装置を利用したディスク一面上の番組詳細情報の提示の説明に供する略線図である。
【図４４】コード読取装置を利用した表示部上の番組詳細情報の提示の説明に供する略線図である。
【図４５】表示部上への番組詳細情報の表示の説明に供する略線図である。
【図４６】第２の記録印刷処理手順（１）を示すフローチャートである。
【図４７】第２の記録印刷処理手順（２）を示すフローチャートである。
【図４８】第２の記録印刷処理手順（３）を示すフローチャートである。
【図４９】第３の記録印刷処理手順（１）を示すフローチャートである。
【図５０】第３の記録印刷処理手順（２）を示すフローチャートである。
【図５１】記録番組情報の表示の説明に供する略線図である。
【発明を実施するための形態】
【００１８】
以下図面について、発明を実施するための最良の形態（以下、これを実施の形態とも呼ぶ）について説明する。なお、説明は以下の順序で行う。
１．第１の実施の形態
２．第２の実施の形態
３．変形例
【００１９】
＜１．第１の実施の形態＞
［１−１  番組録画装置の外観構成］
図１において、１は全体として本発明を適用した番組録画装置を示す。かかる番組録画装置１は、デジタル系放送及びアナログ系放送の電子番組案内（EPG:Electronic  Program  Guide）情報を取得するＥＰＧ取得機能を有している。
【００２０】
また番組録画装置１は、デジタル系放送及びアナログ系放送の番組を録画する録画機能や、録画した番組を再生する録画番組再生機能、録画した番組をディスクに記録する番組記録機能、ディスクに記録した番組を再生する記録番組再生機能等も有している。
【００２１】
因みに、以下の説明では、録画した番組を、録画番組とも呼ぶ。また、以下の説明では、録画番組の記録に用いるディスクを、記録用ディスクとも呼ぶ。
【００２２】
実際に番組録画装置１は、箱型の装置筐体２を有している。装置筐体２は、正面右側に液晶ディスプレイ又は有機ＥＬ（Electro  Luminescence）ディスプレイ等でなる表示部３が設けられている。これにより番組録画装置１は、番組の録画時間や再生時間等のように、当該番組録画装置１の動作状況を通知するための状況通知情報を表示部３に表示し得るようになされている。
【００２３】
また装置筐体２は、正面中央部にディスクトレイ４が、装置内部からせり出し、また装置内部に収納すようにスライド可能に設けられている。これにより番組録画装置１は、ＤＶＤ−Ｒ（Digital  Versatile  Disc-Recordable）やＢＤ−Ｒ（Blu-ray  Disc-Recordable）等のようなデータを追記可能な記録用ディスクを、ディスクトレイ４を介して装置内部に装填し、装置内部から外部に排出する。
【００２４】
また番組録画装置１は、ＤＶＤ−ＲＷ（Digital  Versatile  Disc-ReWritable）やＢＤ−ＲＥ（Blu-ray  Disc-REwritable）等のようなデータを書換可能な記録用ディスクも、ディスクトレイ４を介して装置内部に装填し、また装置内部から外部に排出する。
【００２５】
因みに、以下の説明では、データを追記可能な記録用ディスクを、特に追加型ディスクとも呼び、データを書換可能な記録用ディスクを、特に書換型ディスクとも呼ぶ。そして、以下の説明では、これら追記型ディスク及び書換型ディスクを、特に区別する必要のない場合、単に記録用ディスクとも呼ぶ。
【００２６】
ところで装置筐体２は、正面に透明な保護カバー５が当該正面を外部に開放し、また覆うように開閉可能に設けられている。これにより番組録画装置１は、装置筐体２の正面に対し保護カバー５を開いた場合、ディスクトレイ４を装置内部から外部へせり出させることができる。
【００２７】
また番組録画装置１は、ディスクトレイ４を装置内部に収納した状態で装置筐体２の正面に対し保護カバー５を閉じた場合、表示部３やディスクトレイ４を外部から保護し得るようになされている。
【００２８】
［１−２  番組録画装置の回路構成］
次いで、図２を用いて番組録画装置１のハードウェア回路ブロックによる回路構成について説明する。番組録画装置１は、例えば、マイクロコンピュータ構成の主制御部１０を有している。
【００２９】
主制御部１０は、図示しない内蔵メモリ、又はバス１１を介して接続されたハードディスクドライブ１２に予め記憶された各種プログラムに従って、番組録画装置１全体を制御すると共に、所定の演算処理を実行する。
【００３０】
また主制御部１０は、リモートコントローラＲＭからユーザ操作に応じて送信された光信号を、受光部１３で受光しＵＩ（User  Interface）制御部１４を介して操作コマンドとして取り込み、その操作コマンドに応じた各種処理も実行する。因みに、以下の説明では、リモートコントローラＲＭを、リモコンＲＭとも呼ぶ。
【００３１】
これにより主制御部１０は、デジタル系放送の番組視聴モード時、リモコンＲＭのユーザ操作等に応じて、デジタル系アンテナ２０によって受信したデジタル放送信号をデジタルチューナ２１に取り込む。
【００３２】
デジタルチューナ２１は、デジタル系アンテナ２０からデジタル放送信号を取り込みながら、当該デジタル放送信号から任意のチャンネル（例えば、リモコンＲＭの操作により指定されたチャンネル）の放送データを抽出する。またデジタルチューナ２１は、デジタル放送信号から抽出した放送データを、ストリームバッファ２２を介してデマルチプレクサ２３に送出する。
【００３３】
ここで、デジタル系放送の放送データは、番組の番組データと、放送関連データとが時分割多重化されトランスポートストリームとして生成されている。因みに、番組の番組データは、番組映像の映像データと、番組音声の音声データとが時分割多重化されて生成されている。また放送関連データには、データ放送用の情報、また放送に関するこの他種々の情報が含まれている。
【００３４】
よってデマルチプレクサ２３は、放送データを番組データと放送関連データとに分離する。またデマルチプレクサ２３は、その番組データを映像データと音声データとに分離する。そしてデマルチプレクサ２３は、これら映像データ及び音声データをＡＶ（Audio  Visual）デコーダ２４に送出する。
【００３５】
ＡＶデコーダ２４は、映像データ及び音声データそれぞれをデコード（すなわち、復号）した後、デジタルアナログ変換することにより映像信号及び音声信号を生成する。またＡＶデコーダ２４は、その映像信号をＧＵＩ（Graphical  User  Interface）重畳器２５に送出する。
【００３６】
ＧＵＩ重畳器２５は、映像信号にＯＳＤ（On  Screen  Display）等のグラフィックス信号を重畳する。またＧＵＩ重畳器２５は、そのグラフィックス信号を重畳した映像信号を、ＴＶ（Television）接続端子２６を介して外部のテレビジョン受像機２７に送出する。さらにＡＶデコーダ２４は、このとき音声信号を、ＴＶ接続端子２６を介してテレビジョン受像機２７に送出する。
【００３７】
これにより主制御部１０は、テレビジョン受像機２７においてディスプレイに映像信号に基づく番組映像を表示させると共に、その番組映像の表示に合せてスピーカから音声信号に基づく番組音声を出力させる。このようにして主制御部１０は、デジタル系放送で放送中の番組を視聴させることができる。
【００３８】
また主制御部１０は、アナログ系放送の番組視聴モード時、リモコンＲＭのユーザ操作等に応じて、アナログ系アンテナ２８によって受信したアナログ放送信号をアナログチューナ２９に取り込む。
【００３９】
アナログチューナ２９は、アナログ系アンテナ２８からアナログ放送信号を取り込みながら、当該アナログ放送信号から任意のチャンネルの放送信号を抽出する。またアナログチューナ２９は、アナログ放送信号から抽出した放送信号を復調器３０に送出する。
【００４０】
復調器３０は、放送信号をＮＴＳＣ（National  Television  Standards  Committee）規格に準じて復調することによりＮＴＳＣ信号を生成する。また復調器３０は、そのＮＴＳＣ信号をＭＰＥＧ（Moving  Picture  Experts  Group）エンコーダ３１に送出する。
【００４１】
ＭＰＥＧエンコーダ３１は、ＮＴＳＣ信号をＭＰＥＧ規格に準じてエンコードして番組データを生成する。またＭＰＥＧエンコーダ３１は、その番組データを、ストリームバッファ２２を介してデマルチプレクサ２３に送出する。
【００４２】
この際、デマルチプレクサ２３は、上述と同様に番組データを映像データと音声データとに分離して、ＡＶデコーダ２４に送出する。ＡＶデコーダ２４は、上述と同様に映像データ及び音声データに基づき映像信号及び音声信号を生成する。またＡＶデコーダ２４は、その映像信号をＧＵＩ重畳器２５に送出する。
【００４３】
ＧＵＩ重畳器２５は、上述と同様に映像信号にグラフィックス信号を重畳し、ＴＶ接続端子２６を介して外部のテレビジョン受像機２７に送出する。さらにＡＶデコーダ２４は、このとき音声信号を、ＴＶ接続端子２６を介してテレビジョン受像機２７に送出する。
【００４４】
これにより主制御部１０は、テレビジョン受像機２７においてディスプレイに映像信号に基づく番組映像を表示させると共に、その番組映像の表示に合せてスピーカから音声信号に基づく番組音声を出力させる。このようにして主制御部１０は、アナログ系放送で放送中の番組も視聴させることができる。
【００４５】
ところでデジタル系放送やアナログ系放送では、チャンネル毎の電子番組案内情報が、当該電子番組案内情報のもとになる番組毎の番組情報として配信されている。
【００４６】
因みに、番組毎の番組情報は、その番組を放送する放送局の名称（以下、これを放送局名とも呼ぶ）、当該番組の放送日時、番組タイトル、ジャンル、番組概要、番組詳細、出演者名等でなる。
【００４７】
また番組情報としてのジャンルは、番組の分類に利用可能な情報である。そしてジャンルには、ニュース、ドラマ、スポーツ等のように、番組を大別可能な大別ジャンルがある。
【００４８】
またジャンルには、例えば、大別ジャンルとしてのドラマに属する番組を、刑事ドラマ、恋愛ドラマ、時代劇等のように、さらに詳細に分類可能な詳細ジャンルもある。
【００４９】
デジタル系放送では、チャンネル毎に、番組の番組情報を含む放送関連データが生成されている。そしてデジタル系放送では、特定のチャンネルで各チャンネルの電子番組案内情報（すなわち、番組情報）がまとめて配信され、又は各チャンネルで別々に電子番組案内情報（すなわち、番組情報）が配信されている。
【００５０】
すなわち、デジタル系放送では、特定のチャンネルでのみ電子番組案内情報を配信する場合、特定のチャンネルの放送データが、特定のチャンネルの番組データと、チャンネル毎の放送関連データとを時分割多重化して生成されている。
【００５１】
またデジタル系放送では、各チャンネルで電子番組案内情報を配信する場合、チャンネル毎の放送データが、当該チャンネルの番組データと、そのチャンネルの放送関連データとを時分割多重化して生成されている。
【００５２】
よってデジタルチューナ２１は、特定のチャンネルでのみ電子番組案内情報が配信される場合、所定のタイミングでデジタル放送信号から特定のチャンネルの放送データを抽出する。そしてデジタルチューナ２１は、デジタル放送信号から抽出した放送データをデマルチプレクサ３５に送出する。
【００５３】
またデジタルチューナ２１は、各チャンネルで電子番組案内情報が配信される場合、所定のタイミングでデジタル放送信号から各チャンネルの放送データを順番に抽出する。そしてデジタルチューナ２１は、デジタル放送信号から抽出した放送データをデマルチプレクサ３５に送出する。
【００５４】
デマルチプレクサ３５は、放送データから、放送関連データを分離する。またデマルチプレクサ３５は、その放送関連データをメモリ３６に送出して一時記憶する。
【００５５】
主制御部１０は、メモリ３６から放送関連データを、バス１１を介して読み出す。また主制御部１０は、その放送関連データから、これに含まれるＰＳＩ／ＳＩ（Program  Specific  Information/Service  Information）に基づき番組毎の番組情報を取り出す。
【００５６】
そして主制御部１０は、放送関連データから取り出した番組毎の番組情報を用いて電子番組案内情報を生成し、これをデジタル系放送の電子番組案内情報としてバス１１を介してハードディスクドライブ１２に送出して記憶する。
【００５７】
またアナログ系放送では、特定のチャンネルの放送信号に含まれる映像信号の垂直帰線期間部分に、各チャンネルの電子番組案内情報のもとになる番組毎の番組情報が格納されている。そしてアナログ系放送では、その特定のチャンネルで各チャンネルの電子番組案内情報（すなわち、番組情報）がまとめて配信されている。
【００５８】
よってアナログチューナ２９は、所定のタイミングでアナログ放送信号から、特定のチャンネルの放送信号を抽出する。またアナログチューナ２９は、アナログ放送信号から抽出した放送信号を復調器３０に送出する。
【００５９】
この際、復調器３０は、特定のチャンネルの放送信号に基づき上述と同様にＮＴＳＣ信号を生成する。また復調器３０は、そのＮＴＳＣ信号をＶＢＩ（Vertical  Blanking  Interval）スライサ３７に送出する。
【００６０】
ＶＢＩスライサ３７は、ＮＴＳＣ信号から、これに含まれる映像信号を分離すると共に、当該映像信号から垂直帰線期間部分を切り出してＥＰＧ（Electronic  Program  Guide）デコーダ３８に送出する。
【００６１】
ＥＰＧデコーダ３８は、映像信号から切り出された垂直帰線期間部分をデコードすることにより番組毎の番組情報を得て、これを番組情報データとしてメモリ３６に送出し一時記憶する。
【００６２】
主制御部１０は、メモリ３６から番組毎の番組情報データを、バス１１を介して読み出す。また主制御部１０は、番組毎の番組情報データに基づく番組情報を用いて電子番組案内情報を生成し、これをアナログ系放送の電子番組案内情報としてバス１１を介してハードディスクドライブ１２に送出して記憶する。このようにして主制御部１０は、デジタル系放送及びアナログ系放送の電子番組案内情報を取得する。
【００６３】
このような電子番組案内情報には、例えば、現時点からむこう１週間に放送予定の番組毎の番組情報として、放送局名、放送日時、番組タイトル、ジャンル（大別ジャンル及び詳細ジャンル）、番組概要、番組詳細、出演者名等が含まれている。
【００６４】
そして主制御部１０は、リモコンＲＭのユーザ操作等に応じて、ハードディスクドライブ１２からデジタル系放送やアナログ系放送の電子番組案内情報を、バス１１を介して読み出す。
【００６５】
この際、主制御部１０は、電子番組案内情報をもとに、放送予定の複数の番組の放送スケジュールを表にした番組表の画面データ（以下、これを番組表画面データとも呼ぶ）を生成する。そして主制御部１０は、その番組表画面データを表示用にバス１１を介してメモリ３９に送出して一時記憶する。
【００６６】
ＧＵＩ重畳器２５は、このとき主制御部１０の制御のもと、メモリ３９から番組表画面データを読み出して番組表画面信号を生成する。またＧＵＩ重畳器２５は、その番組表画面信号を、ＴＶ接続端子２６を介して外部のテレビジョン受像機２７に送出する。
【００６７】
これによりＧＵＩ重畳器２５は、テレビジョン受像機２７のディスプレイに番組表画面信号に基づき、デジタル系放送やアナログ系放送の番組表画面（図示せず）を表示する。このようにして主制御部１０は、ユーザに対し番組表画面により、現時点からむこう１週間に放送予定の番組を確認させることができる。
【００６８】
この状態で主制御部１０は、リモコンＲＭのユーザ操作等により番組表画面上で任意の番組が選択され録画予約が指示されると、選択された番組の番組情報（放送局名及び放送日時等）を利用して、番組の録画日時等を示す録画予約情報を生成する。そして主制御部１０は、その録画予約情報を、例えば、メモリ３６に記憶することにより、録画予約の指示された番組を録画予約する。
【００６９】
主制御部１０は、例えば、デジタル系放送の番組を録画予約すると、録画予約情報が示す番組の録画日時を現在日時と比較するようにして、現在日時が録画日時に達することを待ち受ける。
【００７０】
そして主制御部１０は、現在日時が録画日時に達すると、デジタル系放送の予約録画モードに移行する。これにより主制御部１０は、デジタル系アンテナ２０によって受信したデジタル放送信号をデジタルチューナ２１に取り込む。
【００７１】
デジタルチューナ２１は、デジタル系アンテナ２０からデジタル放送信号を取り込みながら、当該デジタル放送信号から録画予約情報が示すチャンネルの放送データを抽出する。
【００７２】
またデジタルチューナ２１は、デジタル放送信号から抽出した放送データを、ストリームバッファ２２を介して番組単位の番組データとし、ハードディスクドライブ１２に送出して記憶する。このようにして主制御部１０は、デジタル系放送の番組を録画することができる。
【００７３】
主制御部１０は、例えば、アナログ系放送の番組を録画予約した場合も、録画予約情報が示す番組の録画日時を現在日時と比較するようにして、現在日時が録画日時に達することを待ち受ける。
【００７４】
そして主制御部１０は、現在日時が録画日時に達すると、アナログ系放送の予約録画モードに移行する。これにより主制御部１０は、アナログ系アンテナ２８によって受信したアナログ放送信号をアナログチューナ２９に取り込む。
【００７５】
アナログチューナ２９は、アナログ系アンテナ２８からアナログ放送信号を取り込みながら、当該アナログ放送信号から録画予約情報が示すチャンネルの放送信号を抽出する。またアナログチューナ２９は、アナログ放送信号から抽出した放送信号を復調器３０に送出する。
【００７６】
復調器３０は、その放送信号を上述と同様に復調してＮＴＳＣ信号を生成する。また復調器３０は、そのＮＴＳＣ信号をＭＰＥＧエンコーダ３１に送出する。ＭＰＥＧエンコーダ３１は、ＮＴＳＣ信号を上述と同様にエンコードして番組データを生成する。
【００７７】
またＭＰＥＧエンコーダ３１は、その番組データを、ストリームバッファ２２を介してハードディスクドライブ１２に送出して記憶する。このようにして主制御部１０は、アナログ系放送の番組も録画することができる。
【００７８】
因みに、主制御部１０は、デジタル系放送やアナログ系放送の番組の視聴時に、ユーザによりリモコンＲＭを介して録画命令が入力されると、上述とほぼ同様にして、視聴中の番組の番組データをハードディスクドライブ１２に記憶する。これにより主制御部１０は、デジタル系放送やアナログ系放送の視聴中の番組も録画することができる。
【００７９】
ところで、主制御部１０は、録画予約や録画命令の入力に応じて番組を録画した場合、その録画番組の番組データに関するデータサイズやフォーマット等を示す情報（以下、これをデータ属性情報とも呼ぶ）を生成する。
【００８０】
また主制御部１０は、データ属性情報と、対応する録画番組の番組情報とをまとめて録画番組に関する録画番組情報を生成する。さらに主制御部１０は、その録画番組情報を、バス１１を介してハードディスクドライブ１２に送出して録画番組の番組データに関連付けて記憶する。
【００８１】
そして主制御部１０は、ユーザによりリモコンＲＭを介して録画番組再生モードが選択されると、ハードディスクドライブ１２から番組データに関連付けている録画番組情報を、バス１１を介して読み出す。
【００８２】
また主制御部１０は、その録画番組情報を用いて録画番組を、番組タイトル、放送局名、放送日時等の番組通知情報で示す録画番組通知画面のデータ（以下、これを録画番組通知画面データとも呼ぶ）を生成する。さらに主制御部１０は、その録画番組通知画面データを表示用にバス１１を介してメモリ３９に送出して一時記憶する。
【００８３】
ＧＵＩ重畳器２５は、このとき主制御部１０の制御のもと、メモリ３９から録画番組通知画面データを読み出して録画番組通知画面信号を生成する。またＧＵＩ重畳器２５は、その録画番組通知画面信号を、ＴＶ接続端子２６を介して外部のテレビジョン受像機２７に送出する。
【００８４】
これによりＧＵＩ重畳器２５は、テレビジョン受像機２７のディスプレイに録画番組通知画面信号に基づき録画番組通知画面（図示せず）を表示する。このようにして主制御部１０は、ユーザに対し録画番組通知画面により、この時点までに録画した録画番組を通知することができる。
【００８５】
この状態で主制御部１０は、ユーザによりリモコンＲＭを介して録画番組通知画面上で再生対象の録画番組が選択されると、選択された録画番組の番組データをハードディスクドライブ１２からストリームバッファ２２を介してデマルチプレクサ２３に送出する。
【００８６】
デマルチプレクサ２３は、上述と同様に番組データを映像データと音声データとに分離してＡＶデコーダ２４に送出する。ＡＶデコーダ２４は、上述と同様に映像データ及び音声データに基づき映像信号及び音声信号を生成する。またＡＶデコーダ２４は、その映像信号をＧＵＩ重畳器２５に送出する。
【００８７】
ＧＵＩ重畳器２５は、上述と同様に映像信号にグラフィックス信号を重畳すし、ＴＶ接続端子２６を介してテレビジョン受像機２７に送出する。さらにＡＶデコーダ２４は、このとき音声信号を、ＴＶ接続端子２６を介してテレビジョン受像機２７に送出する。
【００８８】
これにより主制御部１０は、テレビジョン受像機２７においてディスプレイに映像信号に基づく番組映像を表示させると共に、その番組映像の表示に合せてスピーカから音声信号に基づく番組音声を出力させる。このようにして主制御部１０は、録画した番組を視聴させることができる。
【００８９】
また主制御部１０は、例えば、装置内部に記録用ディスクが装填された状態で、ユーザによりリモコンＲＭを介して番組記録モードが選択されると、ハードディスクドライブ１２から番組データに関連付けている録画番組情報を、バス１１を介して読み出す。
【００９０】
この際、主制御部１０は、上述と同様に録画番組通知画面データを生成するようにして、テレビジョン受像機２７のディスプレイに録画番組通知画面を表示する。
【００９１】
この状態で主制御部１０は、ユーザによりリモコンＲＭを介して録画番組通知画面上で記録対象の録画番組が選択されると、ハードディスクドライブ１２から記録対象の録画番組の番組データを、バス１１を介して読み出す。因みに、以下の説明では、記録対象の録画番組を、特に記録番組とも呼ぶ。
【００９２】
また主制御部１０は、このとき、ハードディスクドライブ１２から、選択された記録番組の録画番組情報を読み出す。さらに主制御部１０は、その録画番組情報に基づき番組タイトルや放送日等のように記録番組に関する番組属性情報を生成する。
【００９３】
そして主制御部１０は、記録番組の番組データを番組属性情報と共に、バス１１を介して装置内部のドライブ制御部４０に送出する。この際、ドライブ制御部４０は、装置内部のドライブ４１を駆動制御して記録用ディスクに、その番組データと番組属性情報とを関連付けて記録する。このようにして主制御部１０は、装置内部に装填された記録用ディスクに、記録番組（番組データ）を記録し得るようになされている。
【００９４】
また主制御部１０は、このようにして記録用ディスクに記録番組（番組データ）を記録する際、番組属性情報に基づき、当該記録用ディスクに記録した記録番組を示す記録番組情報を生成する。
【００９５】
さらに主制御部１０は、その記録番組情報を表現する漢字やかな、英字、数字、記号等の文字を印刷するための印刷データを生成する。そして主制御部１０は、その印刷データを、バス１１を介して装置内部のプリンタ制御部４２に送出する。
【００９６】
この際、プリンタ制御部４２は、印刷データに基づいて、装置内部のプリンタ４３を駆動制御して、記録用ディスクの一面に、当該記録用ディスクに記録した記録番組を示す記録番組情報を印刷する。因みに、以下の説明では、記録用ディスクの一面を、ディスク一面とも呼ぶ。
【００９７】
これにより主制御部１０は、装置内部から記録用ディスクが取り出されても、ディスク一面に印刷した記録番組情報により、記録用ディスクにどのような記録番組が記録されているのかを容易に確認させることができる。
【００９８】
また主制御部１０は、装置内部に、番組データの記録された記録用ディスクが装填された状態で、ユーザによりディスク再生モードが選択されると、ドライブ制御部４０を介してドライブ４１を駆動制御して記録用ディスクから番組属性情報を読み出す。
【００９９】
さらに主制御部１０は、その番組属性情報に基づき、記録用ディスクに記録されている記録番組を示す記録番組一覧画面のデータ（以下、これを記録番組一覧画面データとも呼ぶ）を生成する。そして主制御部１０は、その記録番組一覧画面データを表示用にバス１１を介してメモリ３９に送出して一時記憶する。
【０１００】
ＧＵＩ重畳器２５は、このとき主制御部１０の制御のもと、メモリ３９から記録番組一覧画面データを読み出して記録番組一覧画面信号を生成する。またＧＵＩ重畳器２５は、その記録番組一覧画面信号を、ＴＶ接続端子２６を介して外部のテレビジョン受像機２７に送出する。
【０１０１】
これによりＧＵＩ重畳器２５は、テレビジョン受像機２７においてディスプレイに記録番組一覧画面信号に基づき記録番組一覧画面（図示せず）を表示する。このようにして主制御部１０は、ユーザに対し記録番組一覧画面により、装置内部に装填された記録用ディスクにどのような記録番組が記録されているのかを確認させることができる。
【０１０２】
この状態で主制御部１０は、ユーザによりリモコンＲＭを介して記録番組一覧画面上で再生対象の記録番組が選択され、再生命令が入力されると、これに応じてドライブ制御部４０を制御する。
【０１０３】
これによりドライブ制御部４０は、ドライブ４１を駆動制御して記録用ディスクから、ユーザにより選択された記録番組の番組データを読み出す。そしてドライブ制御部４０は、その番組データを、バス１１及びストリームバッファ２２を順次介してデマルチプレクサ２３に送出する。
【０１０４】
デマルチプレクサ２３は、この際、上述と同様に番組データを映像データと音声データとに分離してＡＶデコーダ２４に送出する。またＡＶデコーダ２４は、上述と同様に映像データ及び音声データに基づき映像信号及び音声信号を生成する。そしてＡＶデコーダ２４は、その映像信号をＧＵＩ重畳器２５に送出する。
【０１０５】
ＧＵＩ重畳器２５は、映像信号にグラフィックス信号を適宜重畳し、ＴＶ接続端子２６を介して外部のテレビジョン受像機２７に送出する。またＡＶデコーダ２４は、このとき音声信号を、ＴＶ接続端子２６を介してテレビジョン受像機２７に送出する。
【０１０６】
これにより主制御部１０は、テレビジョン受像機２７においてディスプレイに映像信号に基づく番組映像を表示させると共に、その番組映像の表示に合せてスピーカから音声信号に基づく番組音声を出力させる。このようにして主制御部１０は、記録用ディスクに記録した記録番組を視聴させることができる。
【０１０７】
ところで、主制御部１０は、リモコンＲＭのユーザ操作等に応じて、図示しない外部のデジタルビデオカメラやデジタルスチルカメラから出力された動画像信号を、ＤＶ（Digital  Video）端子４５を介してＤＶ（Digital  Video）デコーダ４６に取り込む。
【０１０８】
ＤＶデコーダ４６は、その動画像信号をデコードして復調器３０に送出する。この際、復調器３０は、動画像信号をＮＴＳＣ規格に準じて復調することによりＮＴＳＣ信号を生成する。また復調器３０は、そのＮＴＳＣ信号をＭＰＥＧエンコーダ３１に送出する。
【０１０９】
ＭＰＥＧエンコーダ３１は、ＮＴＳＣ信号をＭＰＥＧ規格に準じてエンコードして映像音声データを生成する。またＭＰＥＧエンコーダ３１は、その映像音声データを、ストリームバッファ２２を介してハードディスクドライブ１２に送出して記憶する。
【０１１０】
このようにして主制御部１０は、デジタルビデオカメラやデジタルスチルカメラにより被写体を動画撮影して生成された動画像を取得することができる。
【０１１１】
また主制御部１０は、リモコンＲＭのユーザ操作等に応じて、デジタルビデオカメラやデジタルスチルカメラから出力された写真画像信号を、ＵＳＢ（Universal  Serial  Bus）端子４７を介してＵＳＢ（Universal  Serial  Bus）コントローラ４８に取り込む。
【０１１２】
ＵＳＢコントローラ４８は、その写真画像信号を、ストリームバッファ２２を介してハードディスクドライブ１２に送出して記憶する。このようにして主制御部１０は、デジタルビデオカメラやデジタルスチルカメラにより被写体を写真撮影して生成された写真画像を取得することもできる。
【０１１３】
さらに主制御部１０は、リモコンＲＭのユーザ操作等に応じて、図示しないネットワーク機器から送信された動画像データや写真画像データ等をネットワーク端子４９及びネットワークコントローラ５０を順次介して取り込む。
【０１１４】
この際、主制御部１０は、その動画像データや写真画像データを、バス１１を介してハードディスクドライブ１２に送出して記憶する。このようにして主制御部１０は、ネットワーク機器から提供される動画像や写真画像等を取得することもできる。
【０１１５】
そして主制御部１０は、リモコンＲＭのユーザ操作等に応じて、ハードディスクドライブ１２から動画像データや写真画像データを読み出すことができる。主制御部１０は、ハードディスクドライブ１２から動画像データを読み出したとき、その動画像データを、ストリームバッファ２２を介してデマルチプレクサ２３に送出する。
【０１１６】
ここで、動画像データは、映像データと、音声データとが時分割多重化されて構成されている。よってデマルチプレクサ２３は、上述と同様に動画像データを映像データと音声データとに分離し、ＡＶデコーダ２４に送出する。
【０１１７】
ＡＶデコーダ２４は、デマルチプレクサ２３から映像データ及び音声データが与えられると、上述と同様に、その映像データ及び音声データに基づき映像信号及び音声信号を生成する。またＡＶデコーダ２４は、その映像信号をＧＵＩ重畳器２５に送出する。
【０１１８】
ＧＵＩ重畳器２５は、ＡＶデコーダ２４から映像信号が与えられると、上述と同様に、その映像信号にグラフィックス信号を重畳し、ＴＶ接続端子２６を介してテレビジョン受像機２７に送出する。またＡＶデコーダ２４は、このとき音声信号を、ＴＶ接続端子２６を介してテレビジョン受像機２７に送出する。
【０１１９】
これにより主制御部１０は、テレビジョン受像機２７においてディスプレイに映像信号に基づく映像を表示させると共に、その映像の表示に合せてスピーカから音声信号に基づく音声を出力させる。このようにして主制御部１０は、外部から取得した動画像を視聴させることができる。
【０１２０】
また主制御部１０は、ハードディスクドライブ１２から写真画像データを読み出したとき、その写真画像データを、ストリームバッファ２２を介してＪＰＥＧ（Joint  Photographic  Experts  Group）デコーダ５１に送出する。
【０１２１】
ＪＰＥＧデコーダ５１は、写真画像データをＪＰＥＧ規格に準じてデコードすることにより写真画像信号を生成する。またＪＰＥＧデコーダ５１は、その写真画像信号をＧＵＩ重畳器２５に送出する。ＧＵＩ重畳器２５は、写真画像信号にＯＳＤ等のグラフィックス信号を重畳し、ＴＶ接続端子２６を介してテレビジョン受像機２７に送出する。
【０１２２】
これにより主制御部１０は、テレビジョン受像機２７のディスプレイに写真画像信号に基づく写真画像を表示させる。このようにして主制御部１０は、外部から取得した写真画像を見せることもできる。
【０１２３】
因みに、主制御部１０は、番組の録画時や番組及び写真画像の再生時等には、録画時間や再生時間等のように、番組録画装置１の動作状況を通知するための状況通知データを生成する。そして主制御部１０は、その状況通知データを、バス１１を介して表示制御部５２に送出する。
【０１２４】
これにより表示制御部５２は、表示部３に状況通知データに基づき状況通知情報を表示する。このようにして主制御部１０は、ユーザに対し表示部３を介して番組録画装置１の動作状況を通知することができる。
【０１２５】
［１−３  記録用ディスクへの記録番組情報の印刷処理］
次いで、図３を用いて、主制御部１０が、記録用ディスクに番組データを記録する際、当該記録用ディスクに記録番組情報を印刷する印刷処理について説明する。ただし主制御部１０は、この際、記録処理プログラムに従って各種処理を実行して各種機能を実現している。
【０１２６】
よって、以下には、主制御部１０が記録処理プログラムに従って実現する各種機能を、便宜上、機能回路ブロックとし、当該主制御部１０が実行する各種処理を、その機能回路ブロックが実行する処理として説明する。
【０１２７】
番組情報取出部１０Ａは、メモリ３６から放送関連データを、バス１１を介して読み出す。そして番組情報取出部１０Ａは、上述のように、その放送関連データから、これに含まれるＰＳＩ／ＳＩに基づき番組毎の番組情報を取り出して、ＥＰＧ生成部１０Ｂに送出する。
【０１２８】
ＥＰＧ生成部１０Ｂは、番組情報取出部１０Ａから与えられた番組毎の番組情報に基づきデジタル系放送の電子番組案内情報を生成する。またＥＰＧ生成部１０Ｂは、メモリ３６から番組毎の番組情報データを、バス１１を介して読み出すと共に、その番組情報データに基づきアナログ系放送の電子番組案内情報を生成する。そしてＥＰＧ生成部１０Ｂは、これら電子番組案内情報をＨＤＤ制御部１０Ｃに送出する。
【０１２９】
ＨＤＤ制御部１０Ｃは、種々のデータや各種情報を、バス１１を介してハードディスクドライブ１２に送出して記憶し、また当該ハードディスクドライブ１２から種々のデータや各種情報を、バス１１を介して読み出すようになされている。
【０１３０】
よってＨＤＤ制御部１０Ｃは、ＥＰＧ生成部１０Ｂからデジタル系放送やアナログ系放送の電子番組案内情報が与えられると、その電子番組案内情報を、バス１を介してハードディスクドライブ１２に送出して記憶する。
【０１３１】
因みにファイル展開部１０Ｄは、ネットワーク機器から送信された所定フォーマットの動画像データや写真画像データ等を、ネットワーク端子４９、ネットワークコントローラ５０及びバス１１を順次介して取り込む。またファイル展開部１０Ｄは、その動画像データや写真画像データ等を展開して番組録画装置１で扱えるフォーマットに変換する。
【０１３２】
そしてファイル展開部１０Ｄは、そのフォーマットを変換した動画像データや写真画像データ等をＨＤＤ制御部１０Ｃに送出する。これによりＨＤＤ制御部１０Ｃは、ネットワーク機器から送信された動画像データや写真画像データ等を、バス１１を介してハードディスクドライブ１２に送出して記憶する。
【０１３３】
なお、ネットワークコントローラ５０は、インターネット上のサーバがデジタル系放送やアナログ系放送の電子番組案内情報を、番組毎の所定フォーマットの番組情報データとして配信する場合、これらを、ネットワーク端子４９を介して取り込む。
【０１３４】
この場合、ファイル展開部１０Ｄは、ネットワークコントローラ５０から番組毎の番組情報データを、バス１１を介して取り込む。またファイル展開部１０Ｄは、その番組毎の番組情報データを展開して番組録画装置１で扱えるフォーマットに変換する。そしてファイル展開部１０Ｄは、そのフォーマットを変換した番組毎の番組情報データをＥＰＧ生成部１０Ｂに送出する。
【０１３５】
よってＥＰＧ生成部１０Ｂは、ファイル展開部１０Ｄから番組毎の番組情報データが与えられると、その番組毎の番組情報データに基づきデジタル系放送やアナログ系放送の電子番組案内情報を生成する。そしてＥＰＧ生成部１０Ｂは、その電子番組案内情報をＨＤＤ制御部１０Ｃに送出する。
【０１３６】
これによりＨＤＤ制御部１０Ｃは、サーバにより配信されているデジタル系放送やアナログ系放送の電子番組案内情報を、バス１１を介してハードディスクドライブ１２に送出して記憶することができる。
【０１３７】
画面生成制御部１０Ｅは、リモコンＲＭのユーザ操作等に応じて、ＨＤＤ制御部１０Ｃを介してハードディスクドライブ１２から電子番組案内情報や録画番組情報等を読み出す。また画面生成制御部１０Ｅは、その電子番組案内情報や録画番組情報等を画面データ生成部１０Ｆに送出する。
【０１３８】
画面データ生成部１０Ｆは、画面生成制御部１０Ｅから与えられた電子番組案内情報や録画番組情報等をもとに、上述した番組表画面データや録画番組通知画面データ等を生成する。
【０１３９】
そして画面データ生成部１０Ｅは、その番組表画面データや録画番組通知画面データ等を、バス１１を介してメモリ３９に送出して一時記憶する。このようにして画面生成制御部１０Ｅは、テレビジョン受像機２７のディスプレイに番組表画面や録画番組通知画面等を表示させることができる。
【０１４０】
ここで、記録用ディスクの他面（以下、これをディスク他面とも呼ぶ）には、予めディスク管理情報記録領域が設けられている。そして記録用ディスクのディスク管理領域には、記録用ディスク固有のディスク識別情報や、記録用ディスクの種類等のような当該記録用ディスクを管理するためのディスク管理情報が予め（例えば、記録用ディスクの製造時に）記録されている。因みに、ディスク識別情報は、記録用ディスクを個別に識別可能なものである。またディスクの種類とは、上述のＤＶＤ−ＲやＢＤ−ＲＥ等である。
【０１４１】
画面生成制御部１０Ｅは、装置内部に記録用ディスクが装填された状態でユーザによりリモコンＲＭを介して番組記録モードが選択されると、その番組記録モードの選択をディスク制御部１０Ｇに通知する。ディスク制御部１０Ｇは、番組記録モードの選択が通知されると、これに応じてドライブ制御部４０を介してドライブ４１を駆動制御する。
【０１４２】
これによりディスク制御部１０Ｇは、記録用ディスクのディスク他面においてディスク管理情報記録領域以外の領域を走査し、その走査結果に基づき当該記録用ディスクの初期化がすでに済でいるか否かを判別する。
【０１４３】
その結果、ディスク制御部１０Ｇは、装置内部に装填されている記録用ディスクが未だ初期化されてはいない新品であると、番組データが未記録の記録用ディスクに番組データを記録するための前処理（以下、これを未記録用前処理とも呼ぶ）を実行する。
【０１４４】
この場合、ディスク制御部１０Ｇは、未記録用前処理として、まずドライブ制御部４０を介してドライブ４１を駆動制御して、記録用ディスクを初期化する。すなわち、ディスク制御部１０Ｇは、記録用ディスクのディスク他面においてディスク管理情報記録領域以外に、所定の情報を書き込むようにしてデータ記録領域とデータ管理情報記録領域とを確保する。
【０１４５】
因みに、記録用ディスクにおいてデータ記録領域は、実際に番組データ及び番組属性情報等を記録するための領域である。また記録用ディスクにおいてデータ管理情報記録領域は、データ記録領域に記録した番組データ及び番組属性情報等の記録位置や再生順序等の管理に利用するデータ管理情報を記録するための領域である。
【０１４６】
またディスク制御部１０Ｇは、記録用ディスクの初期化が完了すると、未記録用前処理として、引き続き記録用ディスクのディスク管理情報記録領域からディスク管理情報を読み出す。さらにディスク制御部１０Ｇは、記録用ディスクのデータ記録領域の容量を検出する。
【０１４７】
因みに、データ記録領域の容量は、そのデータ記録領域においてデータを全く記録してはいない状態で、データの記録に使用可能な領域部分全体の容量である。以下の説明では、データ記録領域の容量を、記録領域サイズとも呼ぶ。
【０１４８】
そしてディスク制御部１０Ｇは、ディスク管理情報を、記録領域サイズを示す記録領域サイズ情報、及び記録用ディスクが未だデータを記録してはいない未記録ディスク（新品）であることを示す未記録ディスク情報と共に画面生成制御部１０Ｅに送出する。
【０１４９】
またディスク制御部１０Ｇは、この際、ディスク管理情報を記録領域サイズ情報及び未記録ディスク情報と共に管理テーブル生成部１０Ｈにも送出して未記録用前処理を終了する。
【０１５０】
画面生成制御部１０Ｅは、ディスク制御部１０Ｇからディスク管理情報が記録領域サイズ情報及び未記録ディスク情報と共に与えられると、ＨＤＤ制御部１０Ｃを介してハードディスクドライブ１２から録画番組情報を読み出す。
【０１５１】
また画面生成制御部１０Ｅは、その録画番組情報をディスク管理情報、記録領域サイズ情報及び未記録ディスク情報と共に画面データ生成部１０Ｆに送出する。
【０１５２】
画面データ生成部１０Ｆは、画面生成制御部１０Ｅから与えられた録画番組情報、ディスク管理情報、記録領域サイズ情報及び未記録ディスク情報に基づき録画番組通知画面データを生成する。
【０１５３】
また画面データ生成部１０Ｆは、録画番組通知画面データを表示用にバス１１を介してメモリ３９に一時記憶する。このようにして画面生成制御部１０Ｅは、テレビジョン受像機２７のディスプレイに録画番組通知画面を表示する。
【０１５４】
これにより画面生成制御部１０Ｅは、ユーザに対し録画番組通知画面を介して、録画番組を通知し得ると共に、このとき装置内部に装填されている記録用ディスクが未記録ディスクであること、また、その種類を通知することができる。
【０１５５】
この際、画面生成制御部１０Ｅは、ユーザにより１つの記録番組（すなわち、記録対象の録画番組）が選択されると、当該選択された記録番組に対応する録画番組情報内のデータサイズを、記録領域サイズと比較する。
【０１５６】
また画面生成制御部１０Ｅは、ユーザにより複数の記録番組が順次選択されたときには、その都度、当該選択された記録番組に対応する録画番組情報内のデータサイズを加算すると共に、その加算結果と、記録領域サイズとを比較する。
【０１５７】
さらに画面生成制御部１０Ｅは、データサイズと記録領域サイズとの比較結果に応じて、画面データ生成部１０Ｆを制御して、録画番組通知画面データの内容を更新させる。これにより画面生成制御部１０Ｅは、例えば、ユーザに対し録画番組通知画面を介して、データサイズと記録領域サイズとの比較結果を通知する。
【０１５８】
このようにして画面生成制御部１０Ｅは、ユーザに対し、記録用ディスクに番組データを記録可能な範囲内で（すなわち、データ記録領域の記録領域サイズに応じて）、１又は複数の記録番組を任意に選択させることができる。
【０１５９】
そして画面生成制御部１０Ｅは、ユーザにより録画番組通知画面上で１又は複数の記録番組が選択されると、その記録番組の録画番組情報を管理テーブル生成部１０Ｈに送出する。
【０１６０】
管理テーブル生成部１０Ｈは、ディスク制御部１０Ｇからディスク管理情報及び記録領域サイズ情報と共に与えられた未記録ディスク情報により、この際、装置内部に装填されている記録用ディスクが未記録ディスクであることを認識する。
【０１６１】
また管理テーブル生成部１０Ｈは、画面生成制御部１０Ｅから録画番組情報が与えられると、ＨＤＤ制御部１０Ｃを介してハードディスクドライブ１２から、これに予め記憶されている辞書データを読み出す。この辞書データは、品詞のような単語属性情報が付された単語をリスト化して生成されている。
【０１６２】
この際、管理テーブル生成部１０Ｈは、辞書データに基づき、録画番組情報に含まれる番組タイトル、番組概要及び番組詳細の文字列（すなわち、テキストデータ）を形態素解析する。
【０１６３】
因みに、以下の説明では、録画番組情報に番組タイトルとして含まれている文字列を、タイトル文字列とも呼ぶ。また、以下の説明では、録画番組情報に番組概要として含まれている文字列を、概要文字列とも呼ぶ。さらに、以下の説明では、録画番組情報に番組詳細として含まれている文字列を、詳細文字列とも呼ぶ。
【０１６４】
これにより管理テーブル生成部１０Ｈは、タイトル文字列、概要文字列及び詳細文字列を形態素（すなわち、言語として意味を持つ最小単位）に分割すると共に、当該分割した形態素それぞれに単語属性情報を対応付ける。
【０１６５】
ここで、録画番組情報に含まれるタイトル文字列については、対応する記録番組の番組タイトルのみを示す場合もあるが、例えば、番組タイトルを表現する文字列の後に括弧でくくられたサブタイトルを示す文字列が付加されている場合もある。
【０１６６】
またタイトル文字列にサブタイトルを示す文字列が含まれていない場合には、概要文字列や詳細文字列に、サブタイトルを示す文字列が括弧でくくられて含まれている。
【０１６７】
このため管理テーブル生成部１０Ｈは、その形態素解析の結果に基づき、タイトル文字列の中に形態素として、文字列をくくる一対の括弧が存在するか否かを判別する。
【０１６８】
その結果、管理テーブル生成部１０Ｈは、タイトル文字例の中に、文字列をくくる一対の括弧が存在しないと、そのタイトル文字列を番組タイトルとして抽出する。
【０１６９】
そして管理テーブル生成部１０Ｈは、さらに形態素解析の結果に基づき、概要文字列や詳細文字列の中に形態素として、文字列をくくる一対の括弧が存在するか否かを判別する。
【０１７０】
その結果、管理テーブル生成部１０Ｈは、概要文字列又は詳細文字列の中に、文字列をくくる一対の括弧が存在すると、その概要文字列又は詳細文字列の中から、一対の括弧でくくられた部分を、サブタイトルとして抽出する。
【０１７１】
これに対して管理ケーブル生成部１０Ｈは、タイトル文字例の中に形態素として、文字列をくくる一対の括弧が存在すると、まず、そのタイトル文字列の中から、一対の括弧でくくられてはいない部分を番組タイトルとして抽出する。また管理テーブル生成部１０Ｈは、この際、タイトル文字列の中から、一対の括弧でくくられた部分を、サブタイトルとして抽出する。
【０１７２】
因みに、管理テーブル生成部１０Ｈは、例えば、事前のユーザ設定に応じてタイトル文字列の先頭部分から、予め選定された数文字、又は数単語を番組タイトルとして抽出することもできる。
【０１７３】
また管理テーブル生成部１０Ｈは、例えば、事前のユーザ設定に応じて、タイトル文字列の中から、名詞部分のみを番組タイトルとして抽出することもできる。
【０１７４】
さらに管理テーブル生成部１０Ｈは、予め、番組の正規の番組タイトルと、その番組タイトルの略称（以下、これをタイトル略称とも呼ぶ）とを変換するための変換テーブルを保持している。
【０１７５】
そして管理テーブル生成部１０Ｈは、事前のユーザ設定に応じて、タイトル文字列の中から、番組タイトルを抽出した場合、変換テーブルに従い、その番組タイトルをタイトル略称に変換することもできる。
【０１７６】
このようにして管理ケーブル生成部１０Ｈは、タイトル文字列、概要文字列及び詳細文字列の中から、番組タイトル及びサブタイトルを抽出する。
【０１７７】
また管理テーブル生成部１０Ｈは、例えば、録画番組情報から、これに含まれる放送日、大別ジャンル、詳細ジャンル、データサイズ等を抽出する。そして図４に示すように、管理テーブル生成部１０Ｈは、記録番組毎に、番組タイトル、サブタイトル、放送日、大別ジャンル、詳細ジャンル、データサイズをまとめて番組属性情報ＣＡ１及びＣＡ２を生成する。
【０１７８】
ところで、管理テーブル生成部１０Ｈは、上述したように、このとき未記録ディスク情報により、記録用ディスクが未記録ディスクであることを認識している。この状態で管理テーブル生成部１０Ｈは、番組属性情報ＣＡ１及びＣＡ２を生成すると、記録用ディスクに対する記録番組（すなわち、番組データ）の記録の履歴を管理するための記録履歴管理テーブルを生成する。
【０１７９】
実際、図５に示すように、管理テーブル生成部１０Ｈは、記録番組毎の番組属性情報ＣＡ３と、ディスク管理情報と、記録領域サイズ情報とに基づき記録履歴管理テーブルＰＣＴ１を生成する。因みに、記録履歴管理テーブルＰＣＴ１は、記録用ディスク毎に生成されるものである。
【０１８０】
この場合、記録履歴管理テーブルＰＣＴ１には、記録番組（番組データ）を記録する記録用ディスク（すなわち、このとき装置内部に装填されている記録用ディスク）の種類ＤＫ及びディスク識別情報ＤＩＤが格納されている。
【０１８１】
また記録履歴管理テーブルＰＣＴ１には、記録用ディスクのデータ記録領域の記録領域サイズを示すサイズ情報ＡＳも格納されている。さらに記録履歴管理テーブルＰＣＴ１には、記録番組毎の番組属性情報ＣＡ３がリスト化されて格納されている。
【０１８２】
さらにまた記録履歴管理テーブルＰＣＴ１には、当該記録履歴管理テーブルＰＣＴ１内で番組属性情報ＣＡ３を個別に識別可能な属性識別情報ＳＩＤも格納されている。
【０１８３】
因みに、属性識別情報ＳＩＤは、例えば今回、記録処理に用いられる記録用ディスクが、今回で何回目の記録処理に用いられるかを示す回数と、今回の記録処理で、対応する記録番組の選択された順番とを組み合わせて生成されている。
【０１８４】
すなわち、属性識別情報ＳＩＤは、今回の記録処理に用いられる記録用ディスクが、今回初めて記録処理に用いられ、また対応する記録番組がユーザにより３番目に選択されていると、「１−３」のように生成される。
【０１８５】
そして管理テーブル生成部１０Ｈは、このようにして記録履歴管理テーブルＰＣＴ１を生成すると、その記録履歴管理テーブルＰＣＴ１を印刷データ生成部１０Ｋに送出する。
【０１８６】
印刷データ生成部１０Ｋは、管理テーブル生成部１０Ｈから記録履歴管理テーブルＰＣＴ１が与えられると、その記録履歴管理テーブルＰＣＴ１内の番組属性情報ＣＡ３に基づき、当該番組属性情報ＣＡ３に対応する記録番組を分類する。
【０１８７】
この場合、印刷データ生成部１０Ｋは、例えば、記録番組を大別ジャンルで分類（すなわち、グループ化）する。その結果、印刷データ生成部１０Ｋは、複数の記録番組を例えば、２以上の大別ジャンルで分類し得ると、大別ジャンル毎に記録番組を、さらに番組タイトルで分類する。
【０１８８】
この際、印刷データ生成部１０Ｋは、同じ大別ジャンルの複数の記録番組において、番組タイトルの文字数が異なる記録番組については、互いに番組タイトルの異なるものであると判別する。
【０１８９】
また図６に示すように、印刷データ生成部１０Ｋは、同じ大別ジャンルの複数の記録番組のうち、番組タイトルの文字数の等しい記録番組については、互いの番組タイトルを文字マッチングの手法で比較する。すなわち、印刷データ生成部１０Ｋは、文字数の等しい番組タイトル同士について、その先頭から後尾にかけ、順次先頭から同じ位置の文字同士を比較する。
【０１９０】
その結果、印刷データ生成部１０Ｋは、互いに文字数の等しい番組タイトルの文字列が一致すると、互いに番組タイトルが一致する記録番組を、同じ番組タイトルの記録番組（例えば、連続ドラマの放送回の異なる個々の番組）であると判別する。
【０１９１】
また印刷データ生成部１０Ｋは、互いに文字数が等しい番組タイトルの文字列の中に１文字でも一致しない部分があると、互いに番組タイトルが一致しない記録番組を、異なる記録番組（例えば、異なる連続ドラマの番組）であると判別する。
【０１９２】
このようにして印刷データ生成部１０Ｋは、大別ジャンル毎の記録番組を、互いに番組タイトルが同じものと、他の記録番組の何れとも番組タイトルが異なるものとに分類する。
【０１９３】
また印刷データ生成部１０Ｋは、全ての記録番組の大別ジャンルが等しいと、これら記録番組をさらに詳細ジャンルで分類（すなわち、グループ化）する。そして印刷データ生成部１０Ｋは、詳細ジャンル毎の記録番組を、上述と同様にさらに番組タイトルで分類する。
【０１９４】
これにより印刷データ生成部１０Ｋは、詳細ジャンル毎の記録番組についても、互いに番組タイトルが同じものと、他の記録番組の何れとも番組タイトルが異なるものとに分類する。
【０１９５】
このようにして印刷データ生成部１０Ｋは、この際、ユーザに選択された全ての記録番組を分類すると、その分類結果と番組属性情報ＣＡ３とに基づき、これら記録番組を示す記録番組情報を生成する。
【０１９６】
ここで、記録番組情報は、後述するように記録用ディスクに対する記録番組の記録処理において、実際に記録用ディスクに記録番組（番組データ）を記録した後、当該記録用ディスクに記録した全ての記録番組を示すためにディスク一面に印刷される情報である。
【０１９７】
よって印刷データ生成部１０Ｋは、新品の記録用ディスクを用いる記録処理では、記録番組を分類すると、その記録番組を記録用ディスクに記録したものと見なして、これら記録番組を示す記録番組情報を生成する。
【０１９８】
実際に、印刷データ生成部１０Ｋは、記録番組情報として、記録番組を分類した大別ジャンルや詳細ジャンルを示す番組分類情報を生成する。また印刷データ生成部１０Ｋは、記録番組情報として、記録番組の番組タイトルやサブタイル、放送日等を、これら記録番組の分類結果に応じてジャンルや番組タイトルで分類して（ジャンル毎や番組タイトル毎にまとめて）示す番組詳細情報を生成する。
【０１９９】
ただし番組分類情報には、記録用ディスクに対する記録番組の記録開始年月を示す開始年月情報も含まれている。このため番組分類情報は、記録用ディスクがいつからどのようなジャンルの記録番組の記録に使用されているのかを教えることができる情報でもある。
【０２００】
さらに印刷データ生成部１０Ｋは、このとき記録履歴管理テーブルＰＣＴ１に基づき、記録番組を記録した記録用ディスクに関するディスク情報も生成する。このディスク情報は、記録用ディスクの種類や使用状況（以下、これをディスク使用状況とも呼ぶ）を示す情報であり、上述の記録番組情報と共にディスク一面に印刷される情報でもある。
【０２０１】
ここで、ディスク使用状況とは、記録用ディスクが記録処理に使用された回数や、記録処理毎のデータ記録領域全体に対する、番組データの記録された全ての領域部分の割合等のように記録用ディスクがどのように使用されているのかを示すものである。
【０２０２】
因みに、以下の説明では、データ記録領域において番組データの記録された全ての領域部分を、全記録使用領域部分とも呼ぶ。また、以下の説明では、データ記録領域全体に対する全記録使用領域部分の割合を、記録使用割合とも呼ぶ。
【０２０３】
実際に印刷データ生成部１０Ｋは、記録履歴管理テーブルＰＣＴ１に格納された属性識別情報ＳＩＤにより、記録用ディスクが記録処理に使用された回数を検出する。
【０２０４】
また印刷データ生成部１０Ｋは、記録処理毎に記録履歴管理テーブルＰＣＴ１内の記録領域サイズと、番組属性情報ＣＡ３に含まれるデータサイズの合計とにより、データ記録領域全体に対する全記録使用領域部分の記録使用割合を算出する。
【０２０５】
そして印刷データ生成部１０Ｋは、これら検出結果や算出結果に基づき、ディスク使用状況を示すディスク情報を生成している。
【０２０６】
ところで、ハードディスクドライブ１２には、ディスク一面への記録番組情報及びディスク情報の印刷に利用する複数種類の（すなわち、記録番組情報及びディスク情報の印刷レイアウトが異なる）印刷テンプレートが予め記憶されている。因みに、印刷テンプレートには、それぞれ当該印刷テンプレートを個別に識別可能なテンプレート識別情報が付加されている。
【０２０７】
図７（Ａ）乃至（Ｄ）に示すように、印刷テンプレートＰＴＰ１乃至ＰＴＰ４は、記録用ディスクのディスク一面の形状と同じドーナツ状に形成されている。
【０２０８】
また印刷テンプレートＰＴＰ１乃至ＰＴＰ４は、センタホールの周囲の４箇所のうち１箇所に、番組分類情報を印刷するための略四角形状の印刷領域ＣＰＡ１乃至ＣＰＡ４が設けられている。因みに、以下の説明では、番組分類情報を印刷するための印刷領域ＣＰＡ１乃至ＣＰＡ４を、分類情報印刷領域ＣＰＡ１乃至ＣＰＡ４とも呼ぶ。
【０２０９】
そして分類情報印刷領域ＣＰＡ１乃至ＣＰＡ４は、例えば、その大きさが当該分類情報印刷領域ＣＰＡ１乃至ＣＰＡ４の左上隅から右下隅にかけて複数行分の文字列を記述し得るように選定されている。
【０２１０】
また印刷テンプレートＰＴＰ１乃至ＰＴＰ４は、センタホールの周囲４箇所のうち残りの３箇所に、番組詳細情報を印刷するための略四角形状の印刷領域ＲＰＡ１乃至ＲＰＡ１２が設けられている。因みに、以下の説明では、番組詳細情報を印刷するための印刷領域ＲＰＡ１乃至ＲＰＡ１２を、詳細情報印刷領域ＲＰＡ１乃至ＲＰＡ１２とも呼ぶ。
【０２１１】
そして詳細情報印刷領域ＲＰＡ１乃至ＲＰＡ１２も、例えば、その大きさが当該詳細情報印刷領域ＲＰＡ１乃至ＲＰＡ１２の左上隅から右下隅にかけて複数行分の文字列を記述し得るように選定されている。
【０２１２】
さらに印刷テンプレートＰＴＰ１乃至ＰＴＰ４は、センタホールの周囲の所定箇所に、ディスク情報を印刷するための略四角形状の印刷領域ＤＰＡ１乃至ＤＰＡ４が設けられている。因みに、以下の説明では、ディスク情報を印刷するための印刷領域ＤＰＡ１乃至ＤＰＡ４を、ディスク情報印刷領域ＤＰＡ１乃至ＤＰＡ４とも呼ぶ。
【０２１３】
そしてディスク情報印刷領域ＤＰＡ１乃至ＤＰＡ４は、例えば、その大きさが当該ディスク情報印刷領域ＤＰＡ１乃至ＤＰＡ４の左上隅から右下隅にかけて複数行分の文字列や複数行にわたる図形等を記述し得るように選定されている。
【０２１４】
印刷テンプレートＰＴＰ１乃至ＰＴＰ４は、それぞれ分類情報印刷領域ＣＰＡ１乃至ＣＰＡ４や詳細情報印刷領域ＲＰＡ１乃至ＲＰＡ１２の形状及び位置関係が異なる。
【０２１５】
また印刷テンプレートＰＴＰ１乃至ＰＴＰ４は、それぞれ分類情報印刷領域ＣＰＡ１乃至ＣＰＡ４とディスク情報印刷領域ＤＰＡ１乃至ＤＰＡ４との位置関係も異なる。よって印刷テンプレートＰＴＰ１乃至ＰＴＰ４は、それぞれ異なる印刷レイアウトを実現し得るようになされている。
【０２１６】
印刷データ生成部１０Ｋは、記録番組情報及びディスク情報を生成すると、ＨＤＤ制御部１０Ｃを介してハードディスクドライブ１２から、例えば、無作為に１つの印刷テンプレートＰＴＰ１乃至ＰＴＰ４を選択して読み出す。
【０２１７】
この際、印刷データ生成部１０Ｋは、記録番組の分類結果に基づき、例えば、番組詳細情報の印刷形態（印刷レイアウト）を設定する。印刷データ生成部１０Ｋは、例えば、複数の記録番組を複数の大別ジャンルで分類していると、番組詳細情報を、大別ジャンル毎の記録番組を示す箇所に分けて、これらを異なる詳細情報印刷領域ＲＰＡ１乃至ＲＰＡ１２に印刷するような印刷形態に設定する。
【０２１８】
また印刷データ生成部１０Ｋは、例えば、複数の記録番組を複数の詳細ジャンルで分類していると、番組詳細情報を、詳細ジャンル毎の記録番組を示す箇所に分けて、これらを異なる詳細情報印刷領域ＲＰＡ１乃至ＲＰＡ１２に印刷するような印刷形態に設定する。
【０２１９】
ただし、印刷データ生成部１０Ｋは、ジャンル毎の記録番組を、さらに番組タイトルで分類していると、番組詳細情報においてジャンル毎の記録番組を示す箇所を、さらに番組タイトル毎の記録番組を示す箇所に分けて印刷するような印刷形態に詳細に設定する。
【０２２０】
因みに、以下の説明では、このように番組詳細情報を、大別ジャンル毎や詳細ジャンル毎の記録番組を示す箇所に分けて印刷するような印刷形態を、グループ別印刷形態とも呼ぶ。
【０２２１】
また印刷データ生成部１０Ｋは、全ての記録番組が同じ詳細ジャンルの場合、番組詳細情報を、記録番組の数に応じて適宜、１又は２以上の詳細情報印刷領域ＲＰＡ１乃至ＲＰＡ１２に分けて印刷するような印刷形態に設定する。
【０２２２】
ただし、印刷データ生成部１０Ｋは、この際、複数の記録番組を番組タイトルで分類し得ると、番組詳細情報を番組タイトル毎の記録番組を示す箇所に分けて、異なる詳細情報印刷領域ＲＰＡ１乃至ＲＰＡ１２に印刷するような印刷形態に詳細に設定する。
【０２２３】
因みに、以下の説明では、このように全て同じ詳細ジャンルの記録番組を示す番組詳細情報を、記録番組の数に応じて分けて、又は番組タイトル毎の記録番組を示す箇所に分けて印刷するような印刷形態を、単一ジャンル印刷形態とも呼ぶ。
【０２２４】
そして印刷データ生成部１０Ｋは、印刷形態に応じて印刷テンプレートＰＴＰ１乃至ＰＴＰ４の分類情報印刷領域ＣＰＡ１乃至ＣＰＡ４や詳細情報印刷領域ＲＰＡ１乃至ＲＰＡ１２に記録番組情報（番組分類情報及び番組詳細情報）を表現する文字列を記述する。
【０２２５】
また印刷データ生成部１０Ｋは、印刷テンプレートＰＴＰ１乃至ＰＴＰ４のディスク情報印刷領域ＤＰＡ１乃至ＤＰＡ４にディスク情報を表現する文字列や図形等を記述する。
【０２２６】
これにより印刷データ生成部１０Ｋは、記録用ディスクのディスク一面に記録番組情報及びディスク情報を、印刷テンプレートＰＴＰ１乃至ＰＴＰ４の印刷レイアウトで印刷するための印刷データを生成する。
【０２２７】
印刷データ生成部１０Ｋは、例えば、２つの大別ジャンルで分類し得た複数の記録番組それぞれを示す記録番組情報を、ディスク情報と共に印刷する場合、図８に示すような印刷内容の印刷データを生成する。
【０２２８】
この場合、印刷データには、印刷テンプレートＰＴＰ１の分類情報印刷領域ＣＰＡ１内で番組分類情報ＣＲ１を表現する文字列を印刷するように記述されている。
【０２２９】
実際に印刷データには、番組分類情報ＣＲ１として、記録用ディスクに対する記録番組の記録開始年月ＷＳ１を表現する文字列と、記録番組を分類した大別ジャンルＧＥ１を表現する文字列とを３行で印刷するように記述されている。
【０２３０】
また印刷データには、印刷テンプレートＰＴＰ１の詳細情報印刷領域ＲＰＡ１及びＲＰＡ３内で番組詳細情報ＰＩ１及びＰＩ２として大別ジャンル毎の記録番組を示す箇所を表現する文字列を印刷するように記述されている。
【０２３１】
実際に印刷データには、番組詳細情報ＰＩ１及びＰＩ２として、記録番組の番組タイトルＰＴ１を表現する文字列と記録番組毎の放送日ＢＤ１を表現する文字列とを複数行で印刷するように記述されている。
【０２３２】
また印刷データには、番組詳細情報ＰＩ１及びＰＩ２として、互いに同じ番組タイトルの複数の記録番組の放送日ＢＤ１を表現する文字列を、ぞの番組タイトルＰＴ１を表現する文字列に対応付けて印刷するようにも記述されている。
【０２３３】
さらに印刷データには、印刷テンプレートＰＴＰ１のディスク情報印刷領域ＤＰＡ１内でディスク情報ＤＲ１を表現する文字列及び図形等を印刷するように記述されている。
【０２３４】
実際に印刷データには、ディスク情報ＤＲ１として、記録用ディスクの種類ＫＤ１を表現する文字列と、記録用ディスクのディスク使用状況ＵＳ１を示す図形とを印刷するように記述されている。因みに、ディスク使用状況ＵＡ１を示す図形は、縦軸を記録使用割合とし、横軸を記録処理の回数として示す棒グラフとして形成されている。
【０２３５】
一方、印刷データ生成部１０Ｋは、例えば、全て同じ詳細ジャンルの複数の記録番組を示す記録番組情報を、ディスク情報と共に印刷する場合、図９に示すような印刷内容の印刷データを生成する。
【０２３６】
この場合、印刷データには、印刷テンプレートＰＴＰ２の分類情報印刷領域ＣＰＡ２内で番組分類情報ＣＲ２を表現する文字列を印刷するように記述されている。
【０２３７】
実際に印刷データには、番組分類情報ＣＲ２として、記録用ディスクに対する記録番組の記録開始年月ＷＳ２を表現する文字列と、記録番組が属する詳細ジャンルＧＥ２を表現する文字列とを２行で印刷するように記述されている。
【０２３８】
また印刷データには、印刷テンプレートＰＴＰ２の詳細情報印刷領域ＲＰＡ４乃至ＲＰＡ６内で番組詳細情報ＰＩ３乃至ＰＩ５として、番組タイトル毎の記録番組を示す箇所を表現する文字列を印刷するように記述されている。
【０２３９】
実際に印刷データには、番組詳細情報ＰＩ３乃至ＰＩ５として、互いに同じ番組タイトルの複数の記録番組の放送日ＢＤ２及びサブタイトルＳＴ１を表現する文字列のリストを、その番組タイトルＰＴ２を表現する文字列に対応付けて印刷するように記述されている。
【０２４０】
さらに印刷データには、印刷テンプレートＰＴＰ２のディスク情報印刷領域ＤＰＡ２内でディスク情報ＤＲ２を表現する文字列及び図形等を印刷するようにも記述されている。
【０２４１】
実際に印刷データには、ディスク情報ＤＲ２として、上述と同様構成の、記録用ディスクの種類ＫＤ２を表現する文字列と、記録用ディスクのディスク使用状況ＵＳ２を示す図形とを印刷するように記述されている。
【０２４２】
ところで、印刷テンプレートＰＴＰ１乃至ＰＴＰ４は、記録用ディスクのディスク一面が記録番組情報及びディスク情報の印刷用に例えば、２５６×２５６の領域に分割された場合の当該領域の位置を示す２次元座標を反映させて生成されている。
【０２４３】
よって印刷データは、印刷する文字の大きさ及びフォント、図形等の大きさ及び形状等と共に、これら文字や図形の印刷位置をディスク一面上の２次元座標（各領域の位置を示す２次元座標）で示している。
【０２４４】
図１０に示すように、印刷データ生成部１０Ｋは、印刷データを生成すると、印刷データ、印刷テンプレートＰＴＰ１乃至ＰＴＰ４、記録履歴管理テーブルＰＣＴ１に基づき、ディスク一面の印刷領域を管理するための印刷領域管理テーブルＡＣＴ１を生成する。因みに、印刷領域管理テーブルＡＣＴ１は、記録用ディスク毎に生成されるものである。
【０２４５】
この場合、印刷領域管理テーブルＡＣＴ１には、記録番組情報及びディスク情報の印刷に用いる記録用ディスクを識別可能なディスク識別情報ＤＩＤが格納されている。
【０２４６】
また印刷領域管理テーブルＡＣＴ１には、記録番組情報及びディスク情報の印刷に利用する印刷テンプレートＰＴＰ１乃至ＰＴＰ４を識別可能なテンプレート識別情報ＴＩＤも格納されている。
【０２４７】
さらに印刷領域管理テーブルＡＣＴ１には、記録番組情報の印刷形態を示す印刷形態情報ＰＦも格納されている。さらに印刷領域管理テーブルＡＣＴ１には、記録番組を印刷用に分類したジャンル（すなわち、番組分類情報ＣＲ１及びＣＲ２として印刷される大別ジャンルや詳細ジャンル）を示すジャンル情報ＧＰＧも格納されている。
【０２４８】
さらに印刷領域管理テーブルＡＣＴ１には、記録用ディスクへの記録番組情報及びディスク情報の印刷日を示す印刷日情報ＰＤも格納されている。さらに印刷領域管理テーブルＡＣＴ１には、分類情報印刷領域ＣＰＡ１乃至ＣＰＡ４、詳細情報印刷領域ＲＰＡ１乃至ＲＰＡ１２、ディスク情報印刷領域ＤＰＡ１乃至ＤＰＡ４毎の印刷残領域を２次元座標で示す印刷残領域情報ＰＳＡも格納されている。
【０２４９】
印刷残領域情報ＰＳＡは、記録番組情報及びディスク情報の印刷時に分類情報印刷領域ＣＰＡ１乃至ＣＰＡ４、詳細情報印刷領域ＲＰＡ１乃至ＲＰＡ１２、ディスク情報印刷領域ＤＰＡ１乃至ＤＰＡ４内で文字や図形が印刷されずに残った領域を示すものである。よって印刷残領域情報ＰＳＡは、記録用ディスクへの記録番組情報及びディスク情報の印刷日を示す印刷日情報ＰＤと関連付けられている。
【０２５０】
さらに印刷領域管理テーブルＡＣＴ１には、分類情報印刷領域ＣＰＡ１乃至ＣＰＡ４や詳細情報印刷領域ＲＰＡ１乃至ＲＰＡ１２毎に、印刷内容を詳細に示す印刷詳細情報ＰＭも格納されている。
【０２５１】
因みに、印刷詳細情報ＰＭは、大別ジャンルＧＥ１や詳細ジャンルＧＥ２、番組タイトルＰＴ１及びＰＴ２、放送日ＢＤ１及びＢＤ２、サブタイトルＳＴ１等の印刷対象毎の印刷範囲を２次元座標で示す印刷範囲情報ＰＰを有する。
【０２５２】
また印刷詳細情報ＰＭは、個々の印刷対象に関連する番組属性情報ＣＡ３の属性識別情報ＳＩＤも有する。そして印刷詳細情報ＰＭは、印刷対象毎に印刷範囲情報ＰＰと属性識別情報ＳＩＤとが対応付けられている。
【０２５３】
すなわち、印刷詳細情報ＰＭは、記録番組情報に含まれる印刷対象としての大別ジャンルＧＥ１や番組タイトルＰＴ１及びＰＴ２等が、どの記録番組に関するものであるのかを示し、またどこに印刷されているのかも示す情報である。
【０２５４】
このため印刷詳細情報ＰＭにおいて、何れか１つの記録番組のみを示すサブタイトルＳＴ１や放送日ＢＤ１及びＢＤ２等の印刷対象の印刷範囲情報ＰＰには、当該１つの記録番組の番組属性情報ＣＡ３の属性識別情報ＳＩＤのみが対応付けられる。
【０２５５】
また印刷詳細情報ＰＭにおいて、複数の記録番組を共通して示す大別ジャンルＧＥ１や番組タイトルＰＴ１及びＰＴ２等の１つの印刷対象の印刷範囲情報ＰＰには、当該複数の記録番組の番組属性情報ＣＡ３の複数の属性識別情報ＳＩＤが対応付けられる。
【０２５６】
印刷データ生成部１０Ｋは、印刷データと共に印刷領域管理テーブルＡＣＴ１を生成すると、その印刷データを画面生成制御部１０Ｅに送出する。画面生成制御部１０Ｅは、印刷データ生成部１０Ｋから印刷データが与えられると、その印刷データを画面データ生成部１０Ｆに送出する。
【０２５７】
画面データ生成部１０Ｆは、画面生成制御部１０Ｅから与えられた印刷データに基づき、記録番組情報及びディスク情報の印刷内容を事前（実際の印刷の前）に確認させるための印刷内容確認画面の印刷内容確認画面データを生成する。因みに、以下の説明では、印刷内容確認画面を、印刷プレビュ画面とも呼び、印刷内容確認画面データを、印刷プレビュ画面データとも呼ぶ。
【０２５８】
また画面データ生成部１０Ｆは、その印刷プレビュ画面データを表示用にバス１１を介してメモリ３９に一時記憶する。このようにして画面生成制御部１０Ｅは、テレビジョン受像機２７のディスプレイに印刷プレビュ画面データに基づき、図１１又は図１２に示すような印刷プレビュ画面５５又は５６を表示する。
【０２５９】
これにより画面生成制御部１０Ｅは、ユーザに対し印刷プレビュ画面５５又は５６を介して、記録番組情報及びディスク情報の印刷内容を事前に確認させることができる。
【０２６０】
ここで図１１に示す印刷プレビュ画面５５は、例えば、図８について上述した印刷データに基づき記録番組情報及びディスク情報を印刷する場合の印刷内容を示すものである。かかる印刷プレビュ画面５５は、中央部に記録用ディスクのディスク一面を模したドーナツ状のディスク一面画像５７が配置されている。
【０２６１】
また印刷プレビュ画面５５には、ディスク一面画像５７の下側に、記録用ディスクに対する記録番組（すなわち、番組データ）の記録と記録番組情報及びディスク情報の印刷とを了承するための了承ボタン５８が設けられている。
【０２６２】
さらに印刷プレビュ画面５５には、ディスク一面画像５７の下側に、記録用ディスクへの記録番組（番組データ）の記録を中止するための記録中止ボタン５９も設けられている。
【０２６３】
さらに印刷プレビュ画面５５には、ディスク一面画像５７の下側に、記録番組を変更する（選択し直す）ための番組変更ボタン６０も設けられている。さらにまた印刷プレビュ画面５５には、ディスク一面画像５７の下側に、印刷テンプレートＰＴＰ１乃至ＰＴＰ４を変更するためのテンプレート変更ボタン６１も設けられている。
【０２６４】
そしてディスク一面画像５７内には、中心部よりも左側の分類情報印刷領域ＣＰＡ１に相当する部分に番組分類情報ＣＲ１が表示されている。またディスク一面画像５７内には、中心部よりも上側や下側の詳細情報印刷領域ＲＰＡ１及びＲＰＡ３に相当する部分に番組詳細情報ＰＩ１及びＰＩ２が表示されている。
【０２６５】
さらにディスク一面画像５７内には、中心部よりも下側のディスク情報印刷領域ＤＰＡ１に相当する部分に、ディスク情報ＤＲ１が表示されている。
【０２６６】
一方、図１２に示す印刷プレビュ画面５６は、例えば、図９について上述した印刷データに基づき記録番組情報及びディスク情報を印刷する場合の印刷内容を示すものである。
【０２６７】
かかる印刷プレビュ画面５６は、上述の印刷プレビュ画面５５と同様に、中央部にディスク一面画像６２が配置されている。また印刷プレビュ画面５６には、ディスク一面画像６２の下側に、上述と同様に了承ボタン５８、番組変更ボタン５９及びテンプレート変更ボタン６０が設けられている。
【０２６８】
そしてディスク一面画像６２内には、中心部よりも上側の分類情報印刷領域ＣＰＡ２に相当する部分に番組分類情報ＣＲ２が表示されている。
【０２６９】
またディスク一面画像６２内には、中心部よりも左側や右側、下側の詳細情報印刷領域ＲＰＡ４乃至ＲＰＡ６に相当する部分にそれぞれ番組タイトル毎の１又は複数の記録番組を示す番組詳細情報ＰＩ３乃至ＰＩ５が表示されている。
【０２７０】
さらにディスク一面画像６２内には、中心部よりも上側のディスク情報印刷領域ＤＰＡ２に相当する部分に、ディスク情報ＤＲ２が表示されている。
【０２７１】
画面生成制御部１０Ｅは、ユーザによりリモコンＲＭを介して印刷プレビュ画面５５又は５６上で了承ボタン５８が指示され、記録番組の記録と記録番組情報及びディスク情報の印刷とが了承されると、その了承を管理テーブル生成部１０Ｈに通知する。
【０２７２】
管理テーブル生成部１０Ｈは、画面生成制御部１０Ｅから記録及び印刷の了承が通知されると、記録履歴管理テーブルＰＣＴ１をディスク制御部１０Ｇに送出する。
【０２７３】
これによりディスク制御部１０Ｇは、その記録履歴管理テーブルＰＣＴ１内の番組属性情報ＣＡ３に基づき、ＨＤＤ制御部１０Ｃを介してハードディスクドライブ１２から記録番組の番組データを読み出す。
【０２７４】
またディスク制御部１０Ｇは、記録履歴管理テーブルＰＣＴ１から記録番組毎の番組属性情報ＣＡ３及び属性識別情報ＳＩＤを抽出する。そしてディスク制御部１０Ｇは、記録番組毎の番組データを、対応する番組属性情報ＣＡ３及び属性識別情報ＳＩＤと共にバス１１を介してドライブ制御部４０に送出して、当該ドライブ制御部４０をデータ記録用に制御する。
【０２７５】
よってドライブ制御部４０は、このときディスク制御部１０Ｇの制御のもと、ドライブ４１を駆動制御する。これによりディスク制御部１０Ｇは、装置内部の記録用ディスクのデータ記録領域に対し記録番組毎に番組データと番組属性情報ＣＡ３及び属性識別情報ＳＩＤとを関連付けて記録する。
【０２７６】
またディスク制御部１０Ｇは、装置内部の記録用ディスクのデータ管理情報記録領域に、データ記録領域に記録した記録番組毎の番組データと、番組属性情報ＣＡ３及び属性識別情報ＳＩＤとの再生開始位置や再生順序等を示すデータ管理情報を記録する。
【０２７７】
このようにしてディスク制御部１０Ｇは、装置内部の記録用ディスクに対する記録番組毎の番組データと、番組属性情報ＣＡ３及び属性識別情報ＳＩＤとの記録が終了すると、当該記録の終了を画面生成制御部１０Ｅに通知する。
【０２７８】
画面生成制御部１０Ｅは、ディスク制御部１０Ｇから記録用ディスクへの番組データの記録の終了が通知されると、これに応じて画面データ生成部１０Ｆを制御する。
【０２７９】
この際、画面データ生成部１０Ｆは、記録用ディスクを再生専用ディスクとの互換性を高めるために、いわゆるファイナライズ処理、又はディスククローズ処理と呼ばれる最終互換処理を実行するか否かを問い合わせるための処理実行問合画面データを生成する。
【０２８０】
また画面データ生成部１０Ｆは、その処理実行問合画面データを表示用にバス１１を介してメモリ３９に一時記憶する。これにより画面生成制御部１０Ｅは、テレビジョン受像機２７のディスプレイに処理実行問合画面データに基づく処理実行問合画面を表示する。
【０２８１】
画面生成制御部１０Ｅは、このようにディスプレイに処理実行問合画面を表示した状態で、ユーザによりリモコンＲＭを介して、その処理実行問合画面上で、最終互換処理を実行しないように指示されると、その指示をディスク制御部１０Ｇに通知する。
【０２８２】
ディスク制御部１０Ｇは、画面生成制御部１０Ｅから記録用ディスクに対する最終互換処理を実行しないように指示されると、その記録用ディスクを印刷用に位置決めする。
【０２８３】
実際に上述のドライブ４１には、記録用ディスクをデータの記録用及び再生用に回転させるモータが設けられている。またドライブ４１には、記録用ディスクの半径方向に移動して、ディスク他面にデータの記録用及び再生用に光ビームを照射する光ピックアップも設けられている。
【０２８４】
ディスク制御部１０Ｇは、記録用ディスクの位置決め用に、ドライブ制御部４０を介してドライブ４１を駆動制御する。これによりディスク制御部１０Ｇは、記録用ディスクを格段的に遅い所定の回転速度で回転させながら、ディスク他面に光ビームを照射する。
【０２８５】
そしてディスク制御部１０Ｇは、ディスク他面に照射した光ビームにより例えば、データ記録領域の先頭位置を検出すると共に、当該先頭位置を検出したときに記録用ディスクの回転を直ちに停止させて、記録用ディスクを印刷用に位置決めする。
【０２８６】
このようにしてディスク制御部１０Ｇは、記録用ディスクのディスク一面に記録番組情報及びディスク情報を印刷するときには、その都度、記録用ディスクの回転を同一条件（データ記録領域の先頭位置の検出時点）で停止させる。
【０２８７】
これによりディスク制御部１０Ｇは、記録用ディスクへの追記や書き換えに応じて、例えば、ディスク一面に記録番組情報及びディスク情報を追加で印刷するような場合でも、記録用ディスクを、印刷用の文字の向きを合わせるように位置決めすることができる。
【０２８８】
ディスク制御部１０Ｇは、記録用ディスクを位置決めすると、位置決めの完了を印刷データ生成部１０Ｋに通知する。印刷データ生成部１０Ｋは、ディスク制御部１０Ｇから位置決めの完了が通知されると、印刷データを、バス１１を介してプリンタ制御部４２に送出して、当該プリンタ制御部４２を印刷用に制御する。よってプリンタ制御部４２は、このとき印刷データに基づきプリンタ４３を駆動制御する。
【０２８９】
これにより例えば、図１３に示すように、印刷データ生成部１０Ｋは、印刷データに基づき記録用ディスク６５のディスク一面６５Ａに、上述のディスク一面画像５７で示したような印刷レイアウトで記録番組情報及びディスク情報を印刷する。
【０２９０】
すなわち、印刷データ生成部１０Ｋは、記録用ディスク６５のディスク一面６５Ａに記録番組情報として番組分類情報ＣＲ１、番組詳細情報ＰＩ１及びＰＩ２を印刷すると共に、ディスク情報ＤＲ１を印刷する。
【０２９１】
また例えば、図１４に示すように、印刷データ生成部１０Ｋは、印刷データに基づき記録用ディスク６６のディスク一面６６Ａに、上述のディスク一面画像６２で示したような印刷レイアウトで記録番組情報及びディスク情報を印刷する。
【０２９２】
すなわち、印刷データ生成部１０Ｋは、記録用ディスク６６のディスク一面６６Ａに記録番組情報として番組分類情報ＣＲ２、番組詳細情報ＰＩ３乃至ＰＩ５を印刷すると共に、ディスク情報ＤＲ２も印刷する。
【０２９３】
印刷データ生成部１０Ｋは、記録用ディスク６５及び６６のディスク一面６５Ａ及び６６Ａへの記録番組情報及びディスク情報の印刷が終了すると、印刷領域管理テーブルＡＣＴ１を、ＨＤＤ制御部１０Ｃを介してハードディスクドライブ１２に送出して記憶する。
【０２９４】
これにより印刷データ生成部１０Ｋは、記録用ディスク６５及び６６毎のディスク一面６５Ａ及び６６Ａに対する記録番組情報及びディスク情報の印刷領域及び印刷残領域を、印刷領域管理テーブルＡＣＴ１によって管理することができる。
【０２９５】
また印刷データ生成部１０Ｋは、このとき印刷データも、ＨＤＤ制御部１０Ｃを介してハードディスクドライブ１２に送出する。これにより印刷データ生成部１０Ｋは、ハードディスクドライブ１２に、その印刷データを印刷領域管理テーブルＡＣＴ１と関連付けて記憶する。
【０２９６】
またディスク制御部１０Ｇは、例えば、記録用ディスクを位置決めすると、その位置決めの完了を管理テーブル生成部１０Ｈにも通知している。管理テーブル生成部１０Ｈは、ディスク制御部１０Ｇから位置決めの完了が通知されると、記録履歴管理テーブルＰＣＴ１を、ＨＤＤ制御部１０Ｃを介してハードディスクドライブ１２に送出して記憶する。
【０２９７】
これにより管理テーブル生成部１０Ｈは、記録用ディスクに対する番組データの記録の履歴を、記録履歴管理テーブルＰＣＴ１として保存することができる。
【０２９８】
ところで画面生成制御部１０Ｅは、上述したようにディスプレイに表示した処理実行問合画面上で、ユーザによりリモコンＲＭを介して最終互換処理を実行するように指示されると、その指示をディスク制御部１０Ｇに通知する。
【０２９９】
この際、ディスク制御部１０Ｇは、画面生成制御部１０Ｅからの指示に応じてダミーデータを、バス１１を介してドライブ制御部４０に送出する。またディスク制御部１０Ｇは、このとき再生専用ディスクと互換性を高めるためのデータ管理情報を生成する。
【０３００】
そしてディスク制御部１０Ｇは、そのデータ管理情報もバス１１を介してドライブ制御部４０に送出し、当該ドライブ制御部４０を最終互換処理用に制御する。よってドライブ制御部４０は、このときディスク制御部１０Ｇの制御のもと、ドライブ４１を駆動制御する。
【０３０１】
これによりディスク制御部１０Ｇは、装置内部の記録用ディスクのデータ記録領域において全ての未記録部分にダミーデータを記録する。またディスク制御部１０Ｇは、装置内部の記録用ディスクのデータ管理情報記録領域に、再生専用ディスクと互換性を高めるためのデータ管理情報を記録する。
【０３０２】
このようにしてディスク制御部１０Ｇは、記録用ディスクに対し最終互換処理を施し、その最終互換処理が終了すると、これを印刷データ生成部１０Ｋに通知する。
【０３０３】
印刷データ生成部１０Ｋは、ディスク制御部１０Ｇから最終互換処理の終了が通知されると、印刷データに、例えば、ディスク情報として、最終互換処理が施されたことを示す互換通知情報を追加して内容を修正する。
【０３０４】
またディスク制御部１０Ｇは、最終互換処理が終了すると、引き続き記録用ディスクを位置決めし、当該位置決めの完了を印刷データ生成部１０Ｋに通知する。
【０３０５】
よって印刷データ生成部１０Ｋは、ディスク制御部１０Ｋから位置決めの完了が通知されると、その時点までに内容を修正していた印刷データを、バス１１を介してプリンタ制御部４２に送出して、当該プリンタ制御部４２を印刷用に制御する。そしてプリンタ制御部４２は、このとき印刷データ生成部１０Ｋの制御のもと、プリンタ４３を駆動制御する。
【０３０６】
これにより例えば、図１５及び図１６に示すように、印刷データ生成部１０Ｋは、印刷データに基づきディスク一面６５Ａ及び６６Ａに、記録番組情報を印刷する。また印刷データ生成部１０Ｋは、印刷データに基づきディスク一面６５Ａ及び６６Ａに、互換通知情報ＦＮ１及びＦＮ２を表現する文字列を追加したディスク情報も印刷する。
【０３０７】
このようにして印刷データ生成部１０Ｋは、記録用ディスク６５及び６６について、ディスク一面６５Ａ及び６６Ａの印刷内容により、当該記録用ディスクに記録された記録番組と共に、最終互換処理が施されているか否かも確認させ得るようになされている。
【０３０８】
印刷データ生成部１０Ｋは、このようにして記録番組情報及びディスク情報の印刷が終了したときにも、ハードディスクドライブ１２に印刷領域管理テーブルＡＣＴ１と印刷データとを関連付けて記憶する。
【０３０９】
またディスク制御部１０Ｇは、最終互換処理が終了すると、当該最終互換処理の終了を管理テーブル生成部１０Ｈにも通知している。管理テーブル生成部１０Ｈは、ディスク制御部１０Ｇから最終互換処理の終了が通知されると、記録履歴管理テーブルＰＣＴ１に対し、最終互換処理の終了及び当該終了の日付を示す処理終了情報を追加して内容を修正する。
【０３１０】
また管理テーブル生成部１０Ｈは、その内容を修正した記録履歴管理テーブルＰＣＴ１を、ＨＤＤ制御部１０Ｃを介してハードディスクドライブ１２に送出して記憶する。
【０３１１】
ところで、画面生成制御部１０Ｅは、上述したようにディスプレイに印刷プレビュ画面５５及び５６を表示すると、その印刷プレビュ画面５５及び５６上で、記録中止ボタン５９や番組変更ボタン６０、テンプレート変更ボタン６１も指示させることができる。
【０３１２】
そして画面生成制御部１０Ｅは、ディスプレイに表示した印刷プレビュ画面５５及び５６上で、ユーザによりリモコンＲＭを介し記録中止ボタン５９が指示され、記録番組の記録の中止が指示されると、その指示を管理テーブル生成部１０Ｈに通知する。また画面生成制御部１０Ｅは、このとき、記録番組の記録の中止を印刷データ生成部１０Ｋにも通知する。
【０３１３】
管理テーブル生成部１０Ｈは、画面生成制御部１０Ｅから記録番組の記録の中止が通知されると、この際に生成していた記録履歴管理テーブルＰＣＴ１を破棄する。これにより管理テーブル生成部１０Ｈは、記録用ディスクに記録番組を記録しないようにする。
【０３１４】
また印刷データ生成部１０Ｋは、画面生成制御部１０Ｅから記録番組の記録の中止が通知されると、この際に生成していた印刷データと印刷領域管理テーブルＡＣＴ１とを破棄する。これにより印刷データ生成部１０Ｋは、記録用ディスクへの記録番組の記録の中止に応じてディスク一面への記録番組情報及びディスク情報の印刷も中止する。
【０３１５】
一方、画面生成制御部１０Ｅは、ユーザによりリモコンＲＭを介し印刷プレビュ画面５５及び５６上で番組変更ボタン６０が指示され、記録番組を変更するように要求されると、これを管理テーブル生成部１０Ｈに通知する。また画面生成制御部１０Ｅは、このとき記録番組を変更するように要求されたことを印刷データ生成部１０Ｋにも通知する。
【０３１６】
そして画面生成制御部１０Ｅは、再び上述と同様にハードディスクドライブ１２から録画番組情報を読み出し、画面データ生成部１０Ｆに当該録画番組情報に基づき録画番組通知画面データを生成させてディスプレイに録画番組通知画面を表示する。
【０３１７】
これにより画面生成制御部１０Ｅは、ユーザに録画番組通知画面上で改めて記録番組を選択させることができ、改めて選択された記録番組の録画番組情報を管理テーブル生成部１０Ｈに送出する。
【０３１８】
この際、管理テーブル生成部１０Ｈは、画面生成制御部１０Ｅから記録番組を変更するように要求されたことが通知されると、その際に生成していた記録履歴管理テーブルＰＣＴ１を一旦破棄する。
【０３１９】
そのうえで管理テーブル生成部１０Ｈは、画面生成制御部１０Ｅから改めて録画番組情報（ユーザにより改めて選択された記録番組の録画番組情報）が与えられることを待ち受ける。
【０３２０】
そして管理テーブル生成部１０Ｈは、画面生成制御部１０Ｅから改めて録画番組情報が与えられると、その録画番組情報に基づき改めて、上述と同様に記録番組毎の番組属性情報を生成すると共に、その番組属性情報を用いて記録履歴管理テーブルを生成する。また管理テーブル生成部１０Ｈは、改めて生成した記録履歴管理テーブルを印刷データ生成部１０Ｋに送出する。
【０３２１】
印刷データ生成部１０Ｋは、画面生成制御部１０Ｅから記録番組を変更するように要求されたことが通知されると、この際に生成していた印刷データと印刷領域管理テーブルＡＣＴ１とを一旦破棄する。そのうえで印刷データ生成部１０Ｋは、管理テーブル生成部１０Ｈから改めて記録履歴管理テーブルが与えられることを待ち受ける。
【０３２２】
そして印刷データ生成部１０Ｋは、管理テーブル生成部１０Ｈから改めて記録履歴管理テーブルが与えられると、上述と同様に記録番組を示す記録番組情報を生成すると共に、ディスク情報も生成し、さらに印刷データを生成する。また印刷データ生成部１０Ｋは、このとき上述と同様に印刷領域管理テーブルも生成する。
【０３２３】
そして画面生成制御部１０Ｅは、印刷データ生成部１０Ｋによって生成し直された印刷データに基づき、上述と同様に画面データ生成部１０Ｆにより印刷プレビュ画面データを生成させて、ディスプレイに印刷プレビュ画面を表示する。
【０３２４】
このようにして画面生成制御部１０Ｅは、ユーザにより記録番組が一旦は選択されても、記録番組を適宜変更させて、記録用ディスクに、新たに選択された記録番組の番組データを記録させることができる。
【０３２５】
また画面生成制御部１０Ｅは、記録番組が変更されて記録用ディスクに番組データが記録されたときには、当該記録用ディスクのディスク一面に、新たに生成した記録番組情報及びディスク情報を印刷させることができる。
【０３２６】
画面生成制御部１０Ｅは、ユーザによりリモコンＲＭを介し印刷プレビュ画面５５及び５６上でテンプレート変更ボタン６１が指示され、印刷テンプレートＰＴＰ１乃至ＰＴＰ４を変更するように要求されると、これを印刷データ生成部１０Ｋに通知する。
【０３２７】
印刷データ生成部１０Ｋは、画面生成制御部１０Ｅから印刷テンプレートＰＴＰ１乃至ＰＴＰ４を変更するように要求されたことが通知されると、この際に生成していた印刷データと印刷領域管理テーブルＡＣＴ１とを一旦破棄する。
【０３２８】
そのうえで印刷データ生成部１０Ｋは、ＨＤＤ制御部１０Ｃを介してハードディスクドライブ１２から、今回の印刷データの生成に利用してはいなかった残りの印刷テンプレートＰＴＰ１乃至ＰＴＰ４を全て読み出して画面生成制御部１０Ｅに送出する。
【０３２９】
因みに、以下の説明では、今回の印刷データの生成に未だ利用していなかった残りの印刷テンプレートＰＴＰ１乃至ＰＴＰ４を、残テンプレートＰＴＰ１乃至ＰＴＰ４とも呼ぶ。そして画面生成制御部１０Ｅは、印刷データ生成部１０Ｋから与えられた残テンプレートＰＴＰ１乃至ＰＴＰ４を画面生成用に画面データ生成部１０Ｆに送出する。
【０３３０】
画面データ生成部１０Ｆは、画面生成制御部１０Ｅから与えられた残テンプレートＰＴＰ１乃至ＰＴＰ４をもとに、これらの中から所望の残テンプレートＰＴＰ１乃至ＰＴＰ４を選択させるためのテンプレート選択画面データを生成する。また画面データ生成部１０Ｆは、そのテンプレート選択画面データを表示用にバス１１を介してメモリ３９に一時記憶する。
【０３３１】
これにより画面生成制御部１０Ｅは、テレビジョン受像機２７のディスプレイにテンプレート選択画面データに基づき、残テンプレートＰＴＰ１乃至ＰＴＰ４の一覧でなるテンプレート選択画面を表示する。
【０３３２】
よって画面生成制御部１０Ｅは、ユーザにテンプレート選択画面を介して残テンプレートＰＴＰ１乃至ＰＴＰ４を提示して、これら残テンプレートＰＴＰ１乃至ＰＴＰ４毎の印刷領域の違いを確認させることができる。
【０３３３】
そして画面生成制御部１０Ｅは、ユーザによりテンプレート選択画面上で、所望の残テンプレートＰＴＰ１乃至ＰＴＰ４が選択されると、当該選択された残テンプレートＰＴＰ１乃至ＰＴＰ４のテンプレート識別情報を印刷データ生成部１０Ｋに通知する。
【０３３４】
印刷データ生成部１０Ｋは、画面生成制御部１０Ｅからテンプレート識別情報が通知されると、ＨＤＤ制御部１０Ｃを介してハードディスクドライブ１２から当該テンプレート識別情報で識別される１つの印刷テンプレートＰＴＰ１乃至ＰＴＰ４を読み出す。
【０３３５】
また印刷データ生成部１０Ｋは、改めて上述と同様に印刷テンプレートＰＴＰ１乃至ＰＴＰ４を用いて記録番組情報及びディスク情報に基づき印刷データを生成する。さらに印刷データ生成部１０Ｋは、改めて上述と同様に印刷データ、印刷テンプレートＰＴＰ１乃至ＰＴＰ４、記録履歴管理テーブルＰＣＴ１に基づき印刷領域管理テーブルも生成する。
【０３３６】
そして画面生成制御部１０Ｅは、印刷データ生成部１０Ｋによって生成し直された印刷データに基づき、上述と同様に画面データ生成部１０Ｆにより印刷プレビュ画面データを生成させて、ディスプレイに印刷プレビュ画面を表示する。
【０３３７】
このようにして画面生成制御部１０Ｅは、無作為に選択された印刷テンプレートＰＴＰ１乃至ＰＴＰ４が用いられて一旦は印刷データが生成されても、その印刷テンプレートＰＴＰ１乃至ＰＴＰ４を適宜変更させて印刷データを生成し直させることができる。
【０３３８】
そして画面生成制御部１０Ｅは、記録番組が記録された記録用ディスクのディスク一面に、その変更された印刷テンプレートＰＴＰ１乃至ＰＴＰ４を利用して記録番組情報及びディスク情報を印刷させることができる。
【０３３９】
ところでディスク制御部１０Ｇは、番組記録モードが選択されたときに記録用ディスクの初期化がすでに済んでいるか否かを判別した結果、初期化が済んでいると、すでに番組データの記録されている記録用ディスクが、再び装置内部に装填されたと判別する。
【０３４０】
この場合、ディスク制御部１０Ｇは、すでに番組データが記録されている記録用ディスクにさらに番組データを記録するための前処理（以下、これを記録済用前処理とも呼ぶ）を実行する。
【０３４１】
ディスク制御部１０Ｇは、記録済用前処理を実行した場合、記録用ディスクを初期化はせずに、当該記録用ディスクからディスク管理情報を読み出す。またディスク制御部１０Ｇは、このとき記録用ディスクにおいて、すでに番組データの記録されているデータ記録領域の未記録部分の容量を検出する。
【０３４２】
因みに、データ記録領域の未記録部分の容量は、そのデータ記録領域において未だデータが記録されずに残っている空領域全体の容量である。以下の説明では、未記録部分の容量を、空領域サイズとも呼ぶ。
【０３４３】
そしてディスク制御部１０Ｇは、ディスク管理情報を、空領域サイズを示す空領域サイズ情報、及び記録用ディスクがすでにデータの記録されている記録済ディスクあることを示す記録済ディスク情報と共に画面生成制御部１０Ｅに送出する。またディスク制御部１０Ｇは、この際、ディスク管理情報を記録済ディスク情報と共に管理テーブル生成部１０Ｈにも送出して記録済用前処理を終了する。
【０３４４】
画面生成制御部１０Ｅは、ディスク制御部１０Ｇからディスク管理情報が空領域サイズ情報及び記録済ディスク情報と共に与えられると、ＨＤＤ制御部１０Ｃを介してハードディスクドライブ１２から録画番組情報を読み出す。
【０３４５】
また画面生成制御部１０Ｅは、その録画番組情報をディスク管理情報、空領域サイズ情報及び記録済ディスク情報と共に画面データ生成部１０Ｆに送出する。
【０３４６】
画面データ生成部１０Ｆは、画面生成制御部１０Ｅから与えられた録画番組情報、ディスク管理情報、空領域サイズ情報及び記録済ディスク情報に基づき録画番組通知画面データを生成する。また画面データ生成部１０Ｆは、その録画番組通知画面データを表示用にバス１１を介してメモリ３９に一時記憶する。
【０３４７】
このようにして画面生成制御部１０Ｅは、テレビジョン受像機２７のディスプレイに、上述した録画番組通知画面とほぼ同様に構成された録画番組通知画面を表示する。これにより画面生成制御部１０Ｅは、ユーザに対し録画番組通知画面を介して、録画番組を通知し得ると共に、このとき装置内部に装填されている記録用ディスクが記録済ディスクであること、また、その種類を通知することができる。
【０３４８】
そして画面生成制御部１０Ｅは、この際、ユーザにより記録番組が選択されると、上述と同様に、その選択された記録番組に対応するデータサイズを、空領域サイズと比較する。
【０３４９】
これにより画面生成制御部１０Ｅは、上述と同様にユーザに対し、記録用ディスクに番組データを記録可能な範囲内で、１又は複数の記録番組を任意に選択させることができる。
【０３５０】
因みに、以下の説明では、記録用ディスクに対する２回目以降の記録処理で選択される記録番組（すなわち、記録対象として選択される録画番組）を、特に追加番組とも呼ぶ。
【０３５１】
ところで画面生成制御部１０Ｅは、例えば、ユーザに対し録画番組通知画面上で、記録用ディスクにすでに記録されている記録番組を提示するように要求させることができる。因みに、以下の説明では、記録用ディスクにすでに記録されている記録番組を、特に記録済番組とも呼ぶ。
【０３５２】
そして画面生成制御部１０Ｅは、ユーザによりリモコンＲＭを介して録画番組通知画面上で、記録済番組の提示が要求されると、これをディスク制御部１０Ｇに通知する。
【０３５３】
ディスク制御部１０Ｇは、画面生成制御部１０Ｅから記録済番組の提示の要求が通知されると、ドライブ制御部４０を介してドライブ４１を駆動制御して、記録用ディスクから記録済番組毎の番組属性情報及び属性識別情報を読み出す。またディスク制御部１０Ｇは、その記録済番組毎の番組属性情報及び属性識別情報を画面生成制御部１０Ｅに送出する。
【０３５４】
画面生成制御部１０Ｅは、ディスク制御部１０Ｇから記録済番組毎の番組属性情報及び属性識別情報が与えられると、これを画面データ生成部１０Ｆに送出する。
【０３５５】
画面データ生成部１０Ｆは、その番組属性情報に基づき記録済番組を示す記録番組一覧画面データを生成する。また画面データ生成部１０Ｆは、その記録番組一覧画面データを表示用にバス１１を介してメモリ３９に送出して一時記憶する。
【０３５６】
これにより画面生成制御部１０Ｅは、テレビジョン受像機２７のディスプレイに、例えば録画番組通知画面に換えて又は録画番組通知画面と共に、記録番組一覧画面データに基づく記録番組一覧画面を表示する。
【０３５７】
画面生成制御部１０Ｅは、この際、ディスク管理情報に基づき、装置内部に装填されている記録用ディスクが、追記型ディスク及び書換型ディスクの何れであるかにより、記録番組一覧画面の構成をわずかに変更している。
【０３５８】
すなわち、画面生成制御部１０Ｅは、このとき装置内部に追記型ディスクが装填されていると、ユーザに対し、記録番組一覧画面により単に、その追記型ディスクにどのような記録済番組が記録されているのかを提示するにとどめる。
【０３５９】
これに対し画面生成制御部１０Ｅは、このとき装置内部に書換型ディスクが装填されていると、例えば、記録番組一覧画面内に消去ボタンを配置する。これにより画面生成制御部１０Ｅは、ユーザに対し記録番組一覧画面により、その書換型ディスクにどのような記録済番組が記録されているのかを確認させる。また画面生成制御部１０Ｅは、記録番組一覧画面上で消去対象の記録済番組を任意に選択させることもできる。
【０３６０】
すなわち、画面生成制御部１０Ｅは、書換型ディスクにすでに記録されている記録済番組の中で、消去する記録済番組を任意に選択させることができる。因みに、以下の説明では、記録用ディスクにすでに記録されている記録済番組の中で消去対象として選択された記録済番組を、特に消去番組とも呼ぶ。
【０３６１】
このようにして画面生成制御部１０Ｅは、ユーザにより録画番組通知画面上で１又は複数の追加番組が選択されると、その選択された追加番組の録画番組情報を管理テーブル生成部１０Ｈに送出する。
【０３６２】
また画面生成制御部１０Ｅは、この際、記録番組一覧画面上で１又は複数の消去番組が選択されると、その選択された消去番組の番組属性情報を識別可能な属性識別情報も管理テーブル生成部１０Ｈに送出する。
【０３６３】
ところで、管理テーブル生成部１０Ｈは、この際、ディスク制御部１０Ｇからディスク管理情報と共に与えられた記録済ディスク情報により、記録用ディスクが記録済ディスクであることを認識する。
【０３６４】
この場合、管理テーブル生成部１０Ｈは、ディスク管理情報からディスク識別情報を取り出す。また管理テーブル生成部１０Ｈは、そのディスク識別情報に基づき、ＨＤＤ制御部１０Ｃを介してハードディスクドライブ１２から、当該ディスク識別情報が格納された記録履歴管理テーブルＰＣＴ１を検索して読み出す。
【０３６５】
この状態で管理テーブル生成部１０Ｈは、例えば、ユーザにより追加番組のみが選択され、画面生成制御部１０Ｅから録画番組情報が与えられると、上述と同様に録画番組情報に基づき、当該追加番組毎の番組属性情報を生成する。
【０３６６】
また図１７に示すように、管理テーブル生成部１０Ｈは、記録履歴管理テーブルＰＣＴ１に、その追加番組毎の番組属性情報ＣＡ４をリスト化して追加して、当該記録履歴管理テーブルＰＣＴ２の内容を更新する。そして管理テーブル生成部１０Ｈは、内容を更新した記録履歴管理テーブルＰＣＴ２を印刷データ生成部１０Ｋに送出する。
【０３６７】
印刷データ生成部１０Ｋは、管理テーブル生成部１０Ｈから内容の更新された記録履歴管理テーブルＰＣＴ２が与えられると、その記録履歴管理テーブルＰＣＴ２からディスク識別情報ＤＩＤを取り出す。
【０３６８】
また印刷データ生成部１０Ｋは、そのディスク識別情報ＤＩＤに基づき、ＨＤＤ制御部１０Ｃを介してハードディスクドライブ１２から、当該ディスク識別情報ＤＩＤが格納された印刷領域管理テーブルＡＣＴ１を検索して読み出す。
【０３６９】
さらに印刷データ生成部１０Ｋは、印刷領域管理テーブルＡＣＴ１からジャンル情報ＧＰＧを取り出す。さらにまた印刷データ生成部１０Ｋは、記録履歴管理テーブルＰＣＴ２から記録済番組の番組属性情報ＣＡ３及び追加番組の番組属性情報ＣＡ４を取り出す。
【０３７０】
そして印刷データ生成部１０Ｋは、記録済番組の番組属性情報ＣＡ３及び追加番組の番組属性情報ＣＡ４とジャンル情報ＧＰＧとに基づき、当該追加番組を分類する。この場合、印刷データ生成部１０Ｋは、追加番組をジャンル情報ＧＰＧが示す大別ジャンルや詳細ジャンルで分類する。
【０３７１】
印刷データ生成部１０Ｋは、ジャンル情報ＧＰＧが示す大別ジャンル又は詳細ジャンルで分類し得る追加番組については、互いに同じ大別ジャンルや詳細ジャンルの記録済番組と共に上述と同様にして番組タイトルで分類する。
【０３７２】
これにより印刷データ生成部１０Ｋは、大別ジャンル毎や詳細ジャンル毎の記録済番組及び追加番組を、互いに番組タイトルが同じものと、他の記録済番組及び追加番組の何れとも番組タイトルが異なるものとに分類する。
【０３７３】
また印刷データ生成部１０Ｋは、ジャンル情報ＧＰＧが示す大別ジャンルや詳細ジャンルで分類し得ない追加番組については、これらのみで大別ジャンルや詳細ジャンルで分類する。
【０３７４】
因みに、印刷データ生成部１０Ｋは、記録済番組を大別ジャンルで分類している場合、追加番組も、分類レベルを合せて、記録済番組を分類し得た大別ジャンルとは異なる大別ジャンルで分類する。
【０３７５】
また印刷データ生成部１０Ｋは、記録済番組を詳細ジャンルで分類している場合、追加番組も、分類レベルを合せて、記録済番組を分類し得た詳細ジャンルとは異なる詳細ジャンルで分類する。
【０３７６】
そして印刷データ生成部１０Ｋは、ジャンル情報ＧＰＧが示す大別ジャンルや詳細ジャンルとは異なる大別ジャンルや詳細ジャンルで分類した追加番組についても、上述と同様に番組タイトルでも分類する。
【０３７７】
このようにして印刷データ生成部１０Ｋは、記録済番組の分類構造は崩さずに、追加番組を、その分類構造に加えるように分類する。すなわち、印刷データ生成部１０Ｋは、初回の記録処理ですでに設定した記録番組情報（すなわち、番組詳細情報）の印刷形態を極力変えないように、追加番組を追加で分類する。
【０３７８】
ところで、同一の記録用ディスクを用いる２回目以降の記録処理では、例えば、ユーザにより追加番組が選択されたとき、記録用ディスクに前回までの記録処理でユーザに選択された記録番組（記録済番組）がすでに記録されている。
【０３７９】
また、２回目以降の記録処理では、ユーザにより追加番組が選択されたとき、記録用ディスクのディスク一面に、前回までの記録処理で記録された記録済番組を示す記録番組情報がすでに印刷されている。
【０３８０】
ただし、記録番組情報は、上述したように記録処理において、実際に記録用ディスクに記録番組を記録した後、当該記録用ディスクに記録した全ての記録番組を示すためにディスク一面に印刷される情報である。
【０３８１】
よって、２回目以降の記録処理では、ディスク一面の記録番組情報により記録用ディスクに記録された全ての記録番組（記録済番組及び追加番組）を示すようにすると、前回印刷した記録情報に追加番組を示す内容を追加する必要がある。
【０３８２】
従って印刷データ生成部１０Ｋは、追加番組を分類すると、その追加番組を記録用ディスクに記録したものと見なして、その分類結果と追加番組の番組属性情報ＣＡ４とに基づき、追加番組を示す記録番組情報（番組分類情報や番組詳細情報）を生成する。
【０３８３】
実際に印刷データ生成部１０Ｋは、追加番組を記録済番組とは別の大別ジャンルや詳細ジャンルで分類した場合、その記録済番組とは別に分類した追加番組の大別ジャンルや詳細ジャンルのみを示す番組分類情報を追加印刷用に生成する。
【０３８４】
また印刷データ生成部８１Ｋは、全ての追加番組を記録済番組が同じ大別ジャンルや詳細ジャンルで分類した場合、追加番組の大別ジャンルや詳細ジャンルは、すでに記録済番組を示すものとして印刷されているため、番組分類情報を生成しない。
【０３８５】
さらに印刷データ生成部１０Ｋは、追加番組を記録済番組と同じ番組タイトルで分類した場合、追加番組の番組タイトルは、すでに記録済番組の番組タイトルとして印刷しているため、番組詳細情報からは除外する。
【０３８６】
ただし、追加番組については、その番組タイトルが記録済番組の番組タイトルと同じでも、当該追加番組の放送日やサブタイトルは、記録済番組の放送日やサブタイトルとは異なる。このため印刷データ生成部１０Ｋは、記録済番組と同じ番組タイトルの追加番組の放送日やサブタイトルについては番組詳細情報にする。
【０３８７】
さらに印刷データ生成部１０Ｋは、追加番組を記録済番組とは別の番組タイトルで分類した場合、当該追加番組の番組タイトルや放送日等を番組詳細情報にする。
【０３８８】
このようにして印刷データ生成部１０Ｋは、追加番組が選択された場合、その追加番組を示す番組分類情報及び番組詳細情報を、当該追加番組の記録に応じてディスク一面に追加で印刷する記録番組情報にする。
【０３８９】
また印刷データ生成部１０Ｋは、このとき記録履歴管理テーブルＰＣＴ２に基づき、追加番組の記録に応じてディスク一面に追加で印刷するためのディスク情報も生成する。実際に印刷データ生成部１０Ｋは、記録履歴管理テーブルＰＣＴ２に基づき、今回の記録処理の終了時点における記録使用割合を算出する。
【０３９０】
そして印刷データ生成部１０Ｋは、ディスク情報として、ディスク使用状況を示すグラフ内で、その算出結果を示すための線画（以下、これをグラフ内線画とも呼ぶ）を生成する。
【０３９１】
このようにして印刷データ生成部１０Ｋは、記録番組情報及びディスク情報を生成すると、記録履歴管理テーブルＰＣＴ２及び印刷領域管理テーブルＡＣＴ１に基づき、ディスク一面での記録番組情報及びディスク情報の印刷位置を特定する。
【０３９２】
実際に印刷データ生成部１０Ｋは、追加番組を記録済番組とは別の大別ジャンルや詳細ジャンルで分類した場合、印刷領域管理テーブルＡＣＴ１内の印刷残領域情報ＰＳＡに基づき番組分類情報の印刷位置を特定する。すなわち、印刷データ生成部１０Ｋは、分類情報印刷領域ＣＰＡ１乃至ＣＰＡ４で番組分類情報として、追加番組の大別ジャンルや詳細ジャンルを表現する文字列を印刷するための印刷位置を特定する。
【０３９３】
また印刷データ生成部１０Ｋは、追加番組を記録済番組と同じ番組タイトルで分類した場合、記録履歴管理テーブルＰＣＴ２と印刷領域管理テーブルＡＣＴ１内の印刷形態情報ＰＦ及び印刷詳細情報ＰＭとに基づき、その番組タイトルの印刷範囲を検出する。すなわち、印刷データ生成部１０Ｋは、詳細情報印刷領域ＲＰＡ１乃至ＲＰＡ１２で、追加番組の番組タイトルと同じ、記録済番組の番組タイトルの印刷範囲を検出する。
【０３９４】
そして印刷データ生成部１０Ｋは、その検出結果と印刷領域管理テーブルＡＣＴ１内の印刷残領域情報ＰＳＡとに基づき詳細情報印刷領域ＲＰＡ１乃至ＲＰＡ１２で、番組詳細情報（追加番組の放送日やサブタイトルを表現する文字列）の印刷位置を特定する。
【０３９５】
さらに印刷データ生成部１０Ｋは、追加番組を記録済番組とは別の番組タイトルで分類すると、印刷領域管理テーブルＡＣＴ１内の印刷形態情報ＰＦ及び印刷残領域情報ＰＳＡに基づき詳細情報印刷領域ＲＰＡ１乃至ＲＰＡ１２で番組詳細情報の印刷位置を特定する。すなわち、印刷データ生成部１０Ｋは、記録済番組とは別の番組タイトルで分類した追加番組の番組タイトルや放送日等を表現する文字列を印刷するための印刷位置を特定する。
【０３９６】
さらに印刷データ生成部１０Ｋは、印刷領域管理テーブルＡＣＴ１内の印刷残領域情報ＰＳＡに基づきディスク情報印刷領域ＤＰＡ２（すなわちディスク使用状況を示すグラフの図形内）で、ディスク情報（グラフ内線画）の印刷位置を特定する。
【０３９７】
このようにして印刷データ生成部１０Ｋは、追加番組の記録に応じて記録用ディスクのディスク一面に記録番組情報及びディスク情報を実際に追加印刷するための印刷位置を特定する。
【０３９８】
そして印刷データ生成部１０Ｋは、印刷領域管理テーブルＡＣＴ１からテンプレート識別情報ＴＩＤを抽出する。また印刷データ生成部１０Ｋは、そのテンプレート識別情報ＴＩＤに基づき、ＨＤＤ制御部１０Ｃを介してハードディスクドライブ１２から当該テンプレート識別情報ＴＩＤで識別される１つの印刷テンプレートＰＴＰ１乃至ＰＴＰ４を読み出す。
【０３９９】
これにより印刷データ生成部１０Ｋは、印刷テンプレートＰＴＰ１乃至ＰＴＰ４を用いて記録番組情報及びディスク情報と、その特定した印刷位置とに基づき例えば、図１８や図１９に示すような印刷内容の印刷データを生成する。
【０４００】
図１８に示す印刷データは、記録済番組とは別の大別ジャンルで分類した追加番組と、記録済番組と同じ大別ジャンル及び番組タイトルで分類した追加番組とを示す記録番組情報を、ディスク情報と共に追加で印刷するためのものである。
【０４０１】
この印刷データには、印刷テンプレートＰＴＰ１の分類情報印刷領域ＣＰＡ１内で、追加番組（記録済番組とは別の大別ジャンルで分類した追加番組）の大別ジャンルＧＥ３を表現する文字列のみを印刷するように記述されている。
【０４０２】
また印刷データには、印刷テンプレートＰＴＰ１の詳細情報印刷領域ＲＰＡ２内で番組詳細情報ＰＩ６の、記録済番組とは異なる追加番組を示す箇所を印刷するように記述されている。実際に印刷データには、番組詳細情報ＰＩ６として、記録済番組とは異なる番組タイトルで分類した追加番組の当該番組タイトルＰＴ３を表現する文字列及び放送日ＢＤ３を表現する文字列を印刷するように記述されている。
【０４０３】
さらに印刷データには、印刷テンプレートＰＴＰ１の詳細情報印刷領域ＲＰＡ１及びＲＰＡ３内で番組詳細情報ＰＩ７の、記録済番組と同じ番組タイトルで分類した追加番組を示す箇所を印刷するようにも記述されている。実際に印刷データには、番組詳細情報ＰＩ７として、記録済番組と同じ番組タイトルで分類した追加番組の放送日ＢＤ４を表現する文字列を印刷するように記述されている。
【０４０４】
さらに印刷データには、印刷テンプレートＰＴＰ１のディスク情報印刷領域ＤＰＡ１内で、ディスク情報としてのグラフ内線画ＧＰ１のみを印刷するようにも記述されている。
【０４０５】
一方、図１９に示す印刷データは、記録済番組と同じ詳細ジャンルや番組タイトルで分類した追加番組を示す記録番組情報を、ディスク情報と共に追加で印刷するためのものである。
【０４０６】
この印刷データには、印刷テンプレートＰＴＰ２の詳細情報印刷領域ＲＰＡ４及びＲＰＡ５内で番組詳細情報ＰＩ８の、記録済番組と同じ番組タイトルで分類した追加番組を示す箇所を印刷するように記述されている。実際に印刷データには、番組詳細情報ＰＩ８として、追加番組の放送日ＢＤ５を表現する文字列及びサブタイトルＳＴ２を表現する文字列を印刷するように記述されている。
【０４０７】
また印刷データには、印刷テンプレートＰＴＰ１の詳細情報印刷領域ＲＰＡ５内で別の追加番組を示す番組詳細情報ＰＩ９も印刷するように記述されている。因みに、かかる番組詳細情報ＰＩ９は、記録済番組とは別の番組タイトルで分類した追加番組の番組タイトルＰＴ４、放送日ＢＤ６及びサブタイトルＳＴ３各々を表現する文字列から構成されている。
【０４０８】
さらに印刷データには、印刷テンプレートＰＴＰ２のディスク情報印刷領域ＤＰＡ２内で、ディスク情報としてグラフ内線画ＧＰ２のみを印刷するようにも記述されている。
【０４０９】
印刷データ生成部１０Ｋは、このようにして印刷データを生成すると、その印刷データ、印刷テンプレートＰＴＰ１乃至ＰＴＰ４、記録履歴管理テーブルＰＣＴ２に基づき、印刷領域管理テーブルＡＣＴ１の内容を更新する。
【０４１０】
この場合、図２０に示すように、内容を更新した印刷領域管理テーブルＡＣＴ２には、今回の記録用ディスクへの記録番組情報及びディスク情報の印刷日を示す印刷日情報ＰＤが追加で格納されている。
【０４１１】
また印刷領域管理テーブルＡＣＴ２には、分類情報印刷領域ＣＰＡ１乃至ＣＰＡ４、詳細情報印刷領域ＲＰＡ１乃至ＲＰＡ１２、ディスク情報印刷領域ＤＰＡ１乃至ＤＰＡ４毎の印刷残領域情報ＰＳＡが更新され追加されている。
【０４１２】
因みに、今回、印刷領域管理テーブルＡＣＴ２に追加される印刷残領域情報ＰＳＡは、今回の印刷日を示す印刷日情報ＰＤに関連付けられている。さらに印刷領域管理テーブルＡＣＴ２には、分類情報印刷領域ＣＰＡ１乃至ＣＰＡ４や詳細情報印刷領域ＲＰＡ１乃至ＲＰＡ１２毎に印刷詳細情報ＰＭも更新され追加されている。
【０４１３】
印刷データ生成部１０Ｋは、印刷データを生成し、印刷領域管理テーブルＡＣＴ２を更新すると、ＨＤＤ制御部１０Ｃを介してハードディスクドライブ１２から、更新前の印刷領域管理テーブルＡＣＴ１に関連付けていた全ての使用済みの印刷データを読み出す。
【０４１４】
因みに、以下の説明では、今回新たに生成した印刷データを新規印刷データとも呼び、使用済みの印刷データを使用済印刷データとも呼ぶ。そして印刷データ生成部１０Ｋは、新規印刷データを全ての使用済印刷データと共に画面生成制御部１０Ｅに送出する。
【０４１５】
画面生成制御部１０Ｅは、印刷データ生成部１０Ｋから新規印刷データ及び使用済印刷データが与えられると、その新規印刷データ及び使用済印刷データを画面データ生成部１０Ｆに送出する。画面データ生成部１０Ｆは、この際、画面生成制御部１０Ｅから与えられた新規印刷データ及び使用済印刷データを合成して合成印刷データを生成する。
【０４１６】
また画面データ生成部１０Ｆは、その合成印刷データに基づき印刷プレビュ画面データを生成する。さらに画面データ生成部１０Ｆは、その印刷プレビュ画面データを表示用にバス１１を介してメモリ３９に一時記憶する。
【０４１７】
このようにして画面生成制御部１０Ｅは、テレビジョン受像機２７のディスプレイに印刷プレビュ画面データに基づき、図２１又は図２２に示すような印刷プレビュ画面７０又は７１を表示する。
【０４１８】
ここで図２１に示す印刷プレビュ画面７０は、図１８について上述した新規印刷データと、図８について上述した使用済印刷データとを合成して用いて生成されたものである。すなわち、図２１に示す印刷プレビュ画面７０は、図１１について上述した印刷プレビュ画面５５の内容を、新規印刷データに基づいて更新した内容になっている。
【０４１９】
また図２２に示す印刷プレビュ画面７１は、図１９について上述した新規印刷データと、図９について上述した使用済印刷データとを合成して用いて生成されたものである。すなわち、図２２に示す印刷プレビュ画面７１は、図１２について上述した印刷プレビュ画面５６の内容を、新規印刷データに基づいて更新した内容になっている。
【０４２０】
そして印刷プレビュ画面７０及び７１は、例えば、使用済印刷データを用いて記録用ディスクのディスク一面にすでに印刷されている部分の表示色と、今回、新規印刷データを用いてディスク一面に新たに印刷する部分の表示色とが異なる色に選定されている。
【０４２１】
よって画面生成制御部１０Ｅは、ユーザに対し印刷プレビュ画面７０又は７１を介して、追加印刷用の記録番組情報及びディスク情報の印刷内容を、すでに印刷されている記録番組情報及びディスク情報の印刷内容と合せて事前に確認させることができる。
【０４２２】
すなわち、画面生成制御部１０Ｅは、記録用ディスクのディスク一面に記録番組情報及びディスク情報を追加で印刷した場合、そのディスク一面全体の印刷内容がどのように変化するのかを事前に確認させることができる。
【０４２３】
ところで印刷プレビュ画面７０及び７１には、上述と同様の了承ボタン５８、記録中止ボタン５９及び番組変更ボタン６０が設けられている。画面生成制御部１０Ｅは、ユーザにより印刷プレビュ画面７０又は７１上で了承ボタン５８が指示され、追加番組の記録と記録番組情報及びディスク情報の追加の印刷とが了承されると、その了承を上述と同様に管理テーブル生成部１０Ｈに通知する。
【０４２４】
管理テーブル生成部１０Ｈは、画面生成制御部１０Ｅから記録及び印刷の了承が通知されると、内容を更新している記録履歴管理テーブルＰＣＴ２をディスク制御部１０Ｇに送出する。
【０４２５】
これによりディスク制御部１０Ｇは、その記録履歴管理テーブルＰＣＴ２内の番組属性情報ＣＡ４に基づき、ＨＤＤ制御部１０Ｃを介してハードディスクドライブ１２から追加番組の番組データを読み出す。
【０４２６】
またディスク制御部１０Ｇは、記録履歴管理テーブルＰＣＴ２から追加番組毎の番組属性情報ＣＡ４及び属性識別情報ＳＩＤを抽出する。そしてディスク制御部１０Ｇは、追加番組毎に番組データを、対応する番組属性情報ＣＡ４及び属性識別情報ＳＩＤと共にバス１１を介してドライブ制御部４０に送出して、当該ドライブ制御部４０をデータ記録用に制御する。
【０４２７】
よってドライブ制御部４０は、このときディスク制御部１０Ｇの制御のもと、ドライブ４１を駆動制御する。これによりディスク制御部１０Ｇは、装置内部の記録用ディスクのデータ記録領域に対し追加番組毎に番組データと、番組属性情報ＣＡ４及び属性識別情報ＳＩＤとを関連付けて記録する。
【０４２８】
またディスク制御部１０Ｇは、装置内部の記録用ディスクのデータ管理情報記録領域に、データ記録領域に記録した追加番組毎の番組データと、番組属性情報ＣＡ４及び属性識別情報ＳＩＤとの再生開始位置や再生順序等を示すデータ管理情報を記録する。
【０４２９】
このようにしてディスク制御部１０Ｇは、装置内部の記録用ディスクに対する追加番組毎の番組データと、番組属性情報ＣＡ４及び属性識別情報ＳＩＤとの記録が終了すると、当該記録の終了を画面生成制御部１０Ｅに通知する。
【０４３０】
画面生成制御部１０Ｅは、ディスク制御部１０Ｇから記録用ディスクへの番組データの記録の終了が通知されると、これに応じて画面データ生成部１０Ｆを制御して、上述と同様にディスプレイに処理実行問合画面を表示する。これにより画面生成制御部１０Ｅは、ユーザに対し処理実行問合画面上で上述と同様に、最終互換処理の実行の有無を指示させることができる。
【０４３１】
よってディスク制御部１０Ｇ、この際も上述と同様にユーザの指示に応じて、記録用ディスクに対する最終互換処理を実行した後、又は実行せずに、当該記録用ディスクを印刷用に位置決めする。またディスク制御部１０Ｇは、記録用ディスクを位置決めすると、その位置決めの完了を印刷データ生成部１０Ｋに通知する。
【０４３２】
印刷データ生成部１０Ｋは、ディスク制御部１０Ｇから位置決めの完了が通知されると、新規印刷データを、バス１１を介してプリンタ制御部４２に送出して、当該プリンタ制御部４２を印刷用に制御する。これによりプリンタ制御部４２は、このとき印刷データ生成部１０Ｋの制御のもと、プリンタ４３を駆動制御する。
【０４３３】
よって例えば、図１３との対応部分に同一符号を示した図２３に示すように、印刷データ生成部１０Ｋは、図１８について上述した新規印刷データに基づき記録用ディスク６５のディスク一面６５Ａに記録番組情報及びディスク情報を追加で印刷する。
【０４３４】
また例えば、図１４との対応部分に同一符号を付した図２４に示すように、印刷データ生成部１０Ｋは、図１９について上述した新規印刷データに基づき記録用ディスク６６のディスク一面６６Ａに記録番組情報及びディスク情報を追加で印刷する。
【０４３５】
因みに、印刷データ生成部１０Ｋは、記録用ディスクに最終互換処理が施されていると、上述と同様に新規印刷データを、互換通知情報を追加して修正する。そのうえで印刷データ生成部１０Ｋは、その修正した印刷データに基づき、記録用ディスク６５及び６６のディスク一面６５Ａ及び６６Ａに記録番組情報及びディスク情報を追加で印刷する。
【０４３６】
このようにして印刷データ生成部１０Ｋは、記録用ディスクのディスク一面に当該記録用ディスクに記録された全ての記録番組（記録済番組及び追加番組）を示す記録番組情報を印刷することができる。
【０４３７】
印刷データ生成部１０Ｋは、記録番組情報及びディスク情報の印刷が終了すると、印刷領域管理テーブルＡＣＴ２を、ＨＤＤ制御部１０Ｃを介してハードディスクドライブ１２に送出して記憶する。
【０４３８】
また印刷データ生成部１０Ｋは、このとき新規印刷データを、ＨＤＤ制御部１０Ｃを介してハードディスクドライブ１２に送出して、印刷領域管理テーブルＡＣＴ２に関連付けて記憶する。
【０４３９】
一方、管理テーブル生成部１０Ｈは、ディスク制御部１０Ｇから番組データの記録の終了が通知されると、これに応じて記録履歴管理テーブルＰＣＴ２を、ＨＤＤ制御部１０Ｃを介してハードディスクドライブ１２に送出して記憶する。
【０４４０】
因みに、管理テーブル生成部１０Ｈは、この際、記録用ディスクに最終互換処理が施されると、上述と同様に記録履歴管理テーブルＰＣＴ２を、処理終了情報を追加して修正したうえで、ハードディスクドライブ１２に記憶する。
【０４４１】
ところで、画面生成制御部１０Ｅは、上述したようにディスプレイに表示した印刷プレビュ画面７０及び７１上で記録中止ボタン５９が指示され、追加番組の記録の中止が指示されると、その指示を管理テーブル生成部１０Ｈに通知する。また画面生成制御部１０Ｅは、このとき、追加番組の記録の中止を印刷データ生成部１０Ｋにも通知する。
【０４４２】
管理テーブル生成部１０Ｈは、画面生成制御部１０Ｅから追加番組の記録の中止が通知されると、この際、追加番組用に生成していた番組属性情報ＣＡ４を破棄して記録履歴管理テーブルＰＣＴ２を更新前の内容に戻す。これにより管理テーブル生成部１０Ｈは、記録用ディスクに追加番組を記録しないようにしている。
【０４４３】
また印刷データ生成部１０Ｋは、画面生成制御部１０Ｅから追加番組の記録の中止が通知されると、この際に生成していた新規印刷データを破棄すると共に、印刷領域管理テーブルＡＣＴ２を更新前の内容に戻す。これにより印刷データ生成部１０Ｋは、記録用ディスクへの追加番組の記録の中止に応じてディスク一面への記録番組情報及びディスク情報の印刷を中止する。
【０４４４】
一方、画面生成制御部１０Ｅは、ユーザによりリモコンＲＭを介し印刷プレビュ画面５５及び５６上で番組変更ボタン６０が指示され、追加番組を変更するように要求されると、これを管理テーブル生成部１０Ｈに通知する。また画面生成制御部１０Ｅは、このとき追加番組を変更するように要求されたことを印刷データ生成部１０Ｋにも通知する。
【０４４５】
そして画面生成制御部１０Ｅは、再び上述と同様にハードディスクドライブ１２から録画番組情報を読み出し、画面データ生成部１０Ｆに制御してディスプレイに録画番組通知画面を表示する。
【０４４６】
これにより画面生成制御部１０Ｅは、ユーザに録画番組通知画面上で改めて追加番組を選択させることができ、改めて選択された追加番組の録画番組情報を管理テーブル生成部１０Ｈに送出する。
【０４４７】
この際、管理テーブル生成部１０Ｈは、画面生成制御部１０Ｅから追加番組を変更するように要求されたことが通知されると、この際、追加番組用に生成していた番組属性情報ＣＡ４を一旦破棄して記録履歴管理テーブルＰＣＴ２を更新前の内容に戻す。
【０４４８】
そのうえで管理テーブル生成部１０Ｈは、画面生成制御部１０Ｅから改めて録画番組情報が与えられると、その録画番組情報に基づき再度、上述と同様に追加番組の番組属性情報ＣＡ４を生成すると共に、これに応じて記録履歴管理テーブルの内容を更新する。そして管理テーブル生成部１０Ｈは、その改めて内容を更新した記録履歴管理テーブルを印刷データ生成部１０Ｋに送出する。
【０４４９】
また印刷データ生成部１０Ｋは、画面生成制御部１０Ｅから録画番組を変更するように要求されたことが通知されると、この際に生成していた新規印刷データを破棄すると共に、印刷領域管理テーブルＡＣＴ２を更新前の内容に戻す。そのうえで印刷データ生成部１０Ｋは、管理テーブル生成部１０Ｈから新たな記録履歴管理テーブルが与えられると、改めて上述と同様に新規印刷データを生成する。また印刷データ生成部１０Ｋは、新規印刷データを生成すると、改めて上述と同様に印刷領域管理テーブルの内容を更新する。
【０４５０】
そして画面生成制御部１０Ｅは、印刷データ生成部１０Ｋによって生成し直された新規印刷データを使用済印刷データと共に用いて、上述と同様に画面データ生成部１０Ｆにより印刷プレビュ画面データを生成させて、ディスプレイに印刷プレビュ画面を表示する。
【０４５１】
このようにして画面生成制御部１０Ｅは、ユーザにより追加番組が一旦は選択されても、追加番組を適宜変更させて、記録用ディスクに、新たに選択された追加番組の番組データを記録させることができる。
【０４５２】
また画面生成制御部１０Ｅは、追加番組が変更されて記録用ディスクに番組データが記録されたときには、当該記録用ディスクのディスク一面に、その新たに選択された追加番組を示す記録番組情報を、ディスク情報と共に追加で印刷させることができる。
【０４５３】
因みに、画面生成制御部１０Ｅは、記録用ディスクに対する２回目以降の記録処理時には、印刷テンプレートＰＴＰ１乃至ＰＴＰ４の変更を要求し得ないようにして、初回に使用された印刷テンプレートＰＴＰ１乃至ＰＴＰ４を継続して使用させるようにしている。
【０４５４】
これにより画面生成制御部１０Ｅは、２回目以降の記録処理時に、印刷テンプレートＰＴＰ１乃至ＰＴＰ４の変更に伴いディスク一面の印刷残領域が変更され、記録番組情報及びディスク情報を追加で印刷し難くなることを未然に回避している。
【０４５５】
ところで、管理テーブル生成部１０Ｈは、ユーザにより追加番組及び消去番組が選択され、画面生成制御部１０Ｅから録画番組情報及び属性識別情報が与えられると、上述と同様に録画番組情報をもとに追加番組の番組属性情報ＣＡ４を生成する。
【０４５６】
そして図２５に示すように、管理テーブル生成部１０Ｈは、記録履歴管理テーブルＰＣＴ３に、その追加番組の番組属性情報ＣＡ４を追加する。また管理テーブル生成部１０Ｈは、記録履歴管理テーブルＰＣＴ３内で、消去番組に対応する属性識別情報ＳＩＤで識別される番組属性情報ＣＡ５を検索する。
【０４５７】
さらに管理テーブル生成部１０Ｈは、記録履歴管理テーブルＰＣＴ３において、その検索した番組属性情報ＣＡ５に、消去を示す番組消去情報（図示せず）を付加する。このようにして管理テーブル生成部１０Ｈは、記録履歴管理テーブルＰＣＴ３の内容を更新すると、当該内容を更新した記録履歴管理テーブルＰＣＴ３を印刷データ生成部１０Ｋに送出する。
【０４５８】
印刷データ生成部１０Ｋは、管理テーブル生成部１０Ｈから記録履歴管理テーブルＰＣＴ３が与えられると、上述と同様に記録履歴管理テーブルＰＣＴ３内のディスク識別情報に基づきハードディスクドライブ１２から印刷領域管理テーブルＡＣＴ２を読み出す。
【０４５９】
そして印刷データ生成部１０Ｋは、上述と同様に印刷領域管理テーブルＡＣＴ２内のジャンル情報ＧＰＧと、記録済番組の番組属性情報ＣＡ３及び追加番組の番組属性情報ＣＡ４とに基づき、当該追加番組を分類する。
【０４６０】
ところで、同一の記録用ディスクを用いる２回目以降の記録処理では、例えば、ユーザにより追加番組と共に消去番組が選択されたとき、記録用ディスクに前回までの記録処理でユーザに選択された記録番組（消去番組を含む記録済番組）が記録されている。
【０４６１】
そして、２回目以降の記録処理では、ユーザにより追加番組と共に消去番組が選択されたとき、記録用ディスクのディスク一面に、前回までの記録処理で記録された記録済番組（消去番組を含む）を示す記録番組情報がすでに印刷されている。
【０４６２】
ただし、２回目以降の記録処理では、後述するように、実際に記録用ディスクに追加番組を記録するとき、その記録用ディスクから消去番組を消去している。このため、２回目以降の記録処理では、ディスク一面の記録番組情報により記録用ディスクに記録された全ての記録番組を示すようにすると、前回までに印刷された記録番組情報に追加番組を示す内容を追加し、また消去番組を示す内容を消去する必要がある。
【０４６３】
従って印刷データ生成部１０Ｋは、追加番組及び消去番組が選択された場合、追加番組を分類すると、追加番組を記録用ディスクに記録したものと見なし、また消去番組を消去したものと見なして、追加番組を示し、消去番組を示さない記録番組情報を生成する。
【０４６４】
実際に印刷データ生成部１０Ｋは、追加番組を分類すると、上述と同様に追加番組を示す番組分類情報及び番組詳細情報を生成すると共に、これら番組分類情報及び番組詳細情報を実際に追加印刷するための印刷位置を特定する。
【０４６５】
また印刷データ生成部１０Ｋは、印刷領域管理テーブルＡＣＴ２内の印刷詳細情報ＰＭにおいて消去番組の番組属性情報ＣＡ５の属性識別情報ＳＩＤのみが対応付けられている印刷範囲情報ＰＰを検出する。
【０４６６】
そして印刷データ生成部１０Ｋは、その印刷範囲情報ＰＰに基づき、ディスク一面にすでに印刷した記録番組情報の中で、消去番組を単独で示す特定箇所（すなわち、印刷範囲情報ＰＰが示す印刷範囲）を消去するための特定箇所特定箇所消去情報を生成する。
【０４６７】
この際、印刷データ生成部１０Ｋは、例えば特定箇所消去情報として、印刷範囲情報ＰＰが示す印刷範囲を特定の色（例えば黒色）で塗り潰すための帯状の塗潰図形を生成する。因みに、以下の説明では、消去番組を単独で示す特定箇所、すなわち、印刷範囲情報ＰＰが示す印刷範囲を、特定箇所消去範囲とも呼ぶ。
【０４６８】
すなわち、印刷データ生成部１０Ｋは、すでに印刷されている記録番組情報において他の記録済番組や追加番組とは共有されずに消去番組を単独で示す放送日やサブタイトル等の印刷対象を消去するための塗潰図形を生成する。
【０４６９】
因みに、印刷データ生成部１０Ｋは、すでに印刷されている記録番組情報において記録済番組や追加番組と共に消去番組も示す大別ジャンルや詳細ジャンル、番組タイトル等の印刷対象ついては消去しないようにする。
【０４７０】
このようにして印刷データ生成部１０Ｋは、追加番組及び消去番組が選択された場合、追加番組を示す番組分類情報及び番組詳細情報と、消去番組を示さないようにする特定箇所消去情報とを記録番組情報とする。
【０４７１】
さらに印刷データ生成部１０Ｋは、追加番組の記録及び消去番組の消去を加味して記録履歴管理テーブルＰＣＴ３に基づき、今回の記録処理の終了時点における記録用ディスクのデータ記録領域での記録使用割合を算出する。
【０４７２】
そして印刷データ生成部１０Ｋは、ディスク情報として上述と同様に、その算出結果を示すためのグラフ内線画を生成すると共に、印刷領域管理テーブルＡＣＴ２に基づき、当該グラフ内線画を実際に追加印刷するための印刷位置を特定する。
【０４７３】
印刷データ生成部１０Ｋは、このようにして記録番組情報及びディスク情報を生成すると、印刷領域管理テーブルＡＣＴ２からテンプレート識別情報ＴＩＤを抽出する。
【０４７４】
また印刷データ生成部１０Ｋは、そのテンプレート識別情報ＴＩＤに基づき、ＨＤＤ制御部１０Ｃを介してハードディスクドライブ１２から当該テンプレート識別情報ＴＩＤで識別される１つの印刷テンプレートＰＴＰ１乃至ＰＴＰ４を読み出す。
【０４７５】
これにより印刷データ生成部１０Ｋは、印刷テンプレートＰＴＰ１乃至ＰＴＰ４を用いて記録番組情報及びディスク情報と、その特定した印刷位置とに基づき例えば、図２６に示すような印刷データを生成する。
【０４７６】
この場合、印刷データには、図１８や図１９について上述した場合と同様に印刷対象を表現する文字列や図形（グラフ用線画ＧＰ３）を、特定した印刷位置に印刷するように記述されている。また印刷データには、特定箇所消去範囲に塗潰図形ＰＲＥ１を印刷するようにも記述されている。
【０４７７】
印刷データ生成部１０Ｋは、このようにして印刷データを生成すると、その印刷データと、記録履歴管理テーブルＰＣＴ３とに基づき、上述と同様に印刷領域管理テーブルＡＣＴ２の内容を更新する。
【０４７８】
そして印刷データ生成部１０Ｋは、ＨＤＤ制御部１０Ｃを介してハードディスクドライブ１２から、更新前の印刷領域管理テーブルＡＣＴ２に関連付けていた全ての使用済印刷データを読み出す。また印刷データ生成部１０Ｋは、新規印刷データを、その使用済印刷データと共に画面生成制御部１０Ｅに送出する。
【０４７９】
画面生成制御部１０Ｅは、印刷データ生成部１０Ｋから新規印刷データ及び使用済印刷データが与えられると、上述と同様に画面データ生成部１０Ｆを制御してディスプレイに図２７に示すような印刷プレビュ画面７５を表示する。
【０４８０】
ここで図２７に示す印刷プレビュ画面７５は、例えば、使用済印刷データを用いて記録用ディスクのディスク一面にすでに印刷されている部分の表示色と、今回、新規印刷データを用いてディスク一面に新たに印刷する部分の表示色とが異なる色に選定されている。
【０４８１】
また印刷プレビュ画面７５は、すでに印刷された記録番組情報の中で消去番組を単独で示していた特定箇所に特定箇所消去情報としての塗潰図形ＰＲＥ１が上書きするように表示されている。
【０４８２】
よって画面生成制御部１０Ｅは、ユーザに対し印刷プレビュ画面７５を介して消去番組の消去に応じて印刷が取り消される部分も事前に確認させることができる。すなわち、画面生成制御部１０Ｅは、追加番組及び消去番組の選択に応じて、記録用ディスクのディスク一面の印刷内容がどのように変化するのかを事前に確認させることができる。
【０４８３】
ところで、印刷プレビュ画面７５には、上述と同様な了承ボタン５８、記録中止ボタン５９及び番組変更ボタン６０が設けられている。そして画面生成制御部１０Ｅは、印刷プレビュ画面７５上で了承ボタン５８が指示された場合、上述と同様に、記録及び印刷の了承を管理テーブル生成部１０Ｈに通知する。
【０４８４】
管理テーブル生成部１０Ｈは、画面生成制御部１０Ｅから記録及び印刷の了承が通知されると、内容を更新している記録履歴管理テーブルＰＣＴ３をディスク制御部１０Ｇに送出する。
【０４８５】
このとき、ディスク制御部１０Ｇは、記録履歴管理テーブルＰＣＴ３内の消去番組の番組属性情報ＣＡ５（及び、その属性識別情報ＳＩＤ）に基づきドライブ制御部４０をデータ消去用に制御する。そしてドライブ制御部４０は、ディスク制御部１０Ｇの制御のもと、ドライブ４１を駆動制御する。
【０４８６】
これによりディスク制御部１０Ｇは、装置内部の記録用ディスクの例えば、データ管理情報記録領域から、消去番組の番組データと、当該消去番組の番組属性情報ＣＡ５及び属性識別情報ＳＩＤとに関するデータ管理情報を消去する。
【０４８７】
このようにしてディスク制御部１０Ｇは、記録用ディスクのデータ記録領域から消去番組の番組データと、番組属性情報ＣＡ５及び属性識別情報ＳＩＤとを再生し得ないようにして実質的に、これらを消去する。
【０４８８】
またディスク制御部１０Ｇは、記録履歴管理テーブルＰＣＴ３内の追加番組の番組属性情報ＣＡ４に基づき上述と同様に記録用ディスクのデータ記録領域に追加番組毎の番組データと、番組属性情報ＣＡ４及び属性識別情報ＳＩＤとを関連付けて記録する。
【０４８９】
さらにディスク制御部１０Ｇは、記録用ディスクのデータ管理情報記録領域に、データ記録領域に記録した追加番組毎の番組データと、番組属性情報ＣＡ４及び属性識別情報ＳＩＤとに関するデータ管理情報も記録する。
【０４９０】
このようにしてディスク制御部１０Ｇは、記録用ディスクにおける消去番組の消去と追加番組の記録とが終了すると、これを画面生成制御部１０Ｅに通知する。
【０４９１】
この際、画面生成制御部１０Ｅは、ディスク制御部１０Ｇからの通知を受けて、上述と同様にディスプレイに処理実行問合画面を表示する。これにより画面生成制御部１０Ｅは、ユーザに対し処理実行問合画面上で上述と同様に、最終互換処理の実行の有無を指示させることができる。
【０４９２】
よってディスク制御部１０Ｇ、この際も上述と同様にユーザの指示に応じて、記録用ディスクに対する最終互換処理を実行した後、又は実行せずに、当該記録用ディスクを印刷用に位置決めする。またディスク制御部１０Ｇは、記録用ディスクを位置決めすると、その位置決めの完了を印刷データ生成部１０Ｋに通知する。
【０４９３】
印刷データ生成部１０Ｋは、ディスク制御部１０Ｇから位置決めの完了が通知されると、新規印刷データを、バス１１を介してプリンタ制御部４２に送出して、当該プリンタ制御部４２を印刷用に制御する。よってプリンタ制御部４２は、このとき印刷データ生成部１０Ｋの制御のもと、プリンタ４３を駆動制御する。
【０４９４】
これにより例えば、図２３との対応部分に同一符号を示した図２８に示すように、印刷データ生成部１０Ｋは、図２６について上述した新規印刷データに基づき記録用ディスク６５のディスク一面６５Ａに記録番組情報及びディスク情報を追加で印刷する。
【０４９５】
ただし印刷データ生成部１０Ｋは、ディスク一面６５Ａにおいて、消去番組を単独で示していた特定箇所消去範囲に記録番組情報としてすでに印刷されていた印刷対象を塗り潰す（消す）ように、特定箇所消去情報としての塗潰図形ＰＲＥ１を追加で印刷する。
【０４９６】
因みに、印刷データ生成部１０Ｋは、記録用ディスクに最終互換処理が施されていると、上述と同様に新規印刷データを、互換通知情報を追加して修正する。そのうえで印刷データ生成部１０Ｋは、その修正した印刷データに基づき、記録用ディスク６５のディスク一面６５Ａに記録番組情報及びディスク情報を追加で印刷する。
【０４９７】
このようにして印刷データ生成部１０Ｋは、記録用ディスクのディスク一面に当該記録用ディスクに記録された全ての記録番組（消去番組を除く記録済番組、及び追加番組）を示す記録番組情報を印刷することができる。
【０４９８】
印刷データ生成部１０Ｋは、記録番組情報及びディスク情報の印刷が終了すると、印刷領域管理テーブルを、ＨＤＤ制御部１０Ｃを介してハードディスクドライブ１２に送出して記憶する。
【０４９９】
また印刷データ生成部１０Ｋは、このとき新規印刷データを、ＨＤＤ制御部１０Ｃを介してハードディスクドライブ１２に送出して、印刷領域管理テーブルに関連付けて記憶する。
【０５００】
一方、管理テーブル生成部１０Ｈは、ディスク制御部１０Ｇから番組データの記録の終了が通知されると、これに応じて記録履歴管理テーブルＰＣＴ３を、ＨＤＤ制御部１０Ｃを介してハードディスクドライブ１２に送出して記憶する。
【０５０１】
因みに、管理テーブル生成部１０Ｈは、この際、記録用ディスクに最終互換処理が施されると、上述と同様に記録履歴管理テーブルＰＣＴ３を、処理終了情報を追加して修正したうえで、ハードディスクドライブ１２に記憶する。
【０５０２】
ところで、画面生成制御部１０Ｅは、上述したようにディスプレイに表示した印刷プレビュ画面７５上で記録中止ボタン５９が指示され、追加番組の記録の中止が指示されると、その指示を管理テーブル生成部１０Ｈに通知する。また画面生成制御部１０Ｅは、このとき、追加番組の記録の中止を印刷データ生成部１０Ｋにも通知する。
【０５０３】
管理テーブル生成部１０Ｈは、画面生成制御部１０Ｅから追加番組の記録の中止が通知されると、この際、追加番組用に生成していた番組属性情報ＣＡ４を破棄する。また管理テーブル生成部１０Ｈは、記録履歴管理テーブルＰＣＴ３内の番組消去情報を消去して、消去番組の番組属性情報ＣＡ５をもとの記録済番組の番組属性情報ＣＡ３に戻す。
【０５０４】
このようにして管理テーブル生成部１０Ｈは、記録履歴管理テーブルＰＣＴ３を更新前の内容に戻す。これにより管理テーブル生成部１０Ｈは、記録用ディスクに対する追加番組の記録及び消去番組の消去を行わないようにしている。
【０５０５】
また印刷データ生成部１０Ｋは、画面生成制御部１０Ｅから追加番組の記録の中止が通知されると、この際に生成していた新規印刷データを破棄すると共に、印刷領域管理テーブルを更新前の内容に戻す。
【０５０６】
これにより印刷データ生成部１０Ｋは、記録用ディスクに対する追加番組の記録及び消去番組の消去の中止に応じて、ディスク一面への記録番組情報及びディスク情報の印刷を中止する。
【０５０７】
一方、画面生成制御部１０Ｅは、この際、印刷プレビュ画面５５及び５６上の番組変更ボタン６０により追加番組と消去番組との変更を要求させることができる。そして画面生成制御部１０Ｅは、印刷プレビュ画面５５及び５６上の番組変更ボタン６０が指示され、追加番組及び消去番組を変更するように要求されると、これを管理テーブル生成部１０Ｈに通知する。
【０５０８】
また画面生成制御部１０Ｅは、このとき追加番組及び消去番組を変更するように要求されたことを印刷データ生成部１０Ｋにも通知する。そして画面生成制御部１０Ｅは、再び上述と同様にハードディスクドライブ１２から録画番組情報を読み出して、画面データ生成部１０Ｆを制御してディスプレイに録画番組通知画面を表示する。
【０５０９】
これにより画面生成制御部１０Ｅは、ユーザに録画番組通知画面上で改めて追加番組を任意に選択させることができ、改めて選択された追加番組の録画番組情報を管理テーブル生成部１０Ｈに送出する。
【０５１０】
また画面生成制御部１０Ｅは、この際、上述と同様にしてディスプレイに記録番組一覧画面を表示する。これにより画面生成制御部１０Ｅは、ユーザに記録番組一覧画面上で改めて消去番組を任意に選択させることもができる。
【０５１１】
そして画面生成制御部１０Ｅは、ユーザにより記録番組一覧画面上で改めて消去番組が選択されると、その選択された消去番組の番組属性情報ＣＡ５を識別可能な属性識別情報ＳＩＤも管理テーブル生成部１０Ｈに送出する。
【０５１２】
この際、管理テーブル生成部１０Ｈは、画面生成制御部１０Ｅから追加番組及び消去番組を変更するように要求されたことが通知されると、この際、追加番組用に生成していた番組属性情報ＣＡ４を一旦破棄する。また管理テーブル生成部１０Ｈは、記録履歴管理テーブルＰＣＴ３内の番組消去情報も消去する。
【０５１３】
このようにして管理テーブル生成部１０Ｈは、記録履歴管理テーブルＰＣＴ３を更新前の内容に戻す。そのうえで管理テーブル生成部１０Ｈは、画面生成制御部１０Ｅから改めて録画番組情報及び属性識別情報ＳＩＤが与えられると、その録画番組情報に基づき再度、上述と同様に追加番組の番組属性情報ＣＡ４を生成する。
【０５１４】
また管理テーブル生成部１０Ｈは、画面生成制御部１０Ｅから改めて属性識別情報ＳＩＤが与えられると、再度、その属性識別情報ＳＩＤで識別される番組属性情報ＣＡ３に番組消去情報を付加する。
【０５１５】
このようにして管理テーブル生成部１０Ｈは、記録履歴管理テーブルの内容を更新する。そして管理テーブル生成部１０Ｈは、その改めて内容を更新した記録履歴管理テーブルを印刷データ生成部１０Ｋに送出する。
【０５１６】
また印刷データ生成部１０Ｋは、画面生成制御部１０Ｅから追加番組及び消去番組を変更するように要求されたことが通知されると、この際に生成していた新規印刷データを破棄すると共に、印刷領域管理テーブルを更新前の内容に戻す。
【０５１７】
そのうえで印刷データ生成部１０Ｋは、管理テーブル生成部１０Ｈから改めて記録履歴管理テーブルが与えられると、その記録履歴管理テーブルに基づき再度、上述と同様に新規印刷データを生成すると共に、印刷領域管理テーブルの内容を更新する。
【０５１８】
この際、画面生成制御部１０Ｅは、印刷データ生成部１０Ｋにより生成し直された新規印刷データを使用済印刷データと共に用いて、上述と同様に画面データ生成部１０Ｆを制御してディスプレイに印刷プレビュ画面を表示する。
【０５１９】
このようにして画面生成制御部１０Ｅは、ユーザにより選択された追加番組及び消去番組を適宜変更させて、記録用ディスクにおいて、新たに選択された追加番組の番組データを記録させ、また新たに選択された消去番組の番組データを消去させることができる。
【０５２０】
また画面生成制御部１０Ｅは、追加番組及び消去番組の変更に応じて記録用ディスクのディスク一面に記録番組情報及びディスク情報を追加で印刷させることができる。
【０５２１】
ところで、画面生成制御部１０Ｅは、上述したように番組記録モード時には、ハードディスクドライブ１２に記録している全ての録画番組を、録画番組通知画面を介してユーザに通知する。
【０５２２】
そして画面生成制御部１０Ｅは、ユーザに録画番組通知画面上で、ハードディスクドライブ１２内の全ての録画番組の中から記録番組や追加番組を任意に選択させている。
【０５２３】
これに加えて、画面生成制御部１０Ｅは、番組記録モード時、ハードディスクドライブ１２内の全ての録画番組の中から記録番組や追加番組の候補とする録画番組を自動的に選定してユーザに提示する。
【０５２４】
そして画面生成制御部１０Ｅは、ユーザに、その提示した記録番組や追加番組の候補としての録画番組の中から、実際に記録用ディスクに記録する記録番組や追加番組を任意に選択させることもできる。
【０５２５】
ただし、画面生成制御部１０Ｅは、初期状態では、番組記録モード時にハードディスクドライブ１２内の全ての録画番組の中から記録番組や追加番組の候補とする録画番組を自動的に選定して提示する候補選定処理を実行しないように設定している。
【０５２６】
このため、画面生成制御部１０Ｅは、ユーザの操作に応じて候補選定処理を実行するように設定し、その設定以降の番組記録モードでは候補選定処理を実行するようにしている。
【０５２７】
実際に画面生成制御部１０Ｅは、装置内部に新品の記録用ディスクが装填された状態で番組記録モードが選択され、ディスク制御部１０Ｇからディスク管理情報、記録領域サイズ情報及び未記録ディスク情報が与えられると、その時点の設定内容を判別する。その結果、画面生成制御部１０Ｅは、候補選定処理を実行しないように設定していると、上述と同様にディスプレイに録画番組通知画面を表示する。
【０５２８】
これに対して画面生成制御部１０Ｅは、候補選定処理を実行するように設定していると、管理テーブル生成部１０Ｈに、記録番組の候補を選定するように指示する。この際、管理テーブル生成部１０Ｈは、画面生成制御部１０Ｅから与えられた指示に応じて、ＨＤＤ制御部１０Ｃを介してハードディスクドライブ１２から全ての録画番組情報を読み出す。
【０５２９】
また管理テーブル生成部１０Ｈは、例えば、録画番組情報に基づき、個々の録画番組の放送日から現時点までの経過時間を検出する。さらに管理テーブル生成部１０Ｈは、経過時間の最も短い録画番組の録画番組情報から順次、経過時間の長い録画番組の録画番組情報を、例えばユーザにより予め選定された上限を超えない範囲で複数選択する。
【０５３０】
そして管理テーブル生成部１０Ｈは、このように選択した録画番組情報に対応する録画番組を、記録番組の候補とする。言い換えると、管理テーブル生成部１０Ｈは、記録番組の候補とする録画番組として録画番組情報を選定する。
【０５３１】
ところで画面生成制御部１０Ｅは、記録番組の候補とする録画番組の選定用に、ユーザに対し所望の大別ジャンルや詳細ジャンル、番組タイトルをキーワードとして指定させることができる。
【０５３２】
ただし管理テーブル生成部１０Ｈは、キーワードの指定がないと、記録番組の候補とする録画番組として録画番組情報を、大別ジャンルや詳細ジャンル等にかかわらず現時点から順次過去にさかのぼるようにして上限を超えない範囲で複数選択する。
【０５３３】
これに対して管理テーブル生成部１０Ｈは、キーワードが指定されていると、記録番組の候補とする録画番組として、キーワードに合致する録画番組情報を、現時点から順次過去にさかのぼるようにして上限を超えない範囲で複数選択する。
【０５３４】
因みに、管理テーブル生成部１０Ｈは、キーワードとして番組タイトルを用いて録画番組情報を選択する場合、上述と同様に録画番組情報から形態素解析により番組タイトルを抽出する。
【０５３５】
そして管理テーブル生成部１０Ｈは、その録画番組情報から抽出した番組タイトルを、キーワードとしての番組タイトルと文字マッチングの手法で比較するようにして、当該キーワードに合致する録画番組情報を選択する。
【０５３６】
このようにして管理テーブル生成部１０Ｈは、ハードディスクドライブ１２に記憶されている全ての録画番組の中から、記録番組の候補とする録画番組を放送日やキーワードで絞り込むようにして選定する。
【０５３７】
そして管理テーブル生成部１０Ｈは、記録番組の候補とする複数の録画番組として録画番組情報を選択すると、当該選択した録画番組情報を画面生成制御部１０Ｅに送出する。
【０５３８】
画面生成制御部１０Ｅは、管理テーブル生成部１０Ｈから録画番組情報が与えられると、その録画番組情報をディスク管理情報、記録領域サイズ情報及び未記録ディスク情報と共に画面データ生成部１０Ｆに送出する。
【０５３９】
よって画面データ生成部１０Ｆは、画面生成制御部１０Ｅから与えられた録画番組情報、ディスク管理情報、記録領域サイズ情報及び未記録ディスク情報に基づき、候補提示画面データを生成する。
【０５４０】
また画面データ生成部１０Ｆは、その候補提示画面データを表示用にバス１１を介してメモリ３９に一時記憶する。このようにして画面生成制御部１０Ｅは、テレビジョン受像機２７のディスプレイに候補提示画面データに基づく候補提示画面を表示する。
【０５４１】
これにより画面生成制御部１０Ｅは、ユーザに対し候補提示画面を介して、記録番組の候補として自動的に選定した録画番組を提示する。因みに、画面生成制御部１０Ｅは、その候補提示画面を介して、このとき装置内部に装填されている記録用ディスクが未記録ディスクであること、また、その種類を通知することもできる。
【０５４２】
この状態で画面生成制御部１０Ｅは、ユーザにより候補提示画面上で、記録番組の候補としての録画番組を記録番組の選択に用いることが了承されると、当該記録番組の候補としての録画番組を、実際に記録番組の選択に用いる。
【０５４３】
これにより画面生成制御部１０Ｅは、上述した録画番組通知画面上での記録番組の選択時と同様に、ユーザに候補提示画面上で、記録番組の候補として提示した複数の録画番組の中から、実際に記録用ディスクに記録する記録番組を任意に選択させる。
【０５４４】
そして画面生成制御部１０Ｅは、ユーザにより候補提示画面上で記録番組が任意に選択されると、その選択された記録番組の録画番組情報を管理データ生成部１０Ｈに送出する。
【０５４５】
管理テーブル生成部１０Ｈは、画面生成制御部１０Ｅから記録番組の録画番組情報が与えられると、この後は、上述した場合と同様の処理（すなわち、番組属性情報及び記録履歴管理テーブルの生成等の処理）を実行する。また印刷データ生成部１０Ｋや画面生成制御部１０Ｅ、ディスク制御部１０Ｇ等についても、この後はぞれぞれ上述した場合と同様の処理を実行する。
【０５４６】
一方、画面生成制御部１０Ｅは、装置内部に記録済の記録用ディスクが装填された状態で番組記録モードが選択され、ディスク制御部１０Ｇからディスク管理情報、空領域サイズ情報及び記録済ディスク情報が与えられると、その時点にも設定内容を判別する。その結果、画面生成制御部１０Ｅは、候補選定処理を実行しないように設定していると、上述と同様にディスプレイに録画番組通知画面を表示する。
【０５４７】
これに対して画面生成制御部１０Ｅは、候補選定処理を実行するように設定していると、管理テーブル生成部１０Ｈに、追加番組の候補を選定するように指示する。この際、管理テーブル生成部１０Ｈは、画面生成制御部１０Ｅから与えられた指示に応じて、ＨＤＤ制御部１０Ｃを介してハードディスクドライブ１２から、ディスク管理情報内のディスク識別情報で識別される記録履歴管理テーブルを読み出す。
【０５４８】
また管理テーブル生成部１０Ｈは、ＨＤＤ制御部１０Ｃを介してハードディスクドライブ１２から録画番組情報も読み出す。さらに管理テーブル生成部１０Ｈは、記録履歴管理テーブル内の番組属性情報に含まれる大別ジャンル、詳細ジャンル、番組タイトルの中で、最も多くの番組属性情報に含まれる同一の大別ジャンル、詳細ジャンル又は番組タイトルを検出する。
【０５４９】
そして管理テーブル生成部１０Ｈは、その検出した１つの大別ジャンル、詳細ジャンル又は番組タイトルを、追加番組の候補とする録画番組の選定に用いるキーワードに設定する。
【０５５０】
また管理テーブル生成部１０Ｈは、録画番組情報に基づき、個々の録画番組の放送日から現時点までの経過時間を検出する。さらに管理テーブル生成部１０Ｈは、キーワードに合致する録画番組の録画番組情報を、経過時間の最も短い録画番組の録画番組情報から順次、経過時間の長い録画番組の録画番組情報の中で、上限を超えない範囲で複数選択する。
【０５５１】
そして管理テーブル生成部１０Ｈは、このように選択した録画番組情報に対応する録画番組を、追加番組の候補とする。言い換えると、管理テーブル生成部１０Ｈは、記録番組の候補とする録画番組を選定する場合と同様に、追加番組の候補とする録画番組として録画番組情報を選定する。
【０５５２】
因みに、管理テーブル生成部１０Ｈは、この際にもキーワードとして番組タイトルを用いて録画番組情報を選択する場合には、上述と同様に、録画番組情報から抽出した番組タイトルを、キーワードとしての番組タイトルと比較する。
【０５５３】
このようにして管理テーブル生成部１０Ｈは、ハードディスクドライブ１２に記憶されている全ての録画番組の中から、追加番組の候補とする録画番組を、記録済番組をもとに設定したキーワードで絞り込むようにして選定する。
【０５５４】
ただし、管理テーブル１０Ｈは、選択した録画番組情報の内容を、番組属性情報の内容と比較する。これにより管理テーブル１０Ｈは、ハードディスクドライブ１２に記憶されている多数の録画番組の中から、記録用ディスクにすでに記録しているもの（記録済番組）を、追加番組の候補としていは選定しないようにしている。
【０５５５】
そして管理テーブル生成部１０Ｈは、追加番組の候補とする複数の録画番組として録画番組情報を選択すると、当該選択した録画番組情報を画面生成制御部１０Ｅに送出する。
【０５５６】
画面生成制御部１０Ｅは、管理テーブル生成部１０Ｈから録画番組情報が与えられると、その録画番組情報をディスク管理情報、空領域サイズ情報及び記録済ディスク情報と共に画面データ生成部１０Ｆに送出する。
【０５５７】
画面データ生成部１０Ｆは、画面生成制御部１０Ｅから与えられた録画番組情報、ディスク管理情報、空領域サイズ情報及び記録済ディスク情報に基づき、候補提示画面データを生成する。
【０５５８】
また画面データ生成部１０Ｆは、その候補提示画面データを表示用にバス１１を介してメモリ３９に一時記憶する。このようにして画面生成制御部１０Ｅは、テレビジョン受像機２７のディスプレイに候補提示画面データに基づく候補提示画面を表示する。
【０５５９】
これにより画面生成制御部１０Ｅは、ユーザに対し候補提示画面を介して、追加番組の候補として自動的に選定した複数の録画番組を提示する。因みに、画面生成制御部１０Ｅは、その候補提示画面を介して、このとき装置内部に装填されている記録用ディスクが記録済ディスクであること、また、その種類を通知することもできる。
【０５６０】
この状態で画面生成制御部１０Ｅは、ユーザにより候補提示画面上で、追加番組の候補としての録画番組を追加番組の選択に用いることが了承されると、当該追加番組の候補としての録画番組を、実際に追加番組の選択に用いる。
【０５６１】
これにより画面生成制御部１０Ｅは、上述した録画番組通知画面上での追加番組の選択時と同様に、ユーザに候補提示画面上で、追加番組の候補として提示した複数の録画番組の中から、実際に記録用ディスクに記録する追加番組を選択させることができる。
【０５６２】
そして画面生成制御部１０Ｅは、ユーザにより候補提示画面上で追加番組が任意に選択されると、その選択された追加番組の録画番組情報を管理データ生成部１０Ｈに送出する。
【０５６３】
管理テーブル生成部１０Ｈは、画面生成制御部１０Ｅから追加番組の録画番組情報が与えられると、この後は、上述した場合と同様に処理（すなわち、追加番組の番組属性情報の生成や記録履歴管理テーブルの内容の更新等の処理）を実行する。
【０５６４】
また印刷データ生成部１０Ｋや画面生成制御部１０Ｅ、ディスク制御部１０Ｇ等についても、この後はぞれぞれ上述した場合と同様の処理を実行する。
【０５６５】
このようにして画面生成制御部１０Ｅは、候補選定処理を実行するように設定していると、記録番組や追加番組の候補とする録画番組を自動的に選定してユーザに提示し、その中から、実際に記録用ディスクに記録する記録番組や追加番組を選択させることができる。
【０５６６】
因みにＨＤＤ制御部１０Ｃは、記録用ディスクに対する番組データの記録に利用された記録履歴管理テーブルを、その記録用ディスクに最終互換処理が施された後も、しばらくの間はハードディスクドライブ１２に記憶している。
【０５６７】
またＨＤＤ制御部１０Ｃは、記録用ディスクへの記録番組情報及びディスク情報の印刷に利用された印刷領域管理テーブルや印刷データについても、その記録用ディスクに最終互換処理が施された後、しばらくの間はハードディスクドライブ１２に記憶している。
【０５６８】
このため、記録履歴管理テーブルや印刷領域管理テーブル、印刷データについては、他の記録用ディスクに対する番組データの記録や記録番組情報及びディスク情報の印刷に再利用し得るようになされている。
【０５６９】
ただしＨＤＤ制御部１０Ｃは、記録履歴管理テーブルに登録された番組データがハードディスクドライブ１２から消去されたときには、記録履歴管理テーブルを記録用ディスクへの番組データの記録には利用し難いため、ハードディスクドライブ１２から消去する。
【０５７０】
またＨＤＤ制御部１０Ｃは、このとき、記録履歴管理テーブルと対応する（すなわち、同じディスク識別情報か格納された）印刷領域管理テーブル、及びこれに関連付けている印刷データもハードディスクドライブ１２から消去する。
【０５７１】
これによりＨＤＤ制御部１０Ｃは、ハードディスクドライブ１２に、番組データの記録や記録番組情報及びディスク情報の印刷に再利用し難くなくなった記録履歴管理テーブルや印刷領域管理テーブル、印刷データが何時までも無駄に記憶され続けることを回避する。
【０５７２】
さらにＨＤＤ制御部１０Ｃは、最終互換処理の施された記録用ディスクに対する番組データの記録や記録番組情報及びディスク情報の印刷に利用された記録履歴管理テーブルや印刷領域管理テーブル、印刷データについては、一定期間が経過しても消去している。
【０５７３】
よってＨＤＤ制御部１０Ｃは、記録履歴管理テーブルに登録された番組データがハードディスクドライブ１２から消去されなくても、その記録履歴管理テーブルや、対応する印刷領域管理テーブル、印刷データが無駄に記憶され続けることを回避している。
【０５７４】
［１−４  記録印刷処理手順］
次いで、図２９乃至図３１を用いて、主制御部１０が記録用ディスクへの記録番組の記録時に実行する第１の記録印刷処理手順ＲＴ１について説明する。
【０５７５】
主制御部１０は、装置内部に記録用ディスクが装填され、ユーザにより番組記録モードが選択されると、内蔵メモリ又はハードディスクドライブ１２に予め記憶された記録印刷プログラムに従い、図２９乃至図３１に示す第１の記録印刷処理手順ＲＴ１を開始する。
【０５７６】
主制御部１０は、第１の記録印刷処理手順ＲＴ１を開始すると、ステップＳＰ１において、このとき装置内部に装填されている記録用ディスクが新品であるか否かを判別する。このステップＳＰ１において肯定結果が得られると、このことは、このとき装置内部に、録画番組の記録用として、未だ初期化されていない記録用ディスクが装填されていることを表している。ステップＳＰ１において主制御部１０は、かかる肯定結果を得ると、次のステップＳＰ２に移る。
【０５７７】
ステップＳＰ２において主制御部１０は、記録用ディスクに番組データを記録するための未記録用前処理を実行する。そして主制御部１０は、未記録用前処理が終了すると、次のステップＳＰ３に移る。
【０５７８】
ステップＳＰ３において主制御部１０は、現在、候補選定処理を実行しないように設定しているか否かを判別する。このステップＳＰ３において肯定結果が得られると、このことは、ユーザに録画番組通知画面上でハードディスクドライブ１２内の全ての録画番組の中から、実際に記録用ディスクに記録する記録番組を選択させることを表している。ステップＳＰ３において主制御部１０は、かかる肯定結果を得ると、次のステップＳＰ４に移る。
【０５７９】
ステップＳＰ４において主制御部１０は、ハードディスクドライブ１２から録画番組の録画番組情報を読み出す。また主制御部１０は、その録画番組情報に基づき、ハードディスクドライブ１２内の全ての録画番組を通知するための録画番組通知画面データを生成する。さらに主制御部１０は、ディスプレイに、その録画番組通知画面データに基づく録画番組通知画面を表示して、次のステップＳＰ５に移る。
【０５８０】
ステップＳＰ５において主制御部１０は、ユーザにより録画番組通知画面上で記録番組が選択されることを待ち受ける。そして主制御部１０は、ユーザにより録画番組通知画面上で記録番組が任意に選択されると、次のステップＳＰ６に移る。
【０５８１】
ステップＳＰ６において主制御部１０は、ユーザにより選択された記録番組の録画番組情報に基づき、その記録番組の番組属性情報を生成する。また主制御部１０は、ディスク識別情報や記録領域サイズ情報等と共に、その番組属性情報を格納した記録履歴管理テーブルも生成して、次のステップＳＰ７に移る。
【０５８２】
ステップＳＰ７において主制御部１０は、記録履歴管理テーブルに基づき記録番組情報及びディスク情報を生成すると共に、印刷テンプレートを用いて当該記録番組情報及びディスク情報に基づき印刷データを生成する。また主制御部１０は、記録履歴管理テーブル及び印刷データ等に基づき印刷領域管理テーブルも生成して、次のステップＳＰ８に移る。
【０５８３】
ステップＳＰ８において主制御部１０は、印刷データに基づき印刷プレビュ画面データを生成する。また主制御部１０は、ディスプレイに印刷プレビュ画面データに基づく印刷プレビュ画面を表示する。
【０５８４】
これにより主制御部１０は、ユーザに印刷プレビュ画面を介して、記録用ディスクのディスク一面に印刷される記録番組情報及びディスク情報の印刷内容を確認させることができる。このようにして主制御部１０は、ディスプレイに印刷プレビュ画面を表示すると、次のステップＳＰ９に移る。
【０５８５】
ステップＳＰ９において主制御部１０は、ユーザにより記録用ディスクに対する記録番組の記録と記録番組情報及びディスク情報の印刷とが了承されたか否かを判別する。このステップＳＰ９において肯定結果が得られると、このことはユーザにより印刷プレビュ画面上で、記録番組情報及びディスク情報の印刷内容と記録番組とが確認され、記録番組の記録と記録番組情報及びディスク情報の印刷とが了承されたことを表している。ステップＳＰ９において主制御部１０は、かかる肯定結果を得ると、次のステップＳＰ１０に移る。
【０５８６】
ステップＳＰ１０において主制御部１０は、記録履歴管理テーブルに基づきハードディスクドライブ１２から記録番組の番組データを読み出すと共に、ドライブ制御部４０及びドライブ４１により記録用ディスクに、その番組データを記録する。
【０５８７】
また主制御部１０は、記録履歴管理テーブルに基づき、ドライブ制御部４０及びドライブ４１により記録用ディスクに、記録番組の番組属性情報も記録する。そして主制御部１０は、記録用ディスクに対する番組データ及び番組属性情報の記録が終了すると、次のステップＳＰ１１に移る。
【０５８８】
ステップＳＰ１１において主制御部１０は、記録用ディスクに対する最終互換処理を実行するか否かを判別する。このステップＳＰ１１において肯定結果が得られると、このことはユーザにより、今回の記録処理に用いた記録用ディスクを、今後は追加番組を記録せずに他の装置でも再生可能にするように要求されたことを表している。ステップＳＰ１１において主制御部１０は、かかる肯定結果を得ると、次のステップＳＰ１２に移る。
【０５８９】
ステップＳＰ１２において主制御部１０は、ドライブ制御部４０及びドライブ４１により記録用ディスクに対し最終互換処理を施す。そして主制御部１０は、その最終互換処理が終了すると、次のステップＳＰ１３に移る。
【０５９０】
ステップＳＰ１３において主制御部１０は、記録履歴管理テーブルに最終互換処理の終了を示す処理終了情報を追加して内容を修正する。また主制御部１０は、印刷データについても互換通知情報を追加して内容を修正して、次のステップＳＰ１４移る。
【０５９１】
ステップＳＰ１４において主制御部１０は、記録用ディスクを印刷用に位置決めして、次のステップＳＰ１５に移る。ステップＳＰ１５において主制御部１０は、プリンタ制御部４２及びプリンタ４３により印刷データに基づいて記録用ディスクのディスク一面に記録番組情報及びディスク情報を印刷して、次のステップＳＰ１６に移る。
【０５９２】
ステップＳＰ１６において主制御部１０は、ハードディスクドライブ１２に記録履歴管理テーブルを記憶する。また主制御部１０は、ハードディスクドライブ１２に印刷領域管理テーブル及び印刷データも互いに関連付けて記憶して、次のステップＳＰ１７に移る。これによりステップＳＰ１７において主制御部１０は、第１の記録印刷処理手順ＲＴ１を終了する。
【０５９３】
ところで、上述したステップＳＰ１１において否定結果が得られると、このことはユーザにより、今回の記録処理に用いた記録用ディスクを今後も追加番組の記録に用いるために最終互換処理をまだ施さないように要求されたことを表している。ステップＳＰ１１において主制御部１０は、かかる否定結果を得ると、ステップＳＰ１４に移る。
【０５９４】
また上述したステップＳＰ９において否定結果が得られると、このことはユーザにより印刷プレビュ画面上で、記録番組の変更と印刷テンプレートの変更との何れかが要求され、又は記録番組の記録の中止が指示されたことを表している。ステップＳＰ９において主制御部１０は、かかる否定結果を得ると、ステップＳＰ１８に移る。
【０５９５】
ステップＳＰ１８において主制御部１０は、記録番組を変更するか否かを判別する。ステップＳＰ１８において肯定結果が得られると、このことはユーザにより、少なくとも１つの記録番組を他の記録番組と交換し又は今回の記録から外し、さらには新たに記録番組を追加するように要望されたことを表している。
【０５９６】
ステップＳＰ１８において主制御部１０、かかる肯定結果を得ると、ステップＳＰ４に戻る。これにより主制御部１０は、ユーザに改めて記録番組を選択させることができる。
【０５９７】
またステップＳＰ１８において否定結果が得られると、このことはユーザにより印刷プレビュ画面上で、印刷テンプレートの変更が要求され、又は記録番組の記録の中止が指示されたことを表している。ステップＳＰ１８において主制御部１０は、かかる否定結果を得ると、ステップＳＰ１９に移る。
【０５９８】
ステップＳＰ１９において主制御部１０は、印刷テンプレートを変更するか否かを判別する。このステップＳＰ１９において肯定結果が得られると、このことはユーザにより記録用ディスクのディスク一面に記録番組情報及びディスク情報を、印刷プレビュ画面の印刷レイアウトとは異なる印刷レイアウトで印刷するように要求されたことを表している。ステップＳＰ１９において主制御部１０は、かかる肯定結果を得ると、次のステップＳＰ２０に移る。
【０５９９】
ステップＳＰ２０において主制御部１０は、今回の印刷データの生成に未だ利用していない残テンプレートを示すテンプレート選択画面データを生成する。また主制御部１０は、ディスプレイに、そのテンプレート選択画面データに基づくテンプレート選択画面を表示する。
【０６００】
これにより主制御部１０は、ユーザにテンプレート選択画面を介して残テンプレート毎の印刷領域の違いを確認させることができる。このようにして主制御部１０は、ディスプレイにテンプレート選択画面を表示すると、次のステップＳＰ２１に移る。
【０６０１】
ステップＳＰ２１において主制御部１０は、ユーザによりテンプレート選択画面上で残テンプレートが選択されることを待ち受ける。そして主制御部１０は、ユーザによりテンプレート選択画面上で残テンプレートが任意に選択されると、ステップＳＰ７に戻る。
【０６０２】
よって主制御部１０は、この際、ステップＳＰ７において、ユーザにより選択された残テンプレートを用いて印刷データを生成し直すと共に、これに合せて印刷領域管理テーブルも生成し直す。
【０６０３】
またステップＳＰ１９において否定結果が得られると、このことはユーザにより印刷プレビュ画面上で、記録番組の記録の中止が指示されたことを表している。ステップＳＰ１９において主制御部１０は、かかる否定結果を得ると、今回の記録番組の記録と記録番組情報及びディスク情報の印刷とを中止して、ステップＳＰ１７に移る。これによりステップＳＰ１７において主制御部１０は、第１の記録印刷処理手順ＲＴ１を終了する。
【０６０４】
ところで、上述したステップＳＰ１において否定結果が得られると、このことは、このとき装置内部に、録画番組の記録用として、すでに番組データの記録された（すなわち、データ記録済の）記録用ディスクが装填されていることを表している。ステップＳＰ１において主制御部１０は、かかる否定結果を得ると、ステップＳＰ２２に移る。
【０６０５】
ステップＳＰ２２において主制御部１０は、記録用ディスクに番組データを記録するための記録済用前処理を実行する。そして主制御部１０は、記録済用前処理が終了すると、次のステップＳＰ２３に移る。
【０６０６】
ステップＳＰ２３において主制御部１０は、現在、候補選定処理を実行しないように設定しているか否かを判別する。このステップＳＰ２３において肯定結果が得られると、このことは、ユーザに録画番組通知画面上でハードディスクドライブ１２内の全ての録画番組の中から、実際に記録用ディスクに記録する記録番組を選択させることを表している。ステップＳＰ２３において主制御部１０は、かかる肯定結果を得ると、次のステップＳＰ２４に移る。
【０６０７】
ステップＳＰ２４において主制御部１０は、上述したステップＳＰ４と同様に録画番組通知画面データを生成し、ディスプレイに録画番組通知画面を表示して、次のステップＳＰ２５に移る。
【０６０８】
ステップＳＰ２５において主制御部１０は、ユーザにより録画番組通知画面上で追加番組が選択されることを待ち受ける。そして主制御部１０は、ユーザにより録画番組通知画面上で追加番組が任意に選択されると、次のステップＳＰ２６に移る。
【０６０９】
ステップＳＰ２６において主制御部１０は、記録番組（記録済番組）を確認させるか否かを判別する。このステップＳＰ２６において肯定結果が得られると、このことはユーザにより、記録用ディスクにすでに記録している記録番組を確認するように要求されたことを表している。ステップＳＰ２６において主制御部１０は、かかる肯定結果を得ると、次のステップＳＰ２７に移る。
【０６１０】
ステップＳＰ２７において主制御部１０は、ドライブ制御部４０及びドライブ４１により、記録用ディスクから番組属性情報を読み出す。また主制御部１０は、その番組属性情報に基づき記録番組一覧画面データを生成する。さらに主制御部１０は、ディスプレイに記録番組一覧画面データに基づく記録番組一覧画面を表示する。
【０６１１】
これにより主制御部１０は、ユーザに記録番組一覧画面を介して、記録用ディスクにすでに記録している記録番組を確認させることができる。このようにして主制御部１０は、ディスプレイに記録番組一覧画面を表示すると、次のステップＳＰ２８に移る。
【０６１２】
ステップＳＰ２８において主制御部１０は、ユーザにより記録番組の中から消去番組が選択されたか否かを判別する。このステップＳＰ２８において肯定結果が得られると、このことはユーザにより、記録番組一覧画面上で複数の記録番組の中から、消去したい記録番組が見つけられ、その記録番組が消去番組として選択されたことを表している。ステップＳＰ２８において主制御部１０は、かかる肯定結果を得ると、次のステップＳＰ２９に移る。
【０６１３】
ステップＳＰ２９において主制御部１０は、ハードディスクドライブ１２から、今回の記録処理に用いる記録用ディスクに対応する記録履歴管理テーブルを読み出す。また主制御部１０は、ユーザにより選択された追加番組の録画番組情報に基づき、その追加番組の番組属性情報を生成する。
【０６１４】
さらに主制御部１０は、記録履歴管理テーブルに、その番組属性情報を格納する。また主制御部１０は、記録履歴管理テーブルにおいて、ユーザにより選択された消去番組を示す番組属性情報を判別可能な状態にする（すなわち、番組消去情報を付加する）。このようにして主制御部１０は、記録履歴管理テーブルの内容を更新して、次のステップＳＰ３０に移る。
【０６１５】
ステップＳＰ３０において主制御部１０は、ハードディスクドライブ１２から、今回の記録処理に用いる記録用ディスクに対応する印刷領域管理テーブルを読み出す。また主制御部１０は、記録履歴管理テーブル及び印刷領域管理テーブルに基づき記録番組情報及びディスク情報を生成すると共に、印刷テンプレートを用い記録番組情報及びディスク情報に基づき印刷データを生成する。さらに主制御部１０は、その印刷データに基づき印刷領域管理テーブルの内容を更新して、次のステップＳＰ３１に移る。
【０６１６】
ステップＳＰ３１において主制御部１０は、今回、追加番組の記録に用いられる記録用ディスクへの印刷用に今回及び以前に生成した印刷データ（新規印刷データ及び使用済印刷データ）に基づき印刷プレビュ画面データを生成する。また主制御部１０は、ディスプレイに印刷プレビュ画面データに基づく印刷プレビュ画面を表示する。
【０６１７】
これにより主制御部１０は、ユーザに印刷プレビュ画面を介して、記録用ディスクのディスク一面に追加で印刷する記録番組情報及びディスク情報の印刷内容を確認させることができる。このようにして主制御部１０は、ディスプレイに印刷プレビュ画面を表示すると、次のステップＳＰ３２に移る。
【０６１８】
ステップＳＰ３２において主制御部１０は、ユーザにより記録用ディスクに対する追加番組の記録と記録番組情報及びディスク情報の追加の印刷とが了承されたか否かを判別する。
【０６１９】
ステップＳＰ３２において肯定結果が得られると、このことはユーザにより印刷プレビュ画面上で、記録番組情報及びディスク情報の印刷内容と追加番組とが確認され、今回の記録と印刷とが了承されたことを表している。ステップＳＰ３２において主制御部１０は、かかる肯定結果を得ると、ステップＳＰ１０に移る。
【０６２０】
これによりステップＳＰ１０において主制御部１０は、記録履歴管理テーブルに基づきハードディスクドライブ１２から追加番組の番組データを読み出すと共に、ドライブ制御部４０及びドライブ４１により記録用ディスクに、その番組データを記録する。また主制御部１０は、記録履歴管理テーブルに基づき、ドライブ制御部４０及びドライブ４１により記録用ディスクに、追加番組の番組属性情報も記録する。
【０６２１】
またステップＳＰ３２において否定結果が得られると、このことはユーザにより印刷プレビュ画面上で、追加番組の変更が要求され、又は追加番組の記録の中止が指示されたことを表している。ステップＳＰ３２において主制御部１０は、かかる否定結果を得ると、ステップＳＰ３３に移る。
【０６２２】
ステップＳＰ３３において主制御部１０は、追加番組を変更するか否かを判別する。ステップＳＰ３３において肯定結果が得られると、このことはユーザにより、少なくとも１つの追加番組を他の追加番組と交換し又は今回の記録から外し、さらには新たに追加番組を追加するように要望されたことを表している。
【０６２３】
ステップＳＰ３２において主制御部１０、かかる肯定結果を得ると、ステップＳＰ２４に戻る。これにより主制御部１０は、ユーザに改めて追加番組を選択させることができる。
【０６２４】
さらにステップＳＰ３３において否定結果が得られると、このことはユーザにより印刷プレビュ画面上で、追加番組の記録の中止が指示されたことを表している。ステップＳＰ３３において主制御部１０は、かかる否定結果を得ると、今回の追加番組の記録と記録番組情報及びディスク情報の追加の印刷とを中止して、ステップＳＰ１７に移る。これによりステップＳＰ１７において主制御部１０は、第１の記録印刷処理手順ＲＴ１を終了する。
【０６２５】
また上述のステップＳＰ２６において否定結果が得られると、このことはユーザにより、記録用ディスクにすでに記録している記録番組を確認するようには要求されなかったことを表している。ステップＳＰ２６において主制御部１０は、かかる否定結果を得ると、ステップＳＰ３４に移る。
【０６２６】
ステップＳＰ３４において主制御部１０は、ハードディスクドライブ１２から、今回の記録処理に用いる記録用ディスクに対応する記録履歴管理テーブルを読み出す。また主制御部１０は、ユーザにより選択された追加番組の録画番組情報に基づき、その追加番組の番組属性情報を生成する。
【０６２７】
さらに主制御部１０は、記録履歴管理テーブルに、その追加番組の番組属性情報を格納する。このようにして主制御部１０は、記録履歴管理テーブルの内容を更新して、ステップＳＰ３０に移る。
【０６２８】
また上述のステップＳＰ２８において否定結果が得られると、このことはユーザにより、記録番組一覧画面上で複数の記録番組が確認されただけで、消去番組が特には選択されなかったことを表している。ステップＳＰ２８において主制御部１０は、かかる否定結果を得ると、この場合もステップＳＰ３４に移る。
【０６２９】
ところで、上述のステップＳＰ３において否定結果が得られると、このことはハードディスクドライブ１２内の全ての録画番組の中から記録番組の候補とする録画番組を選定して、記録番組の選択用に提示することを表している。ステップＳＰ３において主制御部１０は、かかる否定結果を得ると、ステップＳＰ３５に移る。
【０６３０】
ステップＳＰ３５において主制御部１０は、ハードディスクドライブ１２から録画番組情報を読み出す。また主制御部１０は、録画番組情報に基づき、ハードディスクドライブ１２内の全ての録画番組の中から、記録番組の候補とする録画番組を放送日や、ユーザにより任意に指定されたキーワードで絞り込むようにして選定して、次のステップＳＰ３６に移る。
【０６３１】
ステップＳＰ３６において主制御部１０は、記録番組の候補として選定した複数の録画番組の録画番組情報に基づき、当該記録番組の候補として選定した複数の録画番組を提示するための候補提示画面データを生成する。また主制御部１０は、ディスプレイに、その候補提示画面データに基づく候補提示画面を表示する。
【０６３２】
これにより主制御部１０は、ユーザに候補提示画面上で、記録番組の候補として選定した複数の録画番組を提示することができる。このようにして主制御部１０は、ディスプレイに候補提示画面を表示すると、次のステップＳＰ３７に移る。
【０６３３】
ステップＳＰ３７において主制御部１０は、候補提示画面を介して提示した録画番組を記録番組の選択に用いることが了承されたか否かを判別する。このステップＳＰ３７において肯定結果が得られると、このことは記録番組の候補として自動的に選定した録画番組の中に、ユーザにとって、実際に記録用ディスクに記録番組として記録したい録画番組が含まれていることを表している。ステップＳＰ３７において主制御部１０は、かかる肯定結果を得ると、ステップＳＰ５に移る。
【０６３４】
これにより主制御部１０は、このときステップＳＰ５においてユーザにより候補提示画面上で記録番組が選択されることを待ち受ける。そして主制御部１０は、ユーザにより候補提示画面上で記録番組が任意に選択されると、ステップＳＰ６に移る。
【０６３５】
因みに、ステップＳＰ３７において否定結果が得られると、このことは記録番組の候補として自動的に選定した録画番組の中に、ユーザにとって、実際に記録用ディスクに記録番組として記録したい録画番組が含まれてはいないことを表している。
【０６３６】
ステップＳＰ３７において主制御部１０は、かかる否定結果を得ると、ステップＳＰ１７に移る。これによりステップＳＰ１７において主制御部１０は、第１の記録印刷処理手順ＲＴ１を終了する。
【０６３７】
また上述のステップＳＰ２３において否定結果が得られると、このことはハードディスクドライブ１２内の全ての録画番組の中から追加番組の候補とする録画番組を選定して、追加番組の選択用に提示することを表している。ステップＳＰ２３において主制御部１０は、かかる否定結果を得ると、ステップＳＰ３８に移る。
【０６３８】
ステップＳＰ３８において主制御部１０は、ハードディスクドライブ１２から今回の記録用ディスクに対応する記録履歴管理テーブルを読み出す。また主制御部１０は、ハードディスクドライブ１２から録画番組情報も読み出す。
【０６３９】
さらに主制御部１０は、記録履歴管理テーブル内の記録番組（記録済番組）の番組属性情報に基づき、追加番組の候補の選定に用いるキーワードに設定する。そして主制御部１０は、録画番組情報に基づき、ハードディスクドライブ１２内の全ての録画番組の中から、追加番組の候補とする録画番組をキーワードで絞り込むようにして選定して、次のステップＳＰ３９に移る。
【０６４０】
ステップＳＰ３９において主制御部１０は、追加番組の候補として選定した複数の録画番組の録画番組情報に基づき、当該追加番組の候補として選定した複数の録画番組を提示するための候補提示画面データを生成する。また主制御部１０は、ディスプレイに、その候補提示画面データに基づく候補提示画面を表示する。
【０６４１】
これにより主制御部１０は、ユーザに候補提示画面上で、追加番組の候補として選定した複数の録画番組を提示することができる。このようにして主制御部１０は、ディスプレイに候補提示画面を表示すると、次のステップＳＰ４０に移る。
【０６４２】
ステップＳＰ４０において主制御部１０は、候補提示画面を介して提示した録画番組を追加番組の選択に用いることが了承されたか否かを判別する。このステップＳＰ４０において肯定結果が得られると、このことは追加番組の候補として自動的に選定した録画番組の中に、ユーザにとって、実際に記録用ディスクに追加番組として追加で記録したい録画番組が含まれていることを表している。ステップＳＰ４０において主制御部１０は、かかる肯定結果を得ると、ステップＳＰ２５に移る。
【０６４３】
これにより主制御部１０は、このときステップＳＰ２５においてユーザにより候補提示画面上で追加番組が選択されることを待ち受ける。そして主制御部１０は、ユーザにより候補提示画面上で追加番組が任意に選択されると、ステップＳＰ２６に移る。
【０６４４】
因みに、ステップＳＰ４０において否定結果が得られると、このことは追加番組の候補として自動的に選定した録画番組の中に、ユーザにとって、実際に記録用ディスクに追加番組として追加で記録したい録画番組が含まれてはいないことを表している。
【０６４５】
ステップＳＰ４０において主制御部１０は、かかる否定結果を得ると、ステップＳＰ１７に移る。これによりステップＳＰ１７において主制御部１０は、第１の記録印刷処理手順ＲＴ１を終了する。
【０６４６】
［１−５  第１の実施の形態の動作及び効果］
以上の構成において、番組録画装置１の主制御部１０は、装置内部に記録用ディスクが装填され、記録番組が選択されると、記録用ディスクに対する記録番組の記録の履歴を管理するための記録履歴管理テーブルに当該記録番組の番組属性情報を格納する。
【０６４７】
また番組録画装置１の主制御部１０は、記録履歴管理テーブルに基づき記録番組を示す記録番組情報を生成すると共に、その記録番組情報を印刷するための印刷データも生成する。そして番組録画装置１の主制御部１０は、実際に記録用ディスクに記録番組（すなわち、番組データ）を記録すると、引き続き印刷データに基づき当該記録用ディスクのディスク一面に記録番組情報を印刷する。
【０６４８】
また番組録画装置１の主制御部１０は、装置内部に記録用ディスクが装填され、追加番組が選択されたときには、記録履歴管理テーブルに当該追加番組の番組属性情報を格納する。この際、番組録画装置１の主制御部１０は、記録履歴管理テーブルに基づき追加番組を示す記録番組情報を生成すると共に、その記録番組情報を追加で印刷するための印刷データを生成する。
【０６４９】
そして番組録画装置１の主制御部１０は、実際に記録用ディスクに追加番組（すなわち、番組データ）を追加で記録すると、引き続き印刷データに基づき当該記録用ディスクのディスク一面に記録番組情報を追加で印刷する。
【０６５０】
さらに番組録画装置１の主制御部１０は、装置内部に記録用ディスクが装填され追加番組が選択されると共に、その記録用ディスクから消去する消去番組が選択されると、記録履歴管理テーブルに追加番組の番組属性情報を格納する。また番組録画装置１の主制御部１０は、記録履歴管理テーブルにすでに格納されている消去番組の番組属性情報に消去を示す番組消去情報を付加する。
【０６５１】
さらに番組録画装置１の主制御部１０は、記録履歴管理テーブルに基づき、記録用ディスクに記録する追加番組を示し、かつ消去番組を示さないようにする記録番組情報を生成すると共に、その記録番組情報を追加で印刷するための印刷データを生成する。
【０６５２】
そして番組録画装置１の主制御部１０は、実際に記録用ディスクから消去番組（番組データ）を消去すると共に、追加番組（すなわち、番組データ）を記録すると、引き続き印刷データに基づき当該記録用ディスクのディスク一面に記録番組情報を追加で印刷する。
【０６５３】
このようにして番組録画装置１の主制御部１０は、記録用ディスクを記録処理に用いる毎に、記録番組や追加番組、消去番組の選択に応じて記録履歴管理テーブルの内容を更新する。
【０６５４】
また番組録画装置１の主制御部１０は、記録履歴管理テーブルに基づき、記録用ディスクに記録した記録番組（記録済番組及び追加番組）を示す記録番組情報を生成し、記録用ディスクに対する記録番組の記録が終了すると、ディスク一面に記録番組情報を印刷する。
【０６５５】
従って番組録画装置１は、記録用ディスクを記録処理に用いる毎に、記録用ディスクに記録した記録番組（記録済番組及び追加番組）を示す記録番組情報を的確に生成してディスク一面に印刷することができる。よって番組録画装置１は、記録用ディスクに記録した記録番組（記録済番組及び追加番組）とディスク一面の記録番組情報の内容とを一致させることができる。
【０６５６】
以上の構成によれば、番組録画装置１は、記録用ディスクを記録処理に用いる毎に、記録番組の番組属性情報を有する記録履歴管理テーブルの内容を更新して、その記録履歴管理テーブルに基づき記録番組情報を生成し、記録用ディスクに対する記録番組の記録が終了すると、ディスク一面に、その記録番組情報を印刷するようにした。
【０６５７】
これにより番組録画装置１は、同一の記録用ディスクを何度か記録処理に用いて、記録番組を記録し、またすでに記録していた記録番組を消去しても、その記録用ディスクに記録した記録番組とディスク一面の記録番組情報の内容とを一致させることができる。よって番組録画装置１は、記録用ディスクのディスク一面に印刷した記録番組情報により当該記録用ディスクに記録した記録番組を的確に確認させることができる。
【０６５８】
また番組録画装置１は、記録番組を記録した記録用ディスクのディスク一面に記録番組情報として、記録番組のジャンルを印刷する共に、番組タイトルやサブタイトル、放送日を、当該記録番組のジャンルや番組タイトル毎に分類して印刷するようにした。
【０６５９】
従って番組録画装置１は、ディスク一面の記録番組情報により、記録用ディスクに、どのようなジャンルや番組タイトルの記録番組がどの程度、記録されているのかを容易に理解し得るようにすることができる。
【０６６０】
さらに番組録画装置１は、記録処理時、記録用ディスクのディスク一面に記録番組情報と共に、当該記録用ディスクの種類やディスク使用状況を示すディスク情報も印刷するようにした。
【０６６１】
従って番組録画装置１は、記録番組を記録した記録用ディスクがパッケージ（収納ケースや販売時の箱）から出されていても、ディスク一面のディスク情報により、当該記録用ディスクの種類を容易に確認させることができる。また番組録画装置１は、記録番組を記録した記録用ディスクの使用状況についても、記録用ディスクをわざわざ装置内部に装填させて使用状況を検出することなく、ディスク一面のディスク情報により容易に確認させることができる。
【０６６２】
実際に番組録画装置１は、ディスク一面にディスク使用状況を示す情報として、記録用ディスクに対する記録処理の使用回数と、記録処理毎の記録使用割合とを示す棒グラフの図形を印刷するようにした。
【０６６３】
従って番組録画装置１は、ディスク一面のディスク情報によりディスク使用状況として、記録用ディスクが何回記録処理に用いられているのかを一目で認識させることができる。また番組録画装置１は、ディスク一面のディスク情報によりディスク使用状況として、記録用ディスクにどの程度、記録番組が記録されているのかを一目で認識させることができる。
【０６６４】
さらに番組録画装置１は、記録用ディスクに記録番組を記録したときに最終互換処理も合せて実行すると、ディスク一面にディスク情報として、その最終互換処理が施されたことを示す互換通知情報ＦＮ１及びＦＮ２も印刷するようにした。
【０６６５】
従って番組録画装置１は、記録用ディスクをわざわざ装置内部に装填させなくても、ディスク一面に対する互換通知情報ＦＮ１及びＦＮ２の印刷の有無により、当該記録用ディスクが最終互換処理の施されたものであるかどうかを容易に確認させることができる。
【０６６６】
さらにまた番組録画装置１は、記録番組の記録された記録用ディスクを記録処理に用いるときに、候補選定処理を実行するように設定していると、その記録用ディスクにすでに記録されている記録番組をもとにキーワードを設定する。そして番組録画装置１は、複数の録画番組の中から、記録番組（追加番組）の候補とする録画番組を、そのキーワードで絞り込むように選定して提示するようにした。
【０６６７】
従って番組録画装置１は、候補選定処理を実行した場合、記録用ディスクにすでに記録されている記録番組と同じジャンルや番組タイトルの録画番組を厳選して記録番組の候補として提示することができる。
【０６６８】
そして番組録画装置１は、その記録番組の候補として提示した録画番組の中から実際に記録用ディスクに記録する記録番組を選択させるため、記録番組を選択し易くすることができる。
【０６６９】
＜２．第２の実施の形態＞
［２−１  番組録画装置の外観構成］
次いで、第２の実施の形態による番組録画装置８０について説明する。かかる番組録画装置８０は、上述の第１の実施の形態による番組録画装置１（図１）と外観上は同様に構成されている。
【０６７０】
また番組録画装置８０は、第１の実施の形態による番組録画装置１と同様に、デジタル系放送及びアナログ系放送のＥＰＧ取得機能や、デジタル系放送及びアナログ系放送の録画機能、録画番組再生機能、番組記録機能、記録番組再生機能等を有している。
【０６７１】
さらに番組録画装置８０は、番組記録機能及び記録番組再生機能を実現するうえで、記録用ディスクとして、追加型ディスクや書換型ディスクを扱えるようになされている。
【０６７２】
［２−２  番組録画装置の回路構成］
次いで、図２との対応部分に同一符号を付して示す図３２を用いて番組録画装置８０のハードウェア回路ブロックによる回路構成について説明する。この番組録画装置８０は、例えば、マイクロコンピュータ構成の主制御部８１を除いて、上述した第１の実施の形態による番組録画装置１と同様に構成されている。
【０６７３】
この場合、主制御部８１は、装置内部に記録用ディスクが装填された状態で、ユーザによりリモコンＲＭを介して番組記録モードが選択されると、基本的には上述した第１の実施の形態の場合と同様に記録処理を実行する。
【０６７４】
この際、主制御部８１は、上述と同様構成の記録履歴管理テーブルに基づき、記録用ディスクに記録する記録番組を示す記録番組情報を生成する。ただし、主制御部８１は、記録番組情報を構成する番組分類情報及び番組詳細情報のうち番組詳細情報を、さらに符号化してＱＲ（Quick  Response）コード（登録商標）でなる２次元コードを生成している。
【０６７５】
すなわち、主制御部８１は、記録番組情報として、上述と同様に文字で表現する番組分類情報と、同様に文字で表現する番組詳細情報とを生成するものの、その番組詳細情報をさらに２次元コード化している。
【０６７６】
ここで、２次元コードとしてのＱＲコード（登録商標）は、最小構成単位である正方形のセルを複数有し、これら複数のセルが水平方向及び垂直方向へマトリクス状に配置されている。そしてＱＲコード（登録商標）は、各セルをそれぞれ例えば白色と黒色との何れか一方の色にして、当該白色のセルと黒色のセルとのパターンで情報を表現している。
【０６７７】
またＱＲコード（登録商標）については、水平方向及び垂直方向にそれぞれセルの数を増やしてセルの総数を増加させると、その分、表現可能な情報の最大情報量を増加させ得るようになされている。そしてＱＲコード（登録商標）は、数字や、英字、漢字、かな等で千文字以上の情報を表現し得るようになされている。
【０６７８】
主制御部８１は、この際、さらに上述と同様にディスク情報も生成する。そして主制御部８１は、記録番組情報としての番組分類情報と当該記録番組情報としての番組詳細情報を表現する２次元コードとを、ディスク情報と共にディスク一面に印刷するための印刷データを生成する。
【０６７９】
この状態で主制御部８１は、ドライブ制御部４０及びドライ４１を介して記録用ディスクに対し記録番組毎に番組データと番組属性情報とを関連付けて記録し、その記録が終了すると、印刷データを、バス１１を介して装置内部のプリンタ制御部４２に送出する。
【０６８０】
これによりプリンタ制御部４２は、印刷データに基づいてプリンタ４３を駆動制御して、記録用ディスクのディスク一面に、記録用ディスクに記録した記録番組（すなわち、番組データ）を示す記録番組情報としての番組分類情報を表現する文字を印刷する。
【０６８１】
またプリンタ制御部４２は、記録用ディスクのディスク一面に、その記録番組情報としての番組詳細情報を表現する２次元コードを印刷すると共に、ディスク情報を表現する文字や図形も印刷する。
【０６８２】
そして主制御部８１は、装置内部から記録用ディスクが取り出された場合、ディスク一面の２次元コードを、撮像機能を有する携帯電話機やリモコンＲＭのようなコード読取装置で撮像させて復号させる。
【０６８３】
これにより主制御部８１は、コード読取装置の表示画面に番組詳細情報を文字として表示させ、かくして、記録用ディスクにどのような記録番組を記録しているのかを確認させることができる。
【０６８４】
［２−３  記録用ディスクへの記録番組情報の印刷処理］
次いで、図３３を用いて、主制御部８１が、記録用ディスクに番組データを記録する際、当該記録用ディスクに記録番組情報を印刷する印刷処理について説明する。
【０６８５】
ただし、以下には、上述の図３の場合と同様に、主制御部８１が記録印刷プログラムに従って実現する各種機能を、便宜上、機能回路ブロックとし、当該主制御部８１が実行する各種処理を、その機能回路ブロックが実行する処理として説明する。
【０６８６】
この場合、主制御部８１の各種機能を表す機能回路ブロックは、図３について上述した場合と同様に、番組情報取出部８１Ａ、ＥＰＧ生成部８１Ｂ、ＨＤＤ制御部８１Ｃ、ファイル展開部８１Ｄがある。
【０６８７】
また主制御部８１の各種機能を表す機能回路ブロックは、図３について上述した場合と同様に、画面生成制御部８１Ｅ、画面データ生成部８１Ｆ、管理テーブル生成部８１Ｈ及び印刷データ生成部８１Ｋもある。
【０６８８】
そして番組情報取出部８１Ａ、ＥＰＧ生成部８１Ｂ及びファイル展開部８１Ｄは、図３について上述した番組情報取出部１０Ａ、ＥＰＧ生成部１０Ｂ及びファイル展開部１０Ｄと同様の処理を実行する。またディスク制御部８１Ｇ及び管理データ生成部８１Ｈについても、図３について上述したディスク制御部１０Ｇ及び管理データ生成部１０Ｈと同様の処理を実行する。
【０６８９】
さらに印刷データ生成部８１Ｋを除くＨＤＤ制御部８１Ｃ、画面生成制御部８１Ｅ及び画面データ生成部８１Ｆは、図３について上述したＨＤＤ制御部１０Ｃ、画面生成制御部１０Ｅ及び画面データ生成部１０Ｆと基本的に同様の処理を実行する。
【０６９０】
実際に画面生成制御部８１Ｅは、装置内部に新品の記録用ディスクが装填された状態で番組記録モードに移行すると、上述した第１の実施の形態の場合と同様に、ディスプレイに録画番組通知画面を表示する。そして画面生成制御部８１Ｅは、ユーザにより１又は複数の記録番組が選択されると、当該選択された記録番組の録画番組情報を管理テーブル生成部８１Ｈに送出する。
【０６９１】
管理テーブル生成部８１Ｈは、このとき上述した第１の実施の形態の場合と同様に記録番組の録画番組情報に基づき番組属性情報を生成すると共に、その番組属性情報を格納した記録履歴管理テーブルを生成する。そして管理テーブル生成部８１Ｈは、記録履歴管理テーブルを印刷データ生成部８１Ｋに送出する。
【０６９２】
印刷データ生成部８１Ｋは、管理テーブル生成部８１Ｈから記録履歴管理テーブルが与えられると、上述した第１の実施の形態の場合と同様に、記録履歴管理テーブル内の番組属性情報に基づき記録番組を分類する。
【０６９３】
そして印刷データ生成部８１Ｋは、記録番組を分類すると、上述した第１の実施の形態の場合と同様に、その分類結果と記録番組の番組属性情報とに基づき、記録番組情報として、番組分類情報及び番組詳細情報を生成する。また印刷データ生成部８１Ｋは、記録番組情報を生成すると、上述した第１の実施の形態の場合と同様に、記録履歴管理テーブルに基づきディスク情報も生成する。
【０６９４】
ところで、番組分類情報については、ディスク一面に文字として印刷されると、上述したように、記録用ディスクがいつからどのようなジャンルの記録番組の記録に使用されているのかを教えることができるものである。このため、印刷データ生成部８１Ｋは、記録番組情報としての番組分類情報については文字の表現形態で生成し、そのまま印刷に利用する。
【０６９５】
これに対して番組詳細情報は、記録用ディスクに記録された記録番組を詳細に教えることができる情報である。言い換えると、番組詳細情報は、記録番組を詳細に説明する情報である分、情報量が比較的多くなる。また番組詳細情報は、記録用ディスクに記録される記録番組が増加するほど、情報量が増加するものである。
【０６９６】
このため印刷データ生成部８１Ｋは、記録番組情報としての番組詳細情報も文字の表現形態で生成するものの、その番組詳細情報を符号化して当該番組詳細情報を表現する２次元コードを生成している。
【０６９７】
すなわち、印刷データ生成部８１Ｋは、番組詳細情報については、より小さい印刷領域で（すなわち、印刷可能な情報の情報量が限られたディスク一面上で）、より多くの情報を提示し得るように２次元コード化している。このようにして印刷データ生成部８１Ｋは、記録用ディスクに記録する番組情報を示す記録番組情報を生成している。
【０６９８】
ところで、ハードディスクドライブ１２には、ディスク一面への記録番組情報及びディスク情報の印刷に利用する、例えば図３４に示すような、１つの印刷テンプレートＰＴＰ５が予め記憶されている。この場合、印刷テンプレートＰＴＰ５は、記録用ディスクのディスク一面の形状と同じドーナツ状に形成されている。
【０６９９】
また印刷テンプレートＰＴＰ５は、センタホールを囲むように詳細情報印刷領域ＲＰＡ１３が設けられている。この詳細情報印刷領域ＲＰＡ１３は、番組詳細情報を表現する２次元コードを複数印刷し得るように碁盤の目状に分割されている。
【０７００】
すなわち、詳細情報印刷領域ＲＰＡ１３は、正方形状の分割部分それそれが１つの２次元コードの印刷に使用される。因みに、以下の説明では、詳細情報印刷領域ＲＰＡ１３の分割部分を、コード印刷用分割領域とも呼ぶ。
【０７０１】
また印刷テンプレートＰＴＰ５は、詳細情報印刷領域ＲＰＡ１３の周囲に分類情報印刷領域ＣＰＡ５と、ディスク情報印刷領域ＤＰＡ５とが設けられている。因みに、分類情報印刷領域ＣＰＡ５は、例えば、その大きさが当該分類情報印刷領域ＣＰＡ５の左上隅から右下隅にかけて複数行分の文字列を記述し得るように選定されている。
【０７０２】
またディスク情報印刷領域ＤＰＡ５は、例えば、その大きさが当該ディスク情報印刷領域ＤＰＡ５の左上隅から右下隅にかけて複数行分の文字列や複数行にわたる図形等を記述し得るように選定されている。
【０７０３】
印刷データ生成部８１Ｋは、記録番組情報（２次元コードを含む）及びディスク情報を生成すると、ＨＤＤ制御部８１Ｃを介してハードディスクドライブ１２から印刷テンプレートＰＴＰ５を読み出す。
【０７０４】
そして図３５に示すように、印刷データ生成部８１Ｋは、印刷テンプレートＰＴＰ５の分類情報印刷領域ＣＰＡ５に番組分類情報ＣＲ５を表現する文字列を記述する。また印刷データ生成部８１Ｋは、印刷テンプレートＰＴＰ５の詳細情報印刷領域ＲＰＡ１３において１つのコード印刷用分割領域に、番組詳細情報を表現する２次元コードＤＣ１を記述する。
【０７０５】
さらに印刷データ生成部８１Ｋは、印刷テンプレートＰＴＰ５のディスク情報印刷領域ＤＰＡ５にディスク情報ＤＲ５を表現する文字列や図形等を記述する。このようにして印刷データ生成部８１Ｋは、記録用ディスクのディスク一面に記録番組情報（番組分類情報及び２次元コード）及びディスク情報を印刷するための印刷データを生成する。
【０７０６】
ところで、印刷テンプレートＰＴＰ５は、記録用ディスクのディスク一面が記録番組情報及びディスク情報の印刷用に例えば、２５６×２５６の領域に分割された場合の当該領域の位置をそれぞれ示す２次元座標を反映させて生成されている。
【０７０７】
よって印刷データは、印刷する文字の大きさ及びフォント、図形等の大きさ及び形状、２次元コードの大きさ等と共に、これら文字や図形、２次元コードの印刷位置をディスク一面上の２次元座標（各領域の位置を示す２次元座標）で示している。
【０７０８】
図３６に示すように、印刷データ生成部８１Ｋは、印刷データを生成すると、印刷データ、印刷テンプレートＰＴＰ５、記録履歴管理テーブルに基づき、ディスク一面の印刷領域を管理するための印刷領域管理テーブルＡＣＴ５を生成する。因みに、印刷領域管理テーブルＡＣＴ５は、記録用ディスク毎に生成されるものである。
【０７０９】
この場合、印刷領域管理テーブルＡＣＴ５には、記録番組情報及びディスク情報の印刷に用いる記録用ディスクを識別可能なディスク識別情報ＤＩＤが格納されている。また印刷領域管理テーブルＡＣＴ５には、記録番組を印刷用に分類したジャンル（すなわち、番組分類情報として印刷される大別ジャンル及び詳細ジャンル）を示すジャンル情報ＧＰＧも格納されている。
【０７１０】
また印刷領域管理テーブルＡＣＴ５には、記録用ディスクへの記録番組情報及びディスク情報の印刷日を示す印刷日情報ＰＤも格納されている。さらに印刷領域管理テーブルＡＣＴ５には、分類情報印刷領域ＣＰＡ５、詳細情報印刷領域ＲＰＡ１３、ディスク情報印刷領域ＤＰＡ５毎の印刷残領域を２次元座標で示す印刷残領域情報ＰＳＡも格納されている。
【０７１１】
印刷残領域情報ＰＳＡは、記録番組情報及びディスク情報の印刷時に分類情報印刷領域ＣＰＡ５、詳細情報印刷領域ＲＰＡ１３、ディスク情報印刷領域ＤＰＡ５内で文字や図形、２次元コード等が印刷されずに残った領域を示すものである。よって印刷残領域情報ＰＳＡは、記録用ディスクへの記録番組情報及びディスク情報の印刷日を示す印刷日情報ＰＤと関連付けられている。
【０７１２】
さらに印刷領域管理テーブルＡＣＴ５には、分類情報印刷領域ＣＰＡ５や詳細情報印刷領域ＲＰＡ１３毎に、印刷内容の詳細を示す印刷詳細情報ＰＭも格納されている。因みに、印刷詳細情報ＰＭは、記録番組を分類した大別ジャンル及び詳細ジャンルや、番組詳細情報を表現する２次元コードＤＣ１等の印刷対象毎の印刷範囲を２次元座標で示す印刷範囲情報ＰＰを有する。
【０７１３】
また分類情報印刷領域ＣＰＡ５に対応する印刷詳細情報ＰＭは、個々の印刷対象に関連する番組属性情報の属性識別情報も有する。そして印刷詳細情報ＰＭは、印刷対象毎に印刷範囲情報ＰＰと属性識別情報とが対応付けられている。
【０７１４】
印刷データ生成部８１Ｋは、印刷データと共に印刷領域管理テーブルＡＣＴ５を生成すると、その印刷データを画面生成制御部８１Ｅに送出する。そして画面生成制御部８１Ｅは、印刷データ生成部８１Ｋから印刷データが与えられると、その印刷データを画面データ生成部８１Ｆに送出する。
【０７１５】
よって画面データ生成部８１Ｆは、画面生成制御部８１Ｅから与えられた印刷データに基づき印刷プレビュ画面データを生成する。また画面データ生成部８１Ｆは、その印刷プレビュ画面データを表示用にバス１１を介してメモリ３９に一時記憶する。これにより画面生成制御部８１Ｅは、テレビジョン受像機２７のディスプレイに印刷プレビュ画面データに基づき、図３７に示すような印刷プレビュ画面８５を表示する。
【０７１６】
この場合、印刷プレビュ画面８５は、中央部に記録用ディスクのディスク一面を模したドーナツ状のディスク一面画像８６が配置されている。また印刷プレビュ画面８５には、ディスク一面画像８６の下側に、了承ボタン５８、記録中止ボタン５９及び番組変更ボタン６０が設けられている。
【０７１７】
さらにディスク一面画像８６内には、上側（分類情報印刷領域ＣＰＡ５に相当する部分）に番組分類情報ＣＲ５が表示されている。因みに、番組分類情報ＣＲ５としては、記録用ディスクへの記録番組の記録開始年月ＷＳ５を表現する文字列と、当該記録番組が属する大別ジャンルＧＥ５及び詳細ジャンルＧＥ６を表現する文字列とが複数行で表示されている。
【０７１８】
またディスク一面画像８６内には、左上側（詳細情報印刷領域ＲＰＡ１３の１つのコード印刷用分割領域に相当する部分）に番組詳細情報を表現する１つの２次元コードＤＣ１が表示されている。さらにディスク一面画像８６内には、下側（ディスク情報印刷領域ＤＰＡ５に相当する部分）に、ディスク情報ＤＲ５が表示されている。
【０７１９】
これにより画面生成制御部８１Ｅは、ユーザに対し印刷プレビュ画面８５を介して、２次元コードＤＣ１を有する記録番組情報と、ディスク情報ＤＲ５との印刷状態を事前に確認させることができる。
【０７２０】
そして画面生成制御部８１Ｅは、ユーザによりリモコンＲＭを介して印刷プレビュ画面８５上で了承ボタン５８が指示され、記録番組の記録と記録番組情報及びディスク情報の印刷とが了承されると、その了承を管理テーブル生成部８１Ｈに通知する。
【０７２１】
これにより管理テーブル生成部８１Ｈは、上述した第１の実施の形態の場合と同様に、ディスク制御部８１Ｇと連携して、装置内部の記録用ディスクのデータ記録領域に、記録番組毎に番組データと番組属性情報及び属性識別情報とを関連付けて記録する。
【０７２２】
また印刷データ生成部８１Ｋは、記録用ディスクへの番組データの記録が終了し、当該記録用ディスクが印刷用に位置決めされると、印刷データを、バス１１を介してプリンタ制御部４２に送出して、当該プリンタ制御部４２を印刷用に制御する。またプリンタ制御部４２は、このとき印刷データ生成部８１Ｋの制御のもと、プリンタ４３を駆動制御する。
【０７２３】
これにより図３８に示すように、印刷データ生成部８１Ｋは、図３５について上述した印刷データに基づき記録用ディスク８７のディスク一面８７Ａに記録番組情報としての番組分類情報ＣＲ５と番組詳細情報を表現する２次元コードＤＣ１とを印刷する。また印刷データ生成部８１Ｋは、その記録用ディスク８７のディスク一面８７Ａにディスク情報ＤＲ５も印刷する。
【０７２４】
因みに、印刷データ生成部８１Ｋは、このとき記録用ディスクに最終互換処理が施されていると、上述した第１の実施の形態の場合と同様に印刷データを、互換通知情報を追加して修正する。そのうえで印刷データ生成部８１Ｋは、その修正した印刷データに基づき、記録用ディスク８７のディスク一面８７Ａに記録番組情報及びディスク情報を印刷する。
【０７２５】
このようにして印刷データ生成部８１Ｋは、記録用ディスク８７のディスク一面８７Ａに当該記録用ディスク８７に記録された記録番組を示す記録番組情報を印刷することができる。
【０７２６】
そして印刷データ生成部８１Ｋは、記録番組情報及びディスク情報の印刷が終了すると、印刷領域管理テーブルＡＣＴ５を、ＨＤＤ制御部８１Ｃを介してハードディスクドライブ１２に送出して記憶する。
【０７２７】
また印刷データ生成部８１Ｋは、このとき印刷データもＨＤＤ制御部８１Ｃを介してハードディスクドライブ１２に送出して、印刷領域管理テーブルＡＣＴ５に関連付けて記憶する。
【０７２８】
因みに、印刷データ生成部８１Ｋは、記録用ディスクへの記録番組の記録前に、ユーザにより記録番組を変更するように要求され、改めて記録番組が選択されたときには、上述と同様にして印刷データを生成し直す。
【０７２９】
そして印刷データ生成部８１Ｋは、その改めて選択された記録番組が記録用ディスクに記録されると、生成し直していた印刷データに基づき当該記録用ディスクのディスク一面に記録番組情報及びディスク情報を印刷する。
【０７３０】
また印刷データ生成部８１Ｋは、記録用ディスクへの記録番組の記録前に、ユーザにより記録番組の記録の中止が指示されたときには、上述した第１の実施の形態の場合と同様に、この際に生成していた印刷データと印刷領域管理テーブルＡＣＴ５とを破棄する。これにより印刷データ生成部１０Ｋは、記録用ディスクへの記録番組の記録の中止に応じてディスク一面への記録番組情報及びディスク情報の印刷を中止する。
【０７３１】
ところで、画面生成制御部８１Ｅは、装置内部に、すでに記録番組の記録された記録用ディスクが装填された状態で番組記録モードに移行すると、上述した第１の実施の形態の場合と同様に、ディスプレイに録画番組通知画面や記録番組一覧画面を表示する。
【０７３２】
そして画面生成制御部８１Ｅは、ユーザにより追加番組や消去番組が選択されると、当該選択された追加番組の録画番組情報や消去番組に対応する属性識別情報を管理テーブル生成部８１Ｈに送出する。
【０７３３】
管理テーブル生成部８１Ｈは、このとき上述した第１の実施の形態の場合と同様に、追加番組の録画番組情報や消去番組に対応する属性識別情報に基づいて記録履歴管理テーブルの内容を更新する。そして管理テーブル生成部８１Ｈは、その内容を更新した記録履歴管理テーブルを印刷データ生成部８１Ｋに送出する。
【０７３４】
印刷データ生成部８１Ｋは、管理テーブル生成部８１Ｈから内容の更新された記録履歴管理テーブルが与えられると、上述した第１の実施の形態の場合と同様に、その記録履歴管理テーブルからディスク識別情報を取り出す。
【０７３５】
また印刷データ生成部８１Ｋは、そのディスク識別情報に基づき、ＨＤＤ制御部８１Ｃを介してハードディスクドライブ１２から、当該ディスク識別情報が格納された印刷領域管理テーブルを検索して読み出す。
【０７３６】
さらに印刷データ生成部８１Ｋは、印刷領域管理テーブルからジャンル情報を取り出す。さらにまた印刷データ生成部８１Ｋは、記録履歴管理テーブルから記録済番組及び追加番組の番組属性情報を取り出す。
【０７３７】
そして印刷データ生成部８１Ｋは、記録済番組及び追加番組の番組属性情報とジャンル情報とに基づき、第１の実施の形態の場合と同様に、記録済番組の分類構造は極力崩さずに追加番組を、その分類構造に加えるように記録済番組及び追加番組を分類し直す。
【０７３８】
ところで、印刷データ生成部８１Ｋは、この際、ユーザにより消去番組が選択されていると、その消去番組の番組属性情報を、記録済番組及び追加番組の分類には用いないようにする。
【０７３９】
これにより印刷データ生成部８１Ｋは、この後、記録済番組及び追加番組の分類結果を利用して生成する記録番組情報が、消去番組を記録用ディスクに記録されたものとしては示さないようにしている。
【０７４０】
このようにして印刷データ生成部８１Ｋは、記録済番組及び追加番組を分類すると、その分類結果と、追加番組の番組属性情報とに基づき、追加番組を示す記録番組情報としての番組分類情報を生成する。
【０７４１】
因みに、印刷データ生成部８１Ｋは、全ての追加番組を、ジャンル情報が示す大別ジャンルや詳細ジャンル（記録済番組を分類した大別ジャンルや詳細ジャンル）で分類すると、番組分類情報を追加印刷する必要はないため生成しない。
【０７４２】
これに対して印刷データ生成部８１Ｋは、ジャンル情報が示す大別ジャンルや詳細ジャンルとは別の大別ジャンルや詳細ジャンルで分類した追加番組が存在すると、その追加番組の大別ジャンル及び詳細ジャンルのみを示す番組分類情報を追加印刷用に生成する。
【０７４３】
ここで、２次元コードは、上述したように表現可能な情報が多く、記録済番組及び追加番組を詳細に示す番組詳細情報を十分に表現可能である。このため印刷データ生成部８１Ｋは、記録済番組及び追加番組の分類結果と、当該記録済番組及び追加番組の番組属性情報とに基づき、記録済番組及び追加番組を全て示す番組詳細情報を生成する。
【０７４４】
すなわち、印刷データ生成部８１Ｋは、記録処理時に追加番組が選択された場合、上述した第１の実施の形態のように追加番組のみを示す番組詳細情報を追加印刷用には生成せず、記録処理毎に記録済番組及び追加番組を全て示す番組詳細情報を生成し直している。そして印刷データ生成部８１Ｋは、その番組詳細情報を符号化することにより、当該番組詳細情報を表現する２次元コードを生成する。
【０７４５】
ところで印刷データ生成部８１Ｋは、記録処理毎に記録済番組及び追加番組を全て示す番組詳細情報を生成し直し、その番組詳細情報を２次元コードとしてディスク一面に印刷した場合、ディスク一面に２次元コードが幾つもあると、混乱をまねくおそれがある。
【０７４６】
このため印刷データ生成部８１Ｋは、印刷領域管理テーブルから、前回の記録処理でディスク一面に２次元コードを印刷した印刷範囲を示す印刷範囲情報ＰＰを取り出す。そして印刷データ生成部８１Ｋは、その印刷範囲情報ＰＰに基づき、前回印刷した２次元コードを消去するためのコード消去情報を生成する。
【０７４７】
因みに、かかるコード消去情報は、印刷範囲情報ＰＰが示す２次元コードの印刷範囲印を特定の色（例えば黒色）で塗り潰して、当該２次元コードを消去するための塗潰図形である。なお、以下の説明では、印刷範囲情報ＰＰが示す、前回印刷された２次元コードの印刷範囲を、コード消去範囲とも呼ぶ。
【０７４８】
このようにして印刷データ生成部８１Ｋは、番組分類情報、２次元コード（番組詳細情報）及びコード消去情報を生成すると、これを今回の記録処理でディスク一面に印刷する記録番組情報にする。
【０７４９】
また印刷データ生成部８１Ｋは、この際、記録履歴管理テーブルに基づき、ディスク一面に追加で印刷するためのディスク情報も生成する。すなわち、印刷データ生成部８１Ｋは、記録履歴管理テーブルに基づき、今回の記録処理の終了時点における記録用ディスクのデータ記録領域での記録使用割合を算出する。
【０７５０】
そして印刷データ生成部８１Ｋは、ディスク情報として、ディスク使用状況を示すグラフ内で、その算出結果を表すためのグラフ内線画を生成する。
【０７５１】
印刷データ生成部８１Ｋは、記録番組情報及びディスク情報を生成すると、記録履歴管理テーブル及び印刷領域管理テーブルに基づき、ディスク一面での記録番組情報及びディスク情報の印刷位置を特定する。
【０７５２】
この場合、印刷データ生成部８１Ｋは、番組分類情報を生成していると、印刷領域管理テーブル内の印刷残領域情報ＰＳＡに基づき分類情報印刷領域ＣＰＡ５で、番組分類情報を印刷するための印刷位置を特定する。また印刷データ生成部８１Ｋは、印刷領域管理テーブル内の印刷残領域情報ＰＳＡに基づき詳細情報印刷領域ＲＰＡ１３で、２次元コードの印刷位置を特定する。
【０７５３】
さらに印刷データ生成部８１Ｋは、印刷領域管理テーブル内の印刷残領域情報ＰＳＡに基づきディスク情報印刷領域ＤＰＡ５（すなわちディスク使用状況を示すグラフの図形内）で、ディスク情報（グラフ内線画）の印刷位置も特定する。このようにして印刷データ生成部８１Ｋは、記録用ディスクのディスク一面に記録番組情報及びディスク情報を実際に追加印刷するための印刷位置を特定する。
【０７５４】
そして印刷データ生成部８１Ｋは、ＨＤＤ制御部８１Ｃを介してハードディスクドライブ１２から印刷テンプレートＰＴＰ５を読み出す。これにより印刷データ生成部８１Ｋは、印刷テンプレートＰＴＰ５を用いて記録番組情報及びディスク情報と、特定した印刷位置とに基づき例えば、図３９に示すような印刷内容の印刷データを生成する。
【０７５５】
この場合、印刷データには、印刷テンプレートＰＴＰ５の詳細情報印刷領域ＲＰＡ１３内で、番組詳細情報を表現する２次元コードＤＣ２を、その特定した印刷位置に印刷するように記述されている。
【０７５６】
また印刷データには、印刷テンプレートＰＴＰ５の詳細情報印刷領域ＲＰＡ１３内で、コード消去範囲にコード消去情報（塗潰図形）を印刷するようにも記述されている。
【０７５７】
さらに印刷データには、印刷テンプレートＰＴＰ５のディスク情報印刷領域ＤＰＡ５内で、ディスク情報としてのグラフ内線画ＧＰ５を、その特定した印刷位置に印刷するようにも記述されている。
【０７５８】
印刷データ生成部８１Ｋは、このようにして印刷データを生成すると、その印刷データ、印刷テンプレートＰＴＰ５、記録履歴管理テーブルに基づき、印刷領域管理テーブルの内容を更新する。
【０７５９】
この場合、図４０に示すように、内容を更新した印刷領域管理テーブルＡＣＴ６には、今回の記録用ディスクへの記録番組情報及びディスク情報の印刷日を示す印刷日情報ＰＤが追加で格納されている。
【０７６０】
また印刷領域管理テーブルＡＣＴ６には、分類情報印刷領域ＣＰＡ５、詳細情報印刷領域ＲＰＡ１３、ディスク情報印刷領域ＤＰＡ５毎の印刷残領域情報ＰＳＡが更新され追加されている。
【０７６１】
因みに、今回、印刷領域管理テーブルＡＣＴ６に追加される印刷残領域情報ＰＳＡは、今回の印刷日を示す印刷日情報ＰＤに関連付けられている。さらに印刷領域管理テーブルＡＣＴ６には、分類情報印刷領域ＣＰＡ５や詳細情報印刷領域ＲＰＡ１３毎に印刷詳細情報ＰＭも更新され追加されている。
【０７６２】
印刷データ生成部８１Ｋは、印刷領域管理テーブルＡＣＴ６を更新すると、ＨＤＤ制御部８１Ｃを介してハードディスクドライブ１２から、更新前の印刷領域管理テーブルに関連付けていた使用済印刷データを読み出す。そして印刷データ生成部８１Ｋは、今回生成した印刷データ（新規印刷データ）を使用済印刷データと共に画面生成制御部８１Ｅに送出する。
【０７６３】
これにより画面生成制御部８１Ｅは、上述した第１の実施の形態の場合と同様に、その新規印刷データ及び使用済印刷データに基づいて印刷プレビュ画面データを生成する。そして画面生成制御部８１Ｅは、テレビジョン受像機２７のディスプレイに印刷プレビュ画面データに基づき、図４１に示すような印刷プレビュ画面８８を表示する。
【０７６４】
この場合、印刷プレビュ画面８８は、例えば、使用済印刷データを用いて記録用ディスクのディスク一面にすでに印刷されている部分の表示色と、今回、新規印刷データを用いてディスク一面に新たに印刷する部分の表示色とが異なる色に選定されている。
【０７６５】
また印刷プレビュ画面８８においてディスク一面画像８９内には、新たな番組詳細情報を表現する１つの２次元コードＤＣ２が表示されている。さらにディスク一面画像８９内には、前回の記録処理で印刷された２次元コード上にコード消去情報としての塗潰図形ＰＲＥ２が重ねて表示されている。さらにまたディスク一面画像８９内には、ディスク情報ＤＲ５としてグラフ内線画ＧＰ５も表示されている。
【０７６６】
これにより画面生成制御部８１Ｅは、ユーザに対し印刷プレビュ画面８８を介して、２次元コードＤＣ２を有する記録番組情報と、ディスク情報ＤＲ５との印刷状態を事前に確認させることができる。
【０７６７】
そして画面生成制御部８１Ｅは、ユーザによりリモコンＲＭを介して印刷プレビュ画面８８上で了承ボタン５８が指示され、記録番組の記録と記録番組情報及びディスク情報の印刷とが了承されると、その了承を管理テーブル生成部８１Ｈに通知する。
【０７６８】
これにより管理テーブル生成部８１Ｈは、上述した第１の実施の形態の場合と同様に、ディスク制御部８１Ｇと連携して、装置内部の記録用ディスクのデータ記録領域に、記録番組毎に番組データと番組属性情報及び属性識別情報とを関連付けて記録する。
【０７６９】
また印刷データ生成部８１Ｋは、記録用ディスクへの番組データの記録が終了し、当該記録用ディスクが印刷用に位置決めされると、印刷データ（新規印刷データ）を、バス１１を介してプリンタ制御部４２に送出して、当該プリンタ制御部４２を印刷用に制御する。またプリンタ制御部４２は、このとき印刷データ生成部８１Ｋの制御のもと、プリンタ４３を駆動制御する。
【０７７０】
これにより図４２に示すように、印刷データ生成部８１Ｋは、図３９について上述した印刷データに基づき記録用ディスク８７のディスク一面８７Ａに記録番組情報としての番組詳細情報を表現する２次元コードＤＣ１（また、番組分類情報ＣＲ５）を印刷する。
【０７７１】
また印刷データ生成部８１Ｋは、記録用ディスク８７のディスク一面８７Ａにおいて、前回印刷した２次元コードのコード消去範囲に塗潰図形ＰＲＥ２を上書きするように印刷する。また印刷データ生成部８１Ｋは、その記録用ディスク８７のディスク一面８７Ａにディスク情報としてのグラフ内線画ＧＰ５も印刷する。
【０７７２】
因みに、印刷データ生成部８１Ｋは、このとき記録用ディスクに最終互換処理が施されていると、上述した第１の実施の形態の場合と同様に印刷データを、互換通知情報を追加して修正する。そのうえで印刷データ生成部８１Ｋは、その修正した印刷データに基づき、記録用ディスク８７のディスク一面８７Ａに記録番組情報及びディスク情報を印刷する。
【０７７３】
このようにして印刷データ生成部８１Ｋは、記録用ディスク８７のディスク一面８７Ａに、当該記録用ディスク８７に記録された記録番組を示す記録番組情報を印刷することができる。
【０７７４】
そして印刷データ生成部８１Ｋは、記録番組情報及びディスク情報の印刷が終了すると、印刷領域管理テーブルＡＣＴ６を、ＨＤＤ制御部８１Ｃを介してハードディスクドライブ１２に送出して記憶する。
【０７７５】
また印刷データ生成部８１Ｋは、このときも印刷データを、ＨＤＤ制御部８１Ｃを介してハードディスクドライブ１２に送出して、印刷領域管理テーブルＡＣＴ６に関連付けて記憶する。
【０７７６】
因みに、印刷データ生成部８１Ｋは、記録用ディスクへの追加番組の記録前に、ユーザにより追加番組を変更するように要求され、改めて追加番組が選択されたときには、上述と同様にして印刷データを生成し直す。
【０７７７】
そして印刷データ生成部８１Ｋは、その改めて選択された追加番組が記録用ディスクに記録されると、生成し直していた印刷データに基づき当該記録用ディスクのディスク一面に記録番組情報及びディスク情報を印刷する。
【０７７８】
また印刷データ生成部８１Ｋは、記録用ディスクへの追加番組の記録前に、ユーザにより追加番組の記録の中止が指示されたときには、上述した第１の実施の形態の場合と同様に、この際に生成していた印刷データを破棄する。
【０７７９】
また印刷データ生成部８１Ｋは、印刷領域管理テーブルＡＣＴ６を更新前の内容に戻す。これにより印刷データ生成部１０Ｋは、記録用ディスクへの追加番組の記録の中止に応じてディスク一面への記録番組情報及びディスク情報の印刷を中止する。
【０７８０】
ところで、図４３に示すように、記録用ディスク８７のディスク一面８７Ａに印刷された２次元コードＤＣ２は、上述したように、撮像機能を有する携帯電話機やリモコンＲＭのようなコード読取装置９０によって解読することができる。
【０７８１】
この場合、コード読取装置９０は、番組録画装置８０の外部で、記録用ディスク８７のディスク一面８７Ａ上の２次元コードＤＣ１を撮像し、その結果得られる撮像画像データを２次元コードＤＣ２として復号する。
【０７８２】
これによりコード読取装置９０は、番組詳細情報を得て、例えば、当該コード読取装置９０の表示部９１に、その番組詳細情報を表現する文字列を、大別ジャンルや詳細ジャンル、番組タイトル毎にリスト化して表示させる。
【０７８３】
すなわち、コード読取装置９０は、ディスク一面８７Ａに２次元コードＤＣ２として印刷されていた番組詳細情報を、ユーザの理解可能な表現形式（すなわち、文字）に変えて提示する。このようにしてコード読取装置９０は、ユーザに対し記録用ディスク８７に記録された記録番組（記録済番組及び追加番組）を確認させることができる。
【０７８４】
またコード読取装置９０は、例えば、上述したようにディスプレイに印刷プレビュ画面８５及び８８が表示されたときにも、画面内の２次元コードＤＣ１及びＤＣ２を、同様に撮像して番組詳細情報を得て、これを表示部９１に表示することができる。
【０７８５】
よって画面生成制御部８１Ｅは、ディスプレイに印刷プレビュ画面８５及び８８を表示したとき、ユーザにコード読取装置９０を利用させて番組詳細情報の内容を確認させることかできる。
【０７８６】
因みに、印刷データ生成部８１Ｋは、例えば、記録番組情報と共に、これを表示するときの背景画像を提供可能な提供装置のネットワークアドレスや、表示レイアウトを指定するレイアウト指定情報等も合せて符号化して２次元コード化することができる。
【０７８７】
従ってコード読取装置９０は、２次元コードを復号して番組詳細情報と共に、ネットワークアドレスやレイアウト指定情報も取得すると、これを利用して番組詳細情報を表示することができる。
【０７８８】
また画面生成制御部８１Ｅは、例えば、記録用ディスク８７から記録番組を再生する記録番組再生時、ユーザによりリモコンＲＭを介して番組詳細情報の提示が要求されると、これを印刷データ生成部８１Ｋに通知する。
【０７８９】
この場合、印刷データ生成部８１Ｋは、装置内部に装填されている記録用ディスクのディスク識別情報に基づき、ＨＤＤ制御部８１Ｃを介してハードディスクドライブ１２から、そのディスク識別情報を格納している印刷領域管理テーブルを検索する。
【０７９０】
また印刷データ生成部８１Ｋは、ＨＤＤ制御部８１Ｃを介してハードディスクドライブ１２から、その検索した印刷領域管理テーブルに関連付けている印刷データのうち、最も新しいものを選択して読み出す。そして印刷データ生成部８１Ｋは、その印刷データから２次元コードを抽出して画面生成制御部８１Ｅに送出する。
【０７９１】
この際、画面生成制御部８１Ｅは、その２次元コードを画面データ生成部８１Ｆからバス１１及び表示制御部５２を順次介して表示部３に送出する。これにより図４４に示すように、画面生成制御部８１Ｅは、装置筐体正面の表示部３に２次元コードＤＣ３を表示させる。
【０７９２】
このようにして画面生成制御部８１Ｅは、記録用ディスクからの記録番組（番組データ）の再生中に、ユーザに対し、その記録用ディスクに記録された記録番組（記録済番組）を示す番組詳細情報を２次元コードとして提示することができる。
【０７９３】
そしてコード読取装置９０は、この際、表示部３に表示された２次元コードＤＣ３を、上述と同様に撮像して番組詳細情報を得て、これを表示部９１を介してユーザに提示することができる。従って画面生成制御部８１Ｅは、記録用ディスクからの記録番組の再生中でも、番組詳細情報を利用して、ユーザに当該記録用ディスクに記録された記録番組を確認させることができる。
【０７９４】
因みに、画面生成制御部８１Ｅは、この際、ユーザに対し、２次元コードを元の番組詳細情報に復号するように要求させることもできる。実際に画面生成制御部８１Ｅは、ユーザにより２次元コードの復号が要求されると、これを印刷データ生成部８１Ｋに通知する。
【０７９５】
印刷データ生成部８１Ｋは、この際、画面生成制御部８１Ｅからの通知に応じて、２次元コードを復号して元の番組詳細情報を生成する。そして印刷データ生成部８１Ｋは、その番組詳細情報を画面生成制御部８１Ｅに送出する。
【０７９６】
この際、画面生成制御部８１Ｅは、その番組詳細情報を画面データ生成部８１Ｆからバス１１及び表示制御部５２を順次介して表示部３に送出する。これにより図４５に示すように、画面生成制御部８１Ｅは、装置筐体正面の表示部３に２次元コードＤＣ３に換えて番組詳細情報を表示させる。
【０７９７】
このようにして画面生成制御部８１Ｅは、記録用ディスクからの記録番組（番組データ）の再生中には、ユーザに対し、その記録用ディスクに記録された記録番組（記録済番組）を示す番組詳細情報そのものを提示することもできる。因みに、画面生成制御部８１Ｅは、このような２次元コードや番組詳細情報の表示を、記録用ディスクに記録された記録番組の編集時にも実行することができる。
【０７９８】
［２−４  記録印刷処理手順］
次いで、図２９乃至図３１との対応部分に同一符号を付して示す図４６乃至図４８を用いて、主制御部８１が記録用ディスクへの記録番組の記録時に実行する第２の記録印刷処理手順ＲＴ２について説明する。
【０７９９】
主制御部８１は、装置内部に記録用ディスクが装填され、ユーザにより番組記録モードが選択されると、内蔵メモリ又はハードディスクドライブ１２に予め記憶された記録印刷プログラムに従い、図４６乃至図４８に示す第２の記録印刷処理手順ＲＴ１を開始する。
【０８００】
主制御部８１は、第２の記録印刷処理手順ＲＴ２を開始すると、ステップＳＰ１乃至ステップＳＰ６の処理を順次実行した後、次のステップＳＰ５１に移る。ステップＳＰ５１において主制御部８１は、記録履歴管理テーブルに基づき記録番組情報及びディスク情報を生成すると共に、その記録番組情報としての番組詳細情報を符号化して当該番組詳細情報を表現する２次元コードを生成する。
【０８０１】
また主制御部８１は、印刷テンプレートＰＴＰ５を用いて記録番組情報及びディスク情報に基づき印刷データを生成する。さらに主制御部８１は、記録履歴管理テーブル及び印刷データに基づき印刷領域管理テーブルも生成して、次のステップＳＰ８に移る。
【０８０２】
これにより主制御部８１は、ステップＳＰ８乃至ステップＳＰ１６の処理を順次実行した後、次のステップＳＰ５２に移り、第２の記録印刷処理手順ＲＴ２を終了する。
【０８０３】
ところで、主制御部８１は、上述のステップＳＰ１において否定結果を得ると、ステップＳＰ２２乃至ステップＳＰ２９の処理を順次実行した後、次のステップＳＰ５３に移る。
【０８０４】
そしてステップＳＰ５３において主制御部８１は、ハードディスクドライブ１２から、今回の記録処理に用いる記録用ディスクに対応する印刷領域管理テーブルを読み出す。また主制御部８１は、記録履歴管理テーブル及び印刷領域管理テーブルに基づき記録番組情報及びディスク情報を生成すると共に、その記録番組情報としての番組詳細情報を符号化して当該番組詳細情報を表現する２次元コードを生成する。
【０８０５】
さらに主制御部８１は、印刷テンプレートＰＴＰ５を用いて記録番組情報及びディスク情報に基づき印刷データを生成する。そして主制御部８１は、その印刷データに基づき印刷領域管理テーブルの内容を更新して、次のステップＳＰ３１に移る。
【０８０６】
これにより主制御部８１は、ステップＳＰ３１乃至ステップＳＰ３３及びステップＳＰ１０乃至ステップＳＰ１６の処理を順次実行した後、次のステップＳＰ５２に移り、第２の記録印刷処理手順ＲＴ２を終了する。
【０８０７】
［２−５  第２の実施の形態の動作及び効果］
以上の構成において、番組録画装置８０の主制御部８１は、装置内部に記録用ディスクが装填され、記録する記録番組が選択されると、記録履歴管理テーブルに当該記録番組の番組属性情報を格納する。
【０８０８】
また番組録画装置８０の主制御部８１は、記録履歴管理テーブルに基づき記録番組情報を生成すると共に、その記録番組情報としての番組詳細情報を符号化して当該番組詳細情報を表現する２次元コードを生成する。
【０８０９】
さらに番組録画装置８０の主制御部８１は、その記録番組情報（２次元コードを含む）を印刷するための印刷データを生成する。そして番組録画装置８０の主制御部８１は、実際に記録用ディスクに記録番組（すなわち、番組データ）を記録すると、引き続き印刷データに基づき当該記録用ディスクのディスク一面に記録番組情報（２次元コードを含む）を印刷する。
【０８１０】
ここで、２次元コードについては、より情報量の多い情報を表現する場合、セルの個数を増やす必要があり、必然的に全体の大きさが大きくなる。しかしながら２次元コードは、コード読取装置９０の撮像能力（撮像解像度）や撮像距離にもよるが、１乃至２［cm］角程度の大きさに形成されても（図３８）、ディスク一面の全体にわたって印刷されるような番組詳細情報（図２２）を十分に表現可能である。
【０８１１】
従って番組録画装置８０は、記録用ディスクを記録処理に用いる毎に、記録用ディスクに記録した記録番組を示す記録番組情報を的確に生成すると共に、ディスク一面に、その記録番組情報をより少ない印刷領域で印刷することができる。
【０８１２】
このため番組録画装置８０は、同一の記録用ディスクが度々、記録処理に用いられる場合でも、その都度、ディスク一面に、当該記録用ディスクに記録された記録番組を示す番組詳細情報を２次元コードとして的確に印刷することができる。
【０８１３】
以上の構成によれば、番組録画装置８０は、記録用ディスクを記録処理に用いる毎に、記録番組の番組属性情報を有する記録履歴管理テーブルの内容を更新して、その記録履歴管理テーブルに基づき記録番組情報を生成する共に、当該記録番組情報としての番組詳細情報を符号化して２次元コードを生成し、記録用ディスクに対する記録番組の記録が終了すると、ディスク一面に、その２次元コードを含む記録番組情報を印刷するようにした。
【０８１４】
これにより番組録画装置８０は、上述した第１の実施の形態の場合と同様の効果を得ることができることに加えて、ディスク一面に記録番組情報を極力少ない印刷領域で印刷することができる。よって番組録画装置８０は、記録用ディスクが度々、記録処理に用いられる場合でも、ディスク一面に記録番組情報をほぼ確実に印刷することができる。
【０８１５】
また番組録画装置８０は、２次元コードが多量な情報を表現可能な利点を活かし、同一の記録用ディスクを用いる記録処理毎に、番組詳細情報を生成し直し、その番組詳細情報を符号化して２次元コードを生成してディスク一面に印刷するようにした。
【０８１６】
従って番組録画装置１は、記録用ディスクが記録処理に用いられてはいない場合、ディスク一面上の幾つかの２次元コードを順次復号させることなく、１つの２次元コードを復号させるだけで、記録用ディスクに記録した全ての記録番組を確認させることができる。
【０８１７】
そして番組録画装置１は、ディスク一面に２次元コードを印刷する際、前回の記録処理で印刷していた２次元コードを塗り潰して消すようにした。従って番組録画装置１は、記録用ディスクに記録した記録番組を２次元コードを利用して確認する場合、その確認に利用する最新の２次元コードを容易にかつ確実に教えることができる。
【０８１８】
＜３．変形例＞
［３−１  変形例１］
なお上述した第１及び第２の実施の形態においては、番組録画装置１及び８０に１枚の記録用ディスクを装填して記録処理を実行したとき、ディスク一面に記録番組情報を印刷するようにした場合について述べた。
【０８１９】
しかしながら本発明は、これに限らず、番組録画装置に、複数の記録用ディスクを記録処理用に順次供給可能なオートチェンジャを設ける。そして番組録画装置において、オートチェンジャを介して複数の記録用ディスクを順次用いて記録処理を連続的に実行したとき、個々の記録用ディスクのディスク一面に記録番組情報を印刷するようにしても良い。
【０８２０】
因みに、以下には、かかる構成の番組録画装置において、オートチェンジャを介して複数の記録用ディスクを順次用いて記録番組を記録し、記録番組情報を印刷する記録印刷処理について説明する。
【０８２１】
ただし、以下には、説明の便宜上、オートチェンジャには複数の新品の記録用ディスクが装填され、主制御部が記録印刷処理に先立ち、これら複数の記録用ディスクを全て初期化しているものとする。
【０８２２】
主制御部は、ユーザにより番組記録モードが選択されると、内蔵メモリ又はハードディスクドライブに予め記憶された記録印刷プログラムに従い、図２９乃至図３１との対応部分に同一符号を付した図４９及び図５０に示す第３の記録印刷処理手順ＲＴ３を開始する。
【０８２３】
主制御部は、第３の記録印刷処理手順ＲＴ３を開始すると、ステップＳＰ４においてディスプレイに録画番組通知画面を表示して、次のステップＳＰ５に移る。そしてステップＳＰ５において主制御部は、ユーザにより録画番組通知画面上で、複数の記録用ディスクに記録する分の多数の記録番組が選択されることを待ち受ける。そして主制御部は、ユーザにより録画番組通知画面上で多数の記録番組が任意に選択されると、次のステップＳＰ６１に移る。
【０８２４】
ステップＳＰ６１において主制御部は、ユーザにより選択された多数の記録番組を、ジャンルや番組タイトルで分類し、その分類結果に基づき、これら多数の記録番組を複数の記録用ディスクに記録用として振り分けて、次のステップＳＰ６２に移る。
【０８２５】
ステップＳＰ６２において主制御部は、記録用ディスク単位で、これに振り分けた記録番組の録画番組情報に基づき番組属性情報を生成すると共に、これを格納した記録履歴管理テーブルを生成して、次のステップＳＰ６３に移る。
【０８２６】
ステップＳＰ６３において主制御部は、記録用ディスク単位で、対応する記録履歴管理テーブルに基づき記録番組情報及びディスク情報を生成すると共に、印刷テンプレートを用いて当該記録番組情報及びディスク情報に基づき印刷データを生成する。また主制御部は、記録用ディスク単位で、対応する記録履歴管理テーブル及び印刷データ等に基づき印刷領域管理テーブルも生成して、次のステップＳＰ８に移る。
【０８２７】
ステップＳＰ８において主制御部は、複数の記録用ディスクのうち何れか１つ記録用ディスクに対応する印刷プレビュ画面をディスプレイに表示して、次のステップＳＰ９に移る。これにより主制御部は、１つの記録用ディスクについて、ステップＳＰ９乃至ステップＳＰ１６の処理を順次実行した後、次のステップＳＰ６４に移る。
【０８２８】
そしてステップＳＰ６４において主制御部は、記録処理に全ての記録用ディスクを用いたか否かを判別し、記録処理に未だ用いてはいない記録用ディスクが存在すると、ステップＳＰ８に戻る。このようにして主制御部は、記録処理に用いる記録用ディスクを順次換えながら、ステップＳＰ８乃至ステップＳＰ１６の処理を順次実行する。
【０８２９】
ところで主制御部は、何れかの記録用ディスクに記録する記録番組を印刷プレビュ画面として確認させた結果、ステップＳＰ１８において、その記録番組を変更するように要求されると、ステップＳＰ４に戻る。
【０８３０】
この際、ステップＳＰ４において主制御部は、ディスプレイに録画番組通知画面を表示するものの、次のステップＳＰ５において、記録番組の変更が要求された１つの記録用ディスクに記録する記録番組のみを改めて選択させる。
【０８３１】
そして主制御部は、ユーザにより記録番組が改めて選択されると、ステップＳＰ６１乃至ステップＳＰ６３において、記録番組の変更が要求された１つの記録用ディスクについてのみ、記録履歴管理テーブルや印刷データ等を生成し直してステップＳＰ８に移る。
【０８３２】
このようにして主制御部は、全ての記録用ディスクに記録番組を記録し、またディスク一面に記録番組情報を印刷し終えると、ステップＳＰ６４からステップＳＰ６５に移る。これによりステップＳＰ６５において主制御部は、第３の記録印刷処理手順ＲＴ３を終了する。
【０８３３】
なお、以上説明した処理は一例であり、かかる処理において印刷テンプレートを変更するようにしても良い。また、かかる処理では、記録番組の候補としての録画番組を選定して提示し、その中から実際に記録する記録番組を選択させるようにしても良い。さらに、かかる処理では、ディスク一面に、番組詳細情報を表現する文字と、２次元コードとの何れを印刷することもできる。
【０８３４】
［３−２  変形例２］
また上述した第１及び第２の実施の形態においては、記録番組や追加番組の候補とする複数の録画番組を選定して提示し、その録画番組の中から実際に記録する記録番組や録画番組を選択させるようにした場合について述べた。
【０８３５】
しかしながら本発明は、これに限らず、上述と同様に録画番組を絞り込むものの、番組データのデータサイズの合計が記録領域サイズや空領域サイズに納まる範囲で、記録番組や追加番組の候補とする録画番組を選定する。
【０８３６】
そして本発明は、その選定した録画番組を一括して記録番組や追加番組として選択させる、すなわち、候補として選定した録画番組の記録を了承するか否かを問い合わせて、了承されると、これらを記録するようにしても良い。
【０８３７】
また本発明は、記録番組や追加番組の候補とする録画番組を選定する際、放送日やキーワードのみならず、録画番組の番組映像や番組音声から抽出した特徴量、録画番組に対する編集の有無等のように、この他種々の情報を用いるようにしても良い。
【０８３８】
［３−３  変形例３］
さらに上述した第１及び第２の実施の形態においては、ディスプレイに印刷プレビュ画面全体を表示するようにした場合について述べた。
【０８３９】
しかしながら本発明は、これに限らず、例えば、ディスプレイの表示面が比較的小さい場合は、図５１に示すように、ディスプレイ９０に印刷プレビュ画面の一部を拡大して表示するようにしても良い。
【０８４０】
因みに、かかる構成の場合、ディスプレイにスクロールバー９１及び９２を表示し、リモコンを介してディスプレイ上でスクロールバーを操作させて印刷プレビュ画面の表示部分を変更しても良い。
【０８４１】
［３−４  変形例４］
さらに上述した第１及び第２の実施の形態においては、記録用ディスクに予め記録されたディスク識別情報を利用して記録履歴管理テーブルや印刷領域管理テーブルを、記録用ディスクと関連付けるようにした場合について述べた。
【０８４２】
しかしながら本発明は、これに限らず、記録用ディスクが新品の状態で装置内部に装填されたとき、未記録用前処理において、その記録用ディスク固有のユニークなディスク識別情報を発行して、当該記録用ディスクに記録する。
【０８４３】
また本願発明は、そのディスク識別情報を利用して、記録用ディスクと記録履歴管理テーブルや印刷領域管理テーブルとを関連付けるようにしても良い。かかる構成によれば、ディスク識別情報が予め記録されてはいない記録用ディスクについても、上述した記録処理に用いることができる。
【０８４４】
また本発明は、他の機器で記録番組が記録され、ディスク一面には何ら印刷されてはいない記録用ディスクが記録処理用に装填されたときにも、上述と同様に記録番組の記録と共に記録番組情報の印刷を実行しても良い。
【０８４５】
そして、本発明は、かかる構成の場合、記録用ディスクに記録されたディスク識別情報と、そのときに発行したディスク識別情報との何れかを当該記録用ディスクと記録履歴管理テーブルや印刷領域管理テーブルとの関連付けに利用するようにしても良い。
【０８４６】
［３−５  変形例５］
さらに上述した第１及び第２の実施の形態においては、記録用ディスクのディスク一面における印刷範囲や印刷残領域を２次元座標により管理するようにした場合について述べた。
【０８４７】
しかしながら本発明は、これに限らず、ディスク一面を多数のブロックに区切り、そのブロックに付したアドレスや、印刷用の位置決めで一意に決める所定の原点からの距離又はピクセル等で印刷範囲や印刷残領域を管理するようにしても良い。
【０８４８】
［３−６  変形例６］
さらに上述した第１及び第２の実施の形態においては、同一の記録用ディスクを用いる２回目以降の記録処理で追加番組が選択されたうえで消去番組を選択させるようにした場合について述べた。
【０８４９】
しかしながら本発明は、これに限らず、同一の記録用ディスクを用いる２回目以降の記録処理において、消去番組のみを選択させ、これに応じて記録用ディスクから消去番組が消去されると、ディスク一面に記録番組情報を印刷するようにしても良い。
【０８５０】
［３−７  変形例７］
さらに上述した第１及び第２の実施の形態においては、記録履歴管理テーブル及び印刷領域管理テーブルを装置内部のハードディスクドライブ１２に記憶するようにした場合について述べた。
【０８５１】
しかしながら本発明は、これに限らず、記録履歴管理テーブル及び印刷領域管理テーブルを記録用ディスクに記録するようにしても良い。かかる構成によれば、上述した番組録画装置１及び８０と同じ機能を有する他の機器で記録用ディスクが記録処理に用いられても、記録用ディスク内の記録履歴管理テーブル及び印刷領域管理テーブルを利用してディスク一面に記録番組情報を印刷することができる。
【０８５２】
［３−８  変形例８］
さらに上述した第１及び第２の実施の形態においては、記録番組として選択された録画番組の録画番組情報に基づき当該記録番組の番組属性情報を生成するようにした場合について述べた。
【０８５３】
しかしながら本発明は、これに限らず、記録番組として選択された録画番組の番組情報（すなわち、電子番組案内情報として配信された番組情報）や、録画番組情報をそのまま番組情報情報として用いるようにしても良い。
【０８５４】
また本発明は、記録番組が選択されたとき、ネットワーク上の情報提供装置から当該記録番組の番組属性情報を取得して用いるようにしても良い。本発明は、かかる構成によれば、記録番組が選択されたときに番組属性情報の生成処理を実行しない分、処理付加を低減させることができる。
【０８５５】
［３−９  変形例９］
さらに上述した第１の実施の形態においては、同一の記録用ディスクが２回目以降の記録処理に用いられる毎に、ディスク一面に記録番組情報を追加印刷するようにした場合について述べた。
【０８５６】
しかしながら本発明は、これに限らず、同一の記録用ディスクが２回目以降の記録処理に用いられる毎に、ディスク一面に記録番組情報を追加印刷するものの、印刷残領域が不足したときには、そのディスク一面全体を、同一色で塗り潰す。
【０８５７】
そして本発明は、そのディスク一面に、改めて全ての記録番組を示す記録番組情報を印刷し直すようにしても良い。また本発明は、この場合、記録番組情報の少なくとも番組詳細情報については、２次元コードとして印刷し直すようにしても良い。
【０８５８】
本発明は、上述した第２の実施の形態においても、同一の記録用ディスクが２回目以降の記録処理に用いられる毎に、ディスク一面に２次元コードを印刷するものの、印刷残領域が不足したときには、そのディスク一面全体を、同一色で塗り潰す。そして本発明は、そのディスク一面に、改めて２次元コードを番組分類情報と共に印刷し直すようにしても良い。
【０８５９】
因みに、本発明は、記録処理を実行してディスク一面に記録番組情報を印刷する毎に、その印刷の色を順次異なる色、又は所定数の色に交互に変更するようにしても良い。また本発明は、その印刷の色を、記録処理を実行する毎に変更させずに単色のままにするか、変更させるか、また何色にするのかを等をユーザに選択させるようにしても良い。
【０８６０】
［３−１０  変形例１０］
さらに上述した第１の実施の形態においては、印刷データを生成する際、印刷領域の個数が等しい複数の印刷テンプレートから１つの印刷テンプレートを無作為に選択するようにした場合について述べた。
【０８６１】
しかしながら本発明は、これに限らず、印刷領域の個数の異なる複数の印刷テンプレートを用意したおく。そして本発明は、印刷データを生成する際、記録番組を分類してできたグループ数に応じて（例えば、同数又は予め選定された予備の個数分多い印刷領域を有する）印刷テンプレートを選択するようにしても良い。
【０８６２】
［３−１１  変形例１１］
さらに上述した第２の実施の形態においては、記録番組情報としての番組詳細情報を符号化して２次元コードを生成し、ディスク一面に印刷するようにした場合について述べた。
【０８６３】
しかしながら本発明は、これに限らず、記録番組情報としての番組分類情報及び番組詳細情報の両方を符号化して２次元コードを生成し、ディスク一面に印刷するようにしても良い。また本発明は、このように記録番組情報をディスク情報と共に符号化して２次元コードを生成し、ディスク一面に印刷するようにしても良い。
【０８６４】
さらに本発明は、番組タイトル、サブタイトル、放送日、記録番組の紹介用の静止画像、番組映像から抽出したフレーム画像等のように、記録番組を示す番組詳細情報を提供可能な提供装置のネットワークアドレスを番組属性情報とする。そして本発明は、その番組属性情報を、記録番組を示す記録番組情報として符号化して２次元コードを生成し、ディスク一面に印刷するようにしても良い。
【０８６５】
かかる構成の場合、本発明は、コード読取装置９０が２次元コードを撮像して復号して番組属性情報を取得した場合、これに含まれるネットワークアドレスに従って提供装置にアクセスして、当該提供装置から番組詳細情報を取得して表示するようにしても良い。
【０８６６】
かかる構成によれば、２次元コードで表現可能な最大情報量の情報よりも多い情報量の番組詳細情報により、記録用ディスクに記録された記録番組を確認させることができる。
【０８６７】
［３−１２  変形例１２］
さらに上述した第１及び第２の実施の形態においては、本発明の印刷装置を、図１乃至図５１について上述した番組録画装置１及び８０に適用するようにした場合について述べた。
【０８６８】
しかしながら本発明は、これに限らず、外部の記録装置により記録番組が記録された記録用ディスクか装填されると、その記録用ディスクに記録された記録番組を示す記録番組情報を生成してディスク一面に印刷するプリンタに適用することができる。
【０８６９】
また本発明は、コンピュータや携帯電話機、ＰＤＡ（Personal  Digital  Assistance）、携帯型ゲーム機器等の情報処理装置と、プリンタとを有線又は無線接続して構築される記録印刷システムに適用することができる。
【０８７０】
さらに本発明は、デジタルビデオカメラやデジタルスチルカメラと、プリンタとを有線又は無線接続して構築される記録印刷システム等のように、この他種々の構成の印刷装置にも適用することができる。
【０８７１】
［３−１３  変形例１３］
さらに上述した第１及び第２の実施の形態においては、本発明による印刷プログラムを、図１乃至図５１について上述した主制御部１０及び８１の内部メモリ又はハードディスクドライブ１２に予め記憶された記録印刷プログラムに適用した。
【０８７２】
そして主制御部１０及び８１が、その記録印刷プログラムに従って上述した第１乃至第３の記録印刷処理手順ＲＴ１乃至ＲＴ３を実行するようにした場合について述べた。
【０８７３】
しかしながら本発明は、これに限らず、番組録画装置１及び８０が記録印刷プログラムの記録されたコンピュータ読取可能な記録媒体によって記録印刷プログラムをインストールしても良い。そして主制御部１０及び８１が、そのインストールした記録印刷プログラムに従って第１乃至第３の記録印刷処理手順ＲＴ１乃至ＲＴ３を実行するようにしても良い。
【０８７４】
また番組録画装置１及び８０は、ローカルエリアネットワークやインターネット、デジタル衛星放送等の有線及び無線通信媒体を利用して外部から記録印刷プログラムをインストールするようにしても良い。
【０８７５】
そして記録印刷プログラムを番組録画装置１及び８０にインストールして実行可能な状態にするためのコンピュータ読取可能な記録媒体としては、例えばフレキシブルディスクのようなパッケージメディアで実現しても良い。
【０８７６】
また記録印刷プログラムを番組録画装置１及び８０にインストールして実行可能な状態にするためのコンピュータ読取可能な記録媒体としては、ＣＤ−ＲＯＭ（Compact  Disc-Read  Only  Memory）のようなパッケージメディアで実現しても良い。
【０８７７】
さらに記録印刷プログラムを番組録画装置１及び８０にインストールして実行可能な状態にするためのコンピュータ読取可能な記録媒体としては、ＤＶＤ（Digital  Versatile  Disc）等のパッケージメディアで実現しても良い。
【０８７８】
さらに、かかるコンピュータ読取可能な記録媒体としては、パッケージメディアのみならず、各種プログラムが一時的もしくは永続的に記録される半導体メモリや磁気ディスク等で実現しても良い。
【０８７９】
また、これらコンピュータ読取可能な記録媒体に記録印刷プログラムを記録する手段としては、ローカルエリアネットワークやインターネット、デジタル衛星放送等の有線及び無線通信媒体を利用しても良い。
【０８８０】
さらにコンピュータ読取可能な記録媒体に記録印刷プログラムを記録する手段としては、ルータやモデム等の各種通信インタフェースを介して記録するようにしても良い。
【０８８１】
［３−１４  変形例１４］
さらに上述した第１及び第２の実施の形態においては、コンテンツが記録されるメディアとして、図１乃至図５１について上述した追記型ディスクや書換型ディスクのような記録用ディスク６５、６６、８７を適用するようにした場合について述べた。
【０８８２】
しかしながら本発明は、これに限らず、番組録画装置に着脱可能に装着されるハードディスクドライブや、外装ケースに半導体メモリを収納して形成されたメモリカードを適用することができる。また本発明は、外装ケースに光磁気ディスクや磁気ディスクが収納されて形成されたディスクメディア等のように、この他種々のメディアにも適用することができる。
【０８８３】
また本発明は、記録用ディスクのディスク一面に記録コンテンツ情報を印刷するようにした。しかしながら本発明は、これに限らず、コンテンツの記録に用いるメディアの種類に応じて、ハードディスクドライブやメモリカード、ディスクメディアの表面に記録コンテンツ情報を印刷するようにしても良い。
【０８８４】
また本発明は、記録用ディスクが収納されるジャケットや収納ケースの表面や、当該収納ケースに同梱可能なブックレットの表面に記録コンテンツ情報を印刷するようにしても良い。さらに本発明は、ジャケットや収納ケース、ハードディスクドライブ、メモリカード、ディスクメディアの表面に貼着可能なシールに記録コンテンツ情報を印刷するようにしても良い。
【０８８５】
［３−１５  変形例１５］
さらに上述した第１及び第２の実施の形態においては、メディアに記録されるコンテンツとして、図１乃至図５１について上述したデジタル系放送やアナログ系放送の録画番組の番組データを適用するようにした場合について述べた。
【０８８６】
しかしながら本発明は、これに限らず、デジタルビデオカメラ及びデジタルスチルカメラによって被写体を撮像して生成された動画像データ及び写真画像データ、例えば、ネットワーク上の提供装置から提供されるミュージッククリップを適用することができる。
【０８８７】
また本発明は、ネットワーク上の提供装置から提供される映画のような映像データ、テキストデータ、ゲームプログラムのようなプログラムデータ等のように、この他種々のコンテンツにも広く適用することができる。
【０８８８】
［３−１６  変形例１６］
さらに上述した第１及び第２の実施の形態においては、コンテンツの属性情報として、図１乃至図５１について上述したジャンルや番組タイトル、サブタイトル、放送日を適用するようにした場合について述べた。
【０８８９】
しかしながら本発明は、これに限らず、コンテンツの種類に応じて、製作会社名、監督名、出演者名及びスタッフの名前や、映像中のワンシーンの画像、宣伝用のポスター画像等のように、この他種々の属性情報を広く適用することができる。
【０８９０】
［３−１７  変形例１７］
さらに上述した第１及び第２の実施の形態においては、メディアに記録されるコンテンツの属性情報を格納し、メディアに対するコンテンツの記録履歴を管理するための記録履歴管理テーブルを生成する記録履歴管理テーブル生成部として、図１乃至図５１について上述したマイクロコンピュータ構成の主制御部１０及び８１を適用するようにした場合について述べた。
【０８９１】
しかしながら本発明は、これに限らず、ＣＰＵ（Central  Processing  Unit）やマイクロプロセッサ、ＤＳＰ（Digital  Signal  Processor）を適用することができる。また本発明は、メディアに記録されるコンテンツの属性情報を格納し、メディアに対するコンテンツの記録履歴を管理するための記録履歴管理テーブルを生成するハードウェア回路構成の管理テーブル生成回路等のように、この他種々の構成の記録履歴管理テーブル生成部にも広く適用することができる。
【０８９２】
［３−１８  変形例１８］
さらに上述した第１及び第２の実施の形態においては、記録履歴管理テーブルに基づき、メディアに記録されたコンテンツを示す記録コンテンツ情報として、図１乃至図５１について上述した番組分類情報、番組詳細情報、特定箇所消去情報、コード消去情報を適用するようにした場合について述べた。
【０８９３】
しかしながら本発明は、これに限らず、番組分類情報のみや、番組詳細情報のみ、またこれら番組分類情報、番組詳細情報、特定箇所消去情報、コード消去情報の種々の組み合わせ等のように、この他種々の構成の記録コンテンツ情報を広く適用することができる。
【０８９４】
［３−１９  変形例１９］
さらに上述した第１及び第２の実施の形態においては、記録履歴管理テーブルに基づき、メディアに記録されたコンテンツを示す記録コンテンツ情報を生成する記録コンテンツ情報生成部として、図１乃至図５１について上述したマイクロコンピュータ構成の主制御部１０及び８１を適用するようにした場合について述べた。
【０８９５】
しかしながら本発明は、これに限らず、ＣＰＵやマイクロプロセッサ、ＤＳＰを適用することができる。また本発明は、記録履歴管理テーブルに基づき、メディアに記録されたコンテンツを示す記録コンテンツ情報を生成するハードウェア回路構成の記録コンテンツ情報生成回路等のように、この他種々の記録コンテンツ情報生成部にも広く適用することができる。
【０８９６】
［３−２０  変形例２０］
さらに上述した第１及び第２の実施の形態においては、メディアにコンテンツが記録されると、当該メディアに記録コンテンツ情報を印刷する印刷部として、図１乃至図５１について上述した番組録画装置１及び８０内のプリンタ制御部４２及びプリンタ４３を適用するようにした場合について述べた。
【０８９７】
しかしながら本発明は、これに限らず、メディアにコンテンツを記録する記録装置に有線又は無線接続される印刷機等のように、この他種々の印刷部を広く適用することができる。
【０８９８】
［３−２１  変形例２１］
さらに上述した第１及び第２の実施の形態においては、記録履歴管理テーブルに基づき、メディアに記録されたコンテンツを分類する分類部として、図１乃至図５１について上述したマイクロコンピュータ構成の主制御部１０及び８１を適用するようにした場合について述べた。
【０８９９】
しかしながら本発明は、これに限らず、ＣＰＵやマイクロプロセッサ、ＤＳＰを適用することができる。また本発明は、記録履歴管理テーブルに基づき、メディアに記録されたコンテンツを分類するハードウェア回路構成の分類回路等のように、この他種々の構成の分類部にも広く適用することができる。
【０９００】
［３−２２  変形例２２］
さらに上述した第１及び第２の実施の形態においては、記録コンテンツ情報に基づき、メディアに対する記録コンテンツ情報の印刷領域を管理するための印刷領域管理テーブルを生成する印刷領域管理テーブル生成部として、図１乃至図５１について上述したマイクロコンピュータ構成の主制御部１０及び８１を適用するようにした場合について述べた。
【０９０１】
しかしながら本発明は、これに限らず、ＣＰＵやマイクロプロセッサ、ＤＳＰを適用することができる。また本発明は、記録コンテンツ情報に基づき、メディアに対する記録コンテンツ情報の印刷領域を管理するための印刷領域管理テーブルを生成するハードウェア回路構成の印刷領域管理テーブル生成回路等のように、この他種々の印刷領域管理テーブル生成部にも広く適用することができる。
【０９０２】
［３−２３  変形例２３］
さらに上述した第１及び第２の実施の形態においては、記録履歴管理テーブルに基づき、メディアに関するメディア情報を生成するメディア情報生成部として、図１乃至図５１について上述したマイクロコンピュータ構成の主制御部１０及び８１を適用するようにした場合について述べた。
【０９０３】
しかしながら本発明は、これに限らず、ＣＰＵやマイクロプロセッサ、ＤＳＰを適用することができる。また本発明は、記録履歴管理テーブルに基づき、メディアに関するメディア情報を生成するハードウェア回路構成のメディア情報生成回路等のように、この他種々の構成のメディア情報生成部にも広く適用することができる。
【０９０４】
［３−２４  変形例２４］
さらに上述した第１及び第２の実施の形態においては、メディアに記録されたコンテンツの少なくとも一部を表現する２次元コードとして、図１乃至図５１について上述したＱＲコード（登録商標）でなる２次元コードを適用するようにした場合について述べた。
【０９０５】
しかしながら本発明は、これに限らず、ＤＡＴＡ  ＭＡＴＲＩＸ（登録商標）及びＭａｘｉ  Ｃｏｄｅ（登録商標）のようなマトリクス型２次元コードを適用することができる。また本発明は、ＰＤＦ４１７（登録商標）のようなスタック型２次元コードのように、この他種々の２次元コードにも広く適用することができる。
【産業上の利用可能性】
【０９０６】
本発明は、印刷機能を有する番組録画装置や、印刷データの生成機能を有するプリンタ等の印刷装置に利用することができる。
【符号の説明】
【０９０７】
１、８０……番組録画装置、１０、８１……主制御部、４０……ドライブ制御部、４１……ドライブ、４２……プリンタ制御部、４３……プリンタ、６５、６６、８７……記録用ディスク、ＡＣＴ１、ＡＣＴ２、ＡＣＴ５、ＡＣＴ６……印刷領域管理テーブル、ＣＡ１乃至ＣＡ５……番組属性情報、ＤＣ１、ＤＣ２……２次元コード、ＰＣＴ１乃至ＰＣＴ３……記録履歴管理テーブル、ＲＴ１……第１の記録印刷処理手順、ＲＴ２……第２の記録印刷処理手順、ＲＴ３……第３の記録印刷処理手順。
【図１】
2010262693.tif 000003
【図２】
2010262693.tif 000004
【図３】
2010262693.tif 000005
【図４】
2010262693.tif 000006
【図５】
2010262693.tif 000007
【図６】
2010262693.tif 000008
【図７】
2010262693.tif 000009
【図８】
2010262693.tif 000010
【図９】
2010262693.tif 000011
【図１０】
2010262693.tif 000012
【図１１】
2010262693.tif 000013
【図１２】
2010262693.tif 000014
【図１３】
2010262693.tif 000015
【図１４】
2010262693.tif 000016
【図１５】
2010262693.tif 000017
【図１６】
2010262693.tif 000018
【図１７】
2010262693.tif 000019
【図１８】
2010262693.tif 000020
【図１９】
2010262693.tif 000021
【図２０】
2010262693.tif 000022
【図２１】
2010262693.tif 000023
【図２２】
2010262693.tif 000024
【図２３】
2010262693.tif 000025
【図２４】
2010262693.tif 000026
【図２５】
2010262693.tif 000027
【図２６】
2010262693.tif 000028
【図２７】
2010262693.tif 000029
【図２８】
2010262693.tif 000030
【図２９】
2010262693.tif 000031
【図３０】
2010262693.tif 000032
【図３１】
2010262693.tif 000033
【図３２】
2010262693.tif 000034
【図３３】
2010262693.tif 000035
【図３４】
2010262693.tif 000036
【図３５】
2010262693.tif 000037
【図３６】
2010262693.tif 000038
【図３７】
2010262693.tif 000039
【図３８】
2010262693.tif 000040
【図３９】
2010262693.tif 000041
【図４０】
2010262693.tif 000042
【図４１】
2010262693.tif 000043
【図４２】
2010262693.tif 000044
【図４３】
2010262693.tif 000045
【図４４】
2010262693.tif 000046
【図４５】
2010262693.tif 000047
【図４６】
2010262693.tif 000048
【図４７】
2010262693.tif 000049
【図４８】
2010262693.tif 000050
【図４９】
2010262693.tif 000051
【図５０】
2010262693.tif 000052
【図５１】
2010262693.tif 000053